(57)【要約】【課題】既存ジェットエンジンやガスタービンは仕事率皆無の静翼を動翼と交互に半分具備して圧縮空気や燃焼ガスを堰き止めて速度や出力を０に近付けている。【解決手段】全部動翼の二重反転噴射機関２Ｅ等圧縮翼８ｑ圧縮翼８ｒや出力翼８ｓ出力翼８ｔの、直線圧縮や直線膨張で空気圧縮速度や燃焼ガス膨張速度を最大にし、高圧高温燃焼室５Ｍに高圧高温水加熱管５Ｈを具備熱回収冷却して、理論空燃比まで同一圧縮空気量既存ジェットエンジンの４倍燃料燃焼量とし、３／４熱量以上を燃焼ガスの２０倍圧力等の過熱蒸気５０で使用して、既存ジェット等の１０倍噴射推進出力や回転出力狙いの発電や自動車駆動や船舶駆動や飛行機駆動等とし、飛行機駆動では既存地上からのロケット噴射は最悪と考えて、既存最高飛行高度からのロケット噴射として、１日に地球を１６周する等地球上何処でも日帰り旅行や月旅行狙い等にします。【選択図】図３
2014139405.tif 000002
【特許請求の範囲】
【請求項１】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とした各種エネルギ保存サイクル合体機関及び合体方法。
【請求項２】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの１、５倍とした各種エネルギ保存サイクル合体機関及び合体方法。
【請求項３】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの２倍とした各種エネルギ保存サイクル合体機関及び合体方法。
【請求項４】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの２、５倍とした各種エネルギ保存サイクル合体機関及び合体方法。
【請求項５】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より噴射する各種エネルギ保存サイクル合体機関及び合体方法。
【請求項６】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を噴射する各種エネルギ保存サイクル合体機関及び合体方法。
【請求項７】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射する各種エネルギ保存サイクル合体機関及び合体方法。
【請求項８】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する各種エネルギ保存サイクル合体機関及び合体方法。
【請求項９】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する各種エネルギ保存サイクル合体機関及び合体方法。
【請求項１０】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する各種エネルギ保存サイクル合体機関及び合体方法。
【請求項１１】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する各種エネルギ保存サイクル合体機関及び合体方法。
【請求項１２】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する各種エネルギ保存サイクル合体機関及び合体方法。
【請求項１３】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する各種エネルギ保存サイクル合体機関及び合体方法。
【請求項１４】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する各種エネルギ保存サイクル合体機関及び合体方法。
【請求項１５】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する各種エネルギ保存サイクル合体機関及び合体方法。
【請求項１６】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する各種エネルギ保存サイクル合体機関及び合体方法。
【請求項１７】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する各種エネルギ保存サイクル合体機関及び合体方法。
【請求項１８】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する各種エネルギ保存サイクル合体機関及び合体方法。
【請求項１９】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋過熱蒸気噴射用の静翼（６Ｇ）より噴射する各種エネルギ保存サイクル合体機関及び合体方法。
【請求項２０】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より噴射する各種エネルギ保存サイクル合体機関及び合体方法。
【請求項２１】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射する各種エネルギ保存サイクル合体機関及び合体方法。
【請求項２２】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動する各種エネルギ保存サイクル合体機関及び合体方法。
【請求項２３】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電する各種エネルギ保存サイクル合体機関及び合体方法。
【請求項２４】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電する各種エネルギ保存サイクル合体機関及び合体方法。
【請求項２５】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電蓄電池駆動車輪（４Ｊ）を駆動する各種エネルギ保存サイクル合体機関及び合体方法。
【請求項２６】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電蓄電池駆動車輪（４Ｊ）を駆動する二重反転自動車（１Ｂ）とした各種エネルギ保存サイクル合体機関及び合体方法。
【請求項２７】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動する各種エネルギ保存サイクル合体機関及び合体方法。
【請求項２８】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動二重反転船舶（１Ｃ）駆動する各種エネルギ保存サイクル合体機関及び合体方法。
【請求項２９】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動二重反転機関（２Ｂ）排気で噴射推進二重反転船舶（１Ｃ）駆動する各種エネルギ保存サイクル合体機関及び合体方法。
【請求項３０】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動二重反転機関（２Ｂ）排気を先頭船底に噴射して噴射推進二重反転船舶（１Ｃ）駆動する各種エネルギ保存サイクル合体機関及び合体方法。
【請求項３１】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動プロペラ（７Ａ）駆動する各種エネルギ保存サイクル合体機関及び合体方法。
【請求項３２】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動プロペラ（７Ａ）駆動二重反転飛行機（１Ｅ）駆動する各種エネルギ保存サイクル合体機関及び合体方法。
【請求項３３】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動プロペラ（７Ａ）駆動二重反転機関（２Ｂ）排気を噴射して二重反転飛行機（１Ｅ）駆動する各種エネルギ保存サイクル合体機関及び合体方法。
【請求項３４】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備した各種エネルギ保存サイクル合体機関及び合体方法。
【請求項３５】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの１、５倍とした各種エネルギ保存サイクル合体機関及び合体方法。
【請求項３６】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２倍とした各種エネルギ保存サイクル合体機関及び合体方法。
【請求項３７】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２、５倍とした各種エネルギ保存サイクル合体機関及び合体方法。
【請求項３８】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より噴射する各種エネルギ保存サイクル合体機関及び合体方法。
【請求項３９】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を噴射する各種エネルギ保存サイクル合体機関及び合体方法。
【請求項４０】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射する各種エネルギ保存サイクル合体機関及び合体方法。
【請求項４１】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する各種エネルギ保存サイクル合体機関及び合体方法。
【請求項４２】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する各種エネルギ保存サイクル合体機関及び合体方法。
【請求項４３】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する各種エネルギ保存サイクル合体機関及び合体方法。
【請求項４４】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する各種エネルギ保存サイクル合体機関及び合体方法。
【請求項４５】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する各種エネルギ保存サイクル合体機関及び合体方法。
【請求項４６】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する各種エネルギ保存サイクル合体機関及び合体方法。
【請求項４７】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する各種エネルギ保存サイクル合体機関及び合体方法。
【請求項４８】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する各種エネルギ保存サイクル合体機関及び合体方法。
【請求項４９】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する各種エネルギ保存サイクル合体機関及び合体方法。
【請求項５０】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する各種エネルギ保存サイクル合体機関及び合体方法。
【請求項５１】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する各種エネルギ保存サイクル合体機関及び合体方法。
【請求項５２】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射する各種エネルギ保存サイクル合体機関及び合体方法。
【請求項５３】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より噴射する各種エネルギ保存サイクル合体機関及び合体方法。
【請求項５４】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射する各種エネルギ保存サイクル合体機関及び合体方法。
【請求項５５】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動する各種エネルギ保存サイクル合体機関及び合体方法。
【請求項５６】
ロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動回転翼噴射飛行機（１Ｊ）駆動する各種エネルギ保存サイクル合体機関及び合体方法。
【請求項５７】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動回転翼噴射飛行機（１Ｊ）駆動する各種エネルギ保存サイクル合体機関及び合体方法。
【請求項５８】
全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動回転翼噴射飛行機（１Ｊ）を駆動する各種エネルギ保存サイクル合体機関及び合体方法。
【請求項５９】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動回転翼噴射飛行機（１Ｊ）を駆動する各種エネルギ保存サイクル合体機関及び合体方法。
【請求項６０】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動する各種エネルギ保存サイクル合体機関及び合体方法。
【請求項６１】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射船舶（１Ｆ）駆動する各種エネルギ保存サイクル合体機関及び合体方法。
【請求項６２】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部噴射で噴射推進二重反転噴射船舶（１Ｆ）駆動する各種エネルギ保存サイクル合体機関及び合体方法。
【請求項６３】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して噴射推進二重反転噴射船舶（１Ｆ）駆動する各種エネルギ保存サイクル合体機関及び合体方法。
【請求項６４】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動する各種エネルギ保存サイクル合体機関及び合体方法。
【請求項６５】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射飛行機（１Ｇ）駆動する各種エネルギ保存サイクル合体機関及び合体方法。
【請求項６６】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射飛行機（１Ｇ）駆動する各種エネルギ保存サイクル合体機関及び合体方法。
【請求項６７】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とした二重反転機関（２Ｂ）二重反転蒸気タービン（１ｐ）駆動とした各種エネルギ保存サイクル合体機関及び合体方法。
【請求項６８】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの１、５倍とした二重反転機関（２Ｂ）二重反転蒸気タービン（１ｐ）駆動とした各種エネルギ保存サイクル合体機関及び合体方法。
【請求項６９】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの２倍とした二重反転機関（２Ｂ）二重反転蒸気タービン（１ｐ）駆動とした各種エネルギ保存サイクル合体機関及び合体方法。
【請求項７０】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの２、５倍とした二重反転機関（２Ｂ）二重反転蒸気タービン（１ｐ）駆動とした各種エネルギ保存サイクル合体機関及び合体方法。
【請求項７１】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より噴射する二重反転機関（２Ｂ）二重反転蒸気タービン（１ｐ）駆動とした各種エネルギ保存サイクル合体機関及び合体方法。
【請求項７２】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を噴射する二重反転機関（２Ｂ）二重反転蒸気タービン（１ｐ）駆動とした各種エネルギ保存サイクル合体機関及び合体方法。
【請求項７３】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射する二重反転機関（２Ｂ）二重反転蒸気タービン（１ｐ）駆動とした各種エネルギ保存サイクル合体機関及び合体方法。
【請求項７４】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する二重反転機関（２Ｂ）二重反転蒸気タービン（１ｐ）駆動とした各種エネルギ保存サイクル合体機関及び合体方法。
【請求項７５】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する二重反転機関（２Ｂ）二重反転蒸気タービン（１ｐ）駆動とした各種エネルギ保存サイクル合体機関及び合体方法。
【請求項７６】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する二重反転機関（２Ｂ）二重反転蒸気タービン（１ｐ）駆動とした各種エネルギ保存サイクル合体機関及び合体方法。
【請求項７７】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する二重反転機関（２Ｂ）二重反転蒸気タービン（１ｐ）駆動とした各種エネルギ保存サイクル合体機関及び合体方法。
【請求項７８】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する軸受荷重合体で０接近＋横軸軸受０接近（１ｆ）＋横軸軸受０接近（１ｆ）の二重反転機関（２Ｂ）二重反転蒸気タービン（１ｐ）駆動とした各種エネルギ保存サイクル合体機関及び合体方法。
【請求項７９】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する軸受荷重合体で０接近＋横軸軸受０接近（１ｆ）の二重反転機関（２Ｂ）二重反転蒸気タービン（１ｐ）駆動とした各種エネルギ保存サイクル合体機関及び合体方法。
【請求項８０】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する軸受荷重合体で０接近＋横軸軸受０接近（１ｆ）の二重反転機関（２Ｂ）二重反転蒸気タービン（１ｐ）駆動とした各種エネルギ保存サイクル合体機関及び合体方法。
【請求項８１】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する軸受荷重合体で０接近＋横軸軸受０接近（１ｆ）の二重反転機関（２Ｂ）二重反転蒸気タービン（１ｐ）駆動とした各種エネルギ保存サイクル合体機関及び合体方法。
【請求項８２】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する軸受荷重合体で０接近＋横軸軸受０接近（１ｆ）の二重反転機関（２Ｂ）二重反転蒸気タービン（１ｐ）駆動とした各種エネルギ保存サイクル合体機関及び合体方法。
【請求項８３】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する軸受荷重合体で０接近＋横軸軸受０接近（１ｆ）の二重反転機関（２Ｂ）二重反転蒸気タービン（１ｐ）駆動とした各種エネルギ保存サイクル合体機関及び合体方法。
【請求項８４】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造二重反転蒸気タービン（１ｐ）に噴射する軸受荷重合体で０接近＋横軸軸受０接近（１ｆ）の二重反転機関（２Ｂ）駆動とした各種エネルギ保存サイクル合体機関及び合体方法。
【請求項８５】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造二重反転蒸気タービン（１ｐ）過熱蒸気噴射用の静翼（６Ｇ）より噴射する軸受荷重合体で０接近＋横軸軸受０接近（１ｆ）の二重反転機関（２Ｂ）駆動とした各種エネルギ保存サイクル合体機関及び合体方法。
【請求項８６】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造二重反転蒸気タービン（１ｐ）二重反転機外箱（７７Ｃ）過熱蒸気噴射用の静翼（６Ｇ）より噴射する軸受荷重合体で０接近＋横軸軸受０接近（１ｆ）の二重反転機関（２Ｂ）駆動とした各種エネルギ保存サイクル合体機関及び合体方法。
【請求項８７】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造二重反転蒸気タービン（１ｐ）二重反転機外箱（７７Ｃ）過熱蒸気噴射用の静翼（６Ｇ）より噴射合体タービン（３ｄ）同様に駆動する軸受荷重合体で０接近＋横軸軸受０接近（１ｆ）の二重反転機関（２Ｂ）駆動とした各種エネルギ保存サイクル合体機関及び合体方法。
【請求項８８】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動する軸受荷重合体で０接近＋横軸軸受０接近（１ｆ）の二重反転機関（２Ｂ）駆動とした各種エネルギ保存サイクル合体機関及び合体方法。
【請求項８９】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動発電機（１）で発電する各種エネルギ保存サイクル合体機関及び合体方法。
【請求項９０】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動発電機（１）で発電蓄電池（１Ａ）に蓄電する各種エネルギ保存サイクル合体機関及び合体方法。
【請求項９１】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動発電機（１）で発電蓄電池（１Ａ）に蓄電蓄電池駆動車輪（４Ｊ）を駆動する各種エネルギ保存サイクル合体機関及び合体方法。
【請求項９２】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電蓄電池駆動車輪（４Ｊ）を駆動する軸受荷重合体で０接近＋横軸軸受０接近（１ｆ）で二重反転の二重反転自動車（１Ｂ）とした各種エネルギ保存サイクル合体機関及び合体方法。
【請求項９３】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）の二重反転駆動スクリュウ（７Ｃ）駆動する各種エネルギ保存サイクル合体機関及び合体方法。
【請求項９４】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）の二重反転駆動スクリュウ（７Ｃ）駆動二重反転船舶（１Ｃ）駆動する各種エネルギ保存サイクル合体機関及び合体方法。
【請求項９５】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）の二重反転駆動スクリュウ（７Ｃ）駆動二重反転機関（２Ｂ）排気で噴射推進二重反転船舶（１Ｃ）駆動する各種エネルギ保存サイクル合体機関及び合体方法。
【請求項９６】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）の二重反転駆動スクリュウ（７Ｃ）駆動二重反転機関（２Ｂ）排気を先頭船底に噴射して噴射推進二重反転船舶（１Ｃ）駆動する各種エネルギ保存サイクル合体機関及び合体方法。
【請求項９７】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）の二重反転駆動プロペラ（７Ａ）駆動する各種エネルギ保存サイクル合体機関及び合体方法。
【請求項９８】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）の二重反転駆動プロペラ（７Ａ）駆動二重反転飛行機（１Ｅ）駆動する各種エネルギ保存サイクル合体機関及び合体方法。
【請求項９９】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）の二重反転駆動プロペラ（７Ａ）駆動二重反転機関（２Ｂ）排気を噴射して二重反転飛行機（１Ｅ）駆動する各種エネルギ保存サイクル合体機関及び合体方法。
【請求項１００】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備した二重反転噴射機関（２Ｅ）駆動とした各種エネルギ保存サイクル合体機関及び合体方法。
【請求項１０１】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの１、５倍とした二重反転噴射機関（２Ｅ）駆動とした各種エネルギ保存サイクル合体機関及び合体方法。
【請求項１０２】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２倍とした二重反転噴射機関（２Ｅ）駆動とした各種エネルギ保存サイクル合体機関及び合体方法。
【請求項１０３】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２、５倍とした二重反転噴射機関（２Ｅ）駆動とした各種エネルギ保存サイクル合体機関及び合体方法。
【請求項１０４】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より噴射する二重反転噴射機関（２Ｅ）駆動とした各種エネルギ保存サイクル合体機関及び合体方法。
【請求項１０５】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を噴射する二重反転噴射機関（２Ｅ）駆動とした各種エネルギ保存サイクル合体機関及び合体方法。
【請求項１０６】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射する二重反転噴射機関（２Ｅ）駆動とした各種エネルギ保存サイクル合体機関及び合体方法。
【請求項１０７】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する二重反転噴射機関（２Ｅ）駆動とした各種エネルギ保存サイクル合体機関及び合体方法。
【請求項１０８】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する二重反転噴射機関（２Ｅ）駆動とした各種エネルギ保存サイクル合体機関及び合体方法。
【請求項１０９】
圧縮機外箱（７７ｂ）入口に静翼（６Ｇ）を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する二重反転噴射機関（２Ｅ）駆動とした各種エネルギ保存サイクル合体機関及び合体方法。
【請求項１１０】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項１１１】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項１１２】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項１１３】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項１１４】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項１１５】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項１１６】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項１１７】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項１１８】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項１１９】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項１２０】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項１２１】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を軸受荷重合体で０接近＋横軸軸受０接近（１ｆ）で二重反転駆動する二重反転噴射機関（２Ｅ）駆動とした各種エネルギ保存サイクル合体機関及び合体方法。
【請求項１２２】
圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を軸受荷重合体で０接近＋横軸軸受０接近（１ｆ）で二重反転の二重反転噴射機関（２Ｅ）排気をロケット噴射部合流噴射して回転翼噴射飛行機（１Ｊ）駆動する各種エネルギ保存サイクル合体機関及び合体方法。
【請求項１２３】
ロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項１２４】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項１２５】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項１２６】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射する各種エネルギ保存サイクル合体機関及び合体方法。
【請求項１２７】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射船舶（１Ｆ）駆動する各種エネルギ保存サイクル合体機関及び合体方法。
【請求項１２８】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射で噴射推進二重反転噴射船舶（１Ｆ）駆動する各種エネルギ保存サイクル合体機関及び合体方法。
【請求項１２９】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して噴射推進二重反転噴射船舶（１Ｆ）駆動する各種エネルギ保存サイクル合体機関及び合体方法。
【請求項１３０】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射する各種エネルギ保存サイクル合体機関及び合体方法。
【請求項１３１】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射船舶（１Ｆ）駆動する各種エネルギ保存サイクル合体機関及び合体方法。
【請求項１３２】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射飛行機（１Ｇ）駆動する各種エネルギ保存サイクル合体機関及び合体方法。
【請求項１３３】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とした各種エネルギ保存サイクル合体機関及び合体方法。
【請求項１３４】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの１、５倍とした各種エネルギ保存サイクル合体機関及び合体方法。
【請求項１３５】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの２倍とした各種エネルギ保存サイクル合体機関及び合体方法。
【請求項１３６】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの２、５倍とした各種エネルギ保存サイクル合体機関及び合体方法。
【請求項１３７】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より噴射する各種エネルギ保存サイクル合体機関及び合体方法。
【請求項１３８】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を噴射する各種エネルギ保存サイクル合体機関及び合体方法。
【請求項１３９】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射する各種エネルギ保存サイクル合体機関及び合体方法。
【請求項１４０】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する各種エネルギ保存サイクル合体機関及び合体方法。
【請求項１４１】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する各種エネルギ保存サイクル合体機関及び合体方法。
【請求項１４２】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する各種エネルギ保存サイクル合体機関及び合体方法。
【請求項１４３】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する各種エネルギ保存サイクル合体機関及び合体方法。
【請求項１４４】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する各種エネルギ保存サイクル合体機関及び合体方法。
【請求項１４５】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する各種エネルギ保存サイクル合体機関及び合体方法。
【請求項１４６】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する各種エネルギ保存サイクル合体機関及び合体方法。
【請求項１４７】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する各種エネルギ保存サイクル合体機関及び合体方法。
【請求項１４８】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する各種エネルギ保存サイクル合体機関及び合体方法。
【請求項１４９】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する各種エネルギ保存サイクル合体機関及び合体方法。
【請求項１５０】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する各種エネルギ保存サイクル合体機関及び合体方法。
【請求項１５１】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋過熱蒸気噴射用の静翼（６Ｇ）より噴射する各種エネルギ保存サイクル合体機関及び合体方法。
【請求項１５２】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より噴射する各種エネルギ保存サイクル合体機関及び合体方法。
【請求項１５３】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射する各種エネルギ保存サイクル合体機関及び合体方法。
【請求項１５４】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動する各種エネルギ保存サイクル合体機関及び合体方法。
【請求項１５５】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電する各種エネルギ保存サイクル合体機関及び合体方法。
【請求項１５６】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電する各種エネルギ保存サイクル合体機関及び合体方法。
【請求項１５７】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電蓄電池駆動車輪（４Ｊ）を駆動する各種エネルギ保存サイクル合体機関及び合体方法。
【請求項１５８】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電蓄電池駆動車輪（４Ｊ）を駆動する二重反転自動車（１Ｂ）とした各種エネルギ保存サイクル合体機関及び合体方法。
【請求項１５９】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動する各種エネルギ保存サイクル合体機関及び合体方法。
【請求項１６０】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動二重反転船舶（１Ｃ）駆動する各種エネルギ保存サイクル合体機関及び合体方法。
【請求項１６１】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動二重反転機関（２Ｂ）排気で噴射推進二重反転船舶（１Ｃ）駆動する各種エネルギ保存サイクル合体機関及び合体方法。
【請求項１６２】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動二重反転機関（２Ｂ）排気を先頭船底に噴射して噴射推進二重反転船舶（１Ｃ）駆動する各種エネルギ保存サイクル合体機関及び合体方法。
【請求項１６３】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動プロペラ（７Ａ）駆動する各種エネルギ保存サイクル合体機関及び合体方法。
【請求項１６４】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動プロペラ（７Ａ）駆動二重反転飛行機（１Ｅ）駆動する各種エネルギ保存サイクル合体機関及び合体方法。
【請求項１６５】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動プロペラ（７Ａ）駆動二重反転機関（２Ｂ）排気を噴射して二重反転飛行機（１Ｅ）駆動する各種エネルギ保存サイクル合体機関及び合体方法。
【請求項１６６】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備した各種エネルギ保存サイクル合体機関及び合体方法。
【請求項１６７】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの１、５倍とした各種エネルギ保存サイクル合体機関及び合体方法。
【請求項１６８】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２倍とした各種エネルギ保存サイクル合体機関及び合体方法。
【請求項１６９】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２、５倍とした各種エネルギ保存サイクル合体機関及び合体方法。
【請求項１７０】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より噴射する各種エネルギ保存サイクル合体機関及び合体方法。
【請求項１７１】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を噴射する各種エネルギ保存サイクル合体機関及び合体方法。
【請求項１７２】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射する各種エネルギ保存サイクル合体機関及び合体方法。
【請求項１７３】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する各種エネルギ保存サイクル合体機関及び合体方法。
【請求項１７４】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する各種エネルギ保存サイクル合体機関及び合体方法。
【請求項１７５】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する各種エネルギ保存サイクル合体機関及び合体方法。
【請求項１７６】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する各種エネルギ保存サイクル合体機関及び合体方法。
【請求項１７７】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する各種エネルギ保存サイクル合体機関及び合体方法。
【請求項１７８】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する各種エネルギ保存サイクル合体機関及び合体方法。
【請求項１７９】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する各種エネルギ保存サイクル合体機関及び合体方法。
【請求項１８０】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する各種エネルギ保存サイクル合体機関及び合体方法。
【請求項１８１】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する各種エネルギ保存サイクル合体機関及び合体方法。
【請求項１８２】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する各種エネルギ保存サイクル合体機関及び合体方法。
【請求項１８３】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する各種エネルギ保存サイクル合体機関及び合体方法。
【請求項１８４】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射する各種エネルギ保存サイクル合体機関及び合体方法。
【請求項１８５】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より噴射する各種エネルギ保存サイクル合体機関及び合体方法。
【請求項１８６】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射する各種エネルギ保存サイクル合体機関及び合体方法。
【請求項１８７】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動する各種エネルギ保存サイクル合体機関及び合体方法。
【請求項１８８】
ロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動回転翼噴射飛行機（１Ｊ）駆動する各種エネルギ保存サイクル合体機関及び合体方法。
【請求項１８９】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動回転翼噴射飛行機（１Ｊ）駆動する各種エネルギ保存サイクル合体機関及び合体方法。
【請求項１９０】
全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動回転翼噴射飛行機（１Ｊ）を駆動する各種エネルギ保存サイクル合体機関及び合体方法。
【請求項１９１】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動回転翼噴射飛行機（１Ｊ）を駆動する各種エネルギ保存サイクル合体機関及び合体方法。
【請求項１９２】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動する各種エネルギ保存サイクル合体機関及び合体方法。
【請求項１９３】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射船舶（１Ｆ）駆動する各種エネルギ保存サイクル合体機関及び合体方法。
【請求項１９４】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部噴射で噴射推進二重反転噴射船舶（１Ｆ）駆動する各種エネルギ保存サイクル合体機関及び合体方法。
【請求項１９５】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して噴射推進二重反転噴射船舶（１Ｆ）駆動する各種エネルギ保存サイクル合体機関及び合体方法。
【請求項１９６】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動する各種エネルギ保存サイクル合体機関及び合体方法。
【請求項１９７】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射飛行機（１Ｇ）駆動する各種エネルギ保存サイクル合体機関及び合体方法。
【請求項１９８】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射飛行機（１Ｇ）駆動する各種エネルギ保存サイクル合体機関及び合体方法。
【請求項１９９】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とした二重反転機関（２Ｂ）駆動車両類とした各種エネルギ保存サイクル合体機関及び合体方法。
【請求項２００】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの１、５倍とした二重反転機関（２Ｂ）駆動船舶とした各種エネルギ保存サイクル合体機関及び合体方法。
【請求項２０１】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの２倍とした二重反転機関（２Ｂ）駆動飛行機とした各種エネルギ保存サイクル合体機関及び合体方法。
【請求項２０２】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの２、５倍とした二重反転機関（２Ｂ）駆動回転翼機とした各種エネルギ保存サイクル合体機関及び合体方法。
【請求項２０３】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より噴射する二重反転機関（２Ｂ）駆動オスプレイ類とした各種エネルギ保存サイクル合体機関及び合体方法。
【請求項２０４】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を噴射する二重反転機関（２Ｂ）駆動車両類とした各種エネルギ保存サイクル合体機関及び合体方法。
【請求項２０５】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射する二重反転機関（２Ｂ）駆動船舶とした各種エネルギ保存サイクル合体機関及び合体方法。
【請求項２０６】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する二重反転機関（２Ｂ）駆動飛行機とした各種エネルギ保存サイクル合体機関及び合体方法。
【請求項２０７】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する二重反転機関（２Ｂ）駆動回転翼機とした各種エネルギ保存サイクル合体機関及び合体方法。
【請求項２０８】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する二重反転機関（２Ｂ）駆動オスプレイ類とした各種エネルギ保存サイクル合体機関及び合体方法。
【請求項２０９】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する二重反転機関（２Ｂ）駆動車両類とした各種エネルギ保存サイクル合体機関及び合体方法。
【請求項２１０】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する軸受荷重合体で０接近＋横軸軸受０接近（１ｆ）で二重反転の二重反転機関（２Ｂ）駆動船舶とした各種エネルギ保存サイクル合体機関及び合体方法。
【請求項２１１】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する軸受荷重合体で０接近＋横軸軸受０接近（１ｆ）で二重反転の二重反転機関（２Ｂ）駆動飛行機とした各種エネルギ保存サイクル合体機関及び合体方法。
【請求項２１２】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する軸受荷重合体で０接近＋横軸軸受０接近（１ｆ）で二重反転の二重反転機関（２Ｂ）駆動回転翼機とした各種エネルギ保存サイクル合体機関及び合体方法。
【請求項２１３】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する軸受荷重合体で０接近＋横軸軸受０接近（１ｆ）で二重反転の二重反転機関（２Ｂ）駆動オスプレイ類とした各種エネルギ保存サイクル合体機関及び合体方法。
【請求項２１４】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する軸受荷重合体で０接近＋横軸軸受０接近（１ｆ）で二重反転の二重反転機関（２Ｂ）駆動車両類とした各種エネルギ保存サイクル合体機関及び合体方法。
【請求項２１５】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する軸受荷重合体で０接近＋横軸軸受０接近（１ｆ）で二重反転の二重反転機関（２Ｂ）駆動船舶とした各種エネルギ保存サイクル合体機関及び合体方法。
【請求項２１６】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する軸受荷重合体で０接近＋横軸軸受０接近（１ｆ）で二重反転の二重反転機関（２Ｂ）駆動飛行機とした各種エネルギ保存サイクル合体機関及び合体方法。
【請求項２１７】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋過熱蒸気噴射用の静翼（６Ｇ）より噴射する軸受荷重合体で０接近＋横軸軸受０接近（１ｆ）で二重反転の二重反転機関（２Ｂ）駆動回転翼機とした各種エネルギ保存サイクル合体機関及び合体方法。
【請求項２１８】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より噴射する軸受荷重合体で０接近＋横軸軸受０接近（１ｆ）で二重反転の二重反転機関（２Ｂ）駆動オスプレイ類とした各種エネルギ保存サイクル合体機関及び合体方法。
【請求項２１９】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射する軸受荷重合体で０接近＋横軸軸受０接近（１ｆ）で二重反転の二重反転機関（２Ｂ）駆動車両類とした各種エネルギ保存サイクル合体機関及び合体方法。
【請求項２２０】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動する二重反転機関（２Ｂ）駆動船舶とした各種エネルギ保存サイクル合体機関及び合体方法。
【請求項２２１】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動発電機（１）で発電する飛行機とした各種エネルギ保存サイクル合体機関及び合体方法。
【請求項２２２】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動発電機（１）で発電蓄電池（１Ａ）に蓄電する回転翼機とした各種エネルギ保存サイクル合体機関及び合体方法。
【請求項２２３】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動発電機（１）で発電蓄電池（１Ａ）に蓄電するオスプレイ類とした各種エネルギ保存サイクル合体機関及び合体方法。
【請求項２２４】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動発電機（１）で発電蓄電池（１Ａ）に蓄電蓄電池駆動車輪（４Ｊ）を駆動する車両類とした各種エネルギ保存サイクル合体機関及び合体方法。
【請求項２２５】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動する船舶とした各種エネルギ保存サイクル合体機関及び合体方法。
【請求項２２６】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動スクリュウ（７Ｃ）駆動二重反転船舶（１Ｃ）駆動する各種エネルギ保存サイクル合体機関及び合体方法。
【請求項２２７】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動スクリュウ（７Ｃ）駆動二重反転機関（２Ｂ）排気で噴射推進二重反転船舶（１Ｃ）駆動する各種エネルギ保存サイクル合体機関及び合体方法。
【請求項２２８】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動スクリュウ（７Ｃ）駆動二重反転機関（２Ｂ）排気を先頭船底に噴射して噴射推進二重反転船舶（１Ｃ）駆動する各種エネルギ保存サイクル合体機関及び合体方法。
【請求項２２９】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動プロペラ（７Ａ）駆動する各種エネルギ保存サイクル合体機関及び合体方法。
【請求項２３０】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動プロペラ（７Ａ）駆動二重反転飛行機（１Ｅ）駆動する各種エネルギ保存サイクル合体機関及び合体方法。
【請求項２３１】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動プロペラ（７Ａ）駆動二重反転機関（２Ｂ）排気を噴射して二重反転飛行機（１Ｅ）駆動する各種エネルギ保存サイクル合体機関及び合体方法。
【請求項２３２】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備した二重反転噴射機関（２Ｅ）駆動とした各種エネルギ保存サイクル合体機関及び合体方法。
【請求項２３３】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの１、５倍とした二重反転噴射機関（２Ｅ）駆動とした各種エネルギ保存サイクル合体機関及び合体方法。
【請求項２３４】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２倍とした二重反転噴射機関（２Ｅ）駆動とした各種エネルギ保存サイクル合体機関及び合体方法。
【請求項２３５】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２、５倍とした二重反転噴射機関（２Ｅ）駆動とした各種エネルギ保存サイクル合体機関及び合体方法。
【請求項２３６】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より噴射する二重反転噴射機関（２Ｅ）駆動とした各種エネルギ保存サイクル合体機関及び合体方法。
【請求項２３７】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を噴射する二重反転噴射機関（２Ｅ）駆動とした各種エネルギ保存サイクル合体機関及び合体方法。
【請求項２３８】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射する二重反転噴射機関（２Ｅ）駆動とした各種エネルギ保存サイクル合体機関及び合体方法。
【請求項２３９】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する二重反転噴射機関（２Ｅ）駆動とした各種エネルギ保存サイクル合体機関及び合体方法。
【請求項２４０】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する二重反転噴射機関（２Ｅ）駆動とした各種エネルギ保存サイクル合体機関及び合体方法。
【請求項２４１】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する二重反転噴射機関（２Ｅ）駆動とした各種エネルギ保存サイクル合体機関及び合体方法。
【請求項２４２】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する軸受荷重合体で０接近＋横軸軸受０接近（１ｆ）で二重反転の二重反転機関（２Ｂ）駆動製氷設備とした各種エネルギ保存サイクル合体機関及び合体方法。
【請求項２４３】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する軸受荷重合体で０接近＋横軸軸受０接近（１ｆ）で二重反転の二重反転機関（２Ｂ）駆動製氷設備とした各種エネルギ保存サイクル合体機関及び合体方法。
【請求項２４４】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する軸受荷重合体で０接近＋横軸軸受０接近（１ｆ）で二重反転の二重反転機関（２Ｂ）駆動製氷設備とした各種エネルギ保存サイクル合体機関及び合体方法。
【請求項２４５】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する軸受荷重合体で０接近＋横軸軸受０接近（１ｆ）で二重反転の二重反転機関（２Ｂ）駆動製氷設備とした各種エネルギ保存サイクル合体機関及び合体方法。
【請求項２４６】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する軸受荷重合体で０接近＋横軸軸受０接近（１ｆ）で二重反転の二重反転機関（２Ｂ）駆動製氷設備とした各種エネルギ保存サイクル合体機関及び合体方法。
【請求項２４７】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する軸受荷重合体で０接近＋横軸軸受０接近（１ｆ）で二重反転の二重反転機関（２Ｂ）駆動製氷設備とした各種エネルギ保存サイクル合体機関及び合体方法。
【請求項２４８】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する軸受荷重合体で０接近＋横軸軸受０接近（１ｆ）で二重反転の二重反転機関（２Ｂ）駆動製氷設備とした各種エネルギ保存サイクル合体機関及び合体方法。
【請求項２４９】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項２５０】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項２５１】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項２５２】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項２５３】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動する二重反転噴射機関（２Ｅ）駆動とした各種エネルギ保存サイクル合体機関及び合体方法。
【請求項２５４】
圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項２５５】
ロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項２５６】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項２５７】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項２５８】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射する各種エネルギ保存サイクル合体機関及び合体方法。
【請求項２５９】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射船舶（１Ｆ）駆動する各種エネルギ保存サイクル合体機関及び合体方法。
【請求項２６０】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射で噴射推進二重反転噴射船舶（１Ｆ）駆動する各種エネルギ保存サイクル合体機関及び合体方法。
【請求項２６１】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して噴射推進二重反転噴射船舶（１Ｆ）駆動する各種エネルギ保存サイクル合体機関及び合体方法。
【請求項２６２】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射する各種エネルギ保存サイクル合体機関及び合体方法。
【請求項２６３】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射船舶（１Ｆ）駆動する各種エネルギ保存サイクル合体機関及び合体方法。
【請求項２６４】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射飛行機（１Ｇ）駆動する各種エネルギ保存サイクル合体機関及び合体方法。
【請求項２６５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）駆動回転翼機にする各種エネルギ保存サイクル合体機関及び合体方法。
【請求項２６６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）駆動二重反転自動車（１Ｂ）にする各種エネルギ保存サイクル合体機関及び合体方法。
【請求項２６７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）駆動二重反転船舶（１Ｃ）にする各種エネルギ保存サイクル合体機関及び合体方法。
【請求項２６８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）駆動二重反転飛行機（１Ｅ）にする各種エネルギ保存サイクル合体機関及び合体方法。
【請求項２６９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）駆動回転翼飛行機（１Ｉ）にする各種エネルギ保存サイクル合体機関及び合体方法。
【請求項２７０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動にする各種エネルギ保存サイクル合体機関及び合体方法。
【請求項２７１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動二重反転噴射船舶（１Ｆ）にする各種エネルギ保存サイクル合体機関及び合体方法。
【請求項２７２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動二重反転噴射飛行機（１Ｇ）にする各種エネルギ保存サイクル合体機関及び合体方法。
【請求項２７３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動回転翼噴射飛行機（１Ｊ）にする各種エネルギ保存サイクル合体機関及び合体方法。
【請求項２７４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転空気噴射機関（２Ｆ）駆動二重反転噴射船舶（１Ｆ）にする各種エネルギ保存サイクル合体機関及び合体方法。
【請求項２７５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし筒具備空気吸引加速する二重反転空気噴射機関（２Ｆ）駆動二重反転噴射船舶（１Ｆ）にする各種エネルギ保存サイクル合体機関及び合体方法。
【請求項２７６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし半筒具備空気吸引加速する二重反転空気噴射機関（２Ｆ）駆動二重反転噴射船舶（１Ｆ）にする各種エネルギ保存サイクル合体機関及び合体方法。
【請求項２７７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし筒具備空気吸引加速する二重反転空気噴射機関（２Ｆ）駆動二重反転噴射船舶（１Ｆ）にする各種エネルギ保存サイクル合体機関及び合体方法。
【請求項２７８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし筒具備空気吸引加速する二重反転空気噴射機関（２Ｆ）駆動二重反転船舶（１Ｃ）にする各種エネルギ保存サイクル合体機関及び合体方法。
【請求項２７９】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転機関（２Ｂ）駆動にする各種エネルギ保存サイクル合体機関及び合体方法。
【請求項２８０】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転機関（２Ｂ）駆動二重反転自動車（１Ｂ）にする各種エネルギ保存サイクル合体機関及び合体方法。
【請求項２８１】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転機関（２Ｂ）駆動二重反転船舶（１Ｃ）にする各種エネルギ保存サイクル合体機関及び合体方法。
【請求項２８２】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転機関（２Ｂ）駆動二重反転飛行機（１Ｅ）にする各種エネルギ保存サイクル合体機関及び合体方法。
【請求項２８３】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転機関（２Ｂ）駆動回転翼飛行機（１Ｉ）にする各種エネルギ保存サイクル合体機関及び合体方法。
【請求項２８４】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動にする各種エネルギ保存サイクル合体機関及び合体方法。
【請求項２８５】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動二重反転噴射船舶（１Ｆ）にする各種エネルギ保存サイクル合体機関及び合体方法。
【請求項２８６】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動二重反転噴射飛行機（１Ｇ）にする各種エネルギ保存サイクル合体機関及び合体方法。
【請求項２８７】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動回転翼噴射飛行機（１Ｊ）にする各種エネルギ保存サイクル合体機関及び合体方法。
【請求項２８８】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転空気噴射機関（２Ｆ）駆動二重反転噴射船舶（１Ｆ）にする各種エネルギ保存サイクル合体機関及び合体方法。
【請求項２８９】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし筒具備水速度加速する二重反転空気噴射機関（２Ｆ）駆動二重反転噴射船舶（１Ｆ）にする各種エネルギ保存サイクル合体機関及び合体方法。
【請求項２９０】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし半筒具備水速度加速する二重反転空気噴射機関（２Ｆ）駆動二重反転噴射船舶（１Ｆ）にする各種エネルギ保存サイクル合体機関及び合体方法。
【請求項２９１】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし筒具備空気吸引噴射量増大する二重反転空気噴射機関（２Ｆ）駆動二重反転噴射船舶（１Ｆ）にする各種エネルギ保存サイクル合体機関及び合体方法。
【請求項２９２】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし筒具備空気吸引噴射量増大水速度一部加速する二重反転空気噴射機関（２Ｆ）駆動二重反転噴射船舶（１Ｆ）にする各種エネルギ保存サイクル合体機関及び合体方法。
【請求項２９３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気と熱交換空気（２８ａ）熱製造エアコン駆動する各種エネルギ保存サイクル合体機関及び合体方法。
【請求項２９４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換空気（２８ａ）熱製造冷蔵庫駆動する各種エネルギ保存サイクル合体機関及び合体方法。
【請求項２９５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換の内側圧縮翼（８ｑ）外側圧縮翼（８ｒ）圧縮の空気（２８ａ）熱製造風呂水供給にする各種エネルギ保存サイクル合体機関及び合体方法。
【請求項２９６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換の内側圧縮翼（８ｑ）外側圧縮翼（８ｒ）圧縮水噴射冷却の空気（２８ａ）熱製造温水プール供給にする各種エネルギ保存サイクル合体機関及び合体方法。
【請求項２９７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換の内側圧縮翼（８ｑ）外側圧縮翼（８ｒ）圧縮水噴射冷却の高温水（５２ｂ）熱製造＋空気（２８ａ）熱製造温室供給にする各種エネルギ保存サイクル合体機関及び合体方法。
【請求項２９８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造給湯設備供給にする各種エネルギ保存サイクル合体機関及び合体方法。
【請求項２９９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にする各種エネルギ保存サイクル合体機関及び合体方法。
【請求項３００】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造エアコン駆動にする各種エネルギ保存サイクル合体機関及び合体方法。
【請求項３０１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造冷蔵庫駆動にする各種エネルギ保存サイクル合体機関及び合体方法。
【請求項３０２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして風呂水供給する各種エネルギ保存サイクル合体機関及び合体方法。
【請求項３０３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして温水プール供給する各種エネルギ保存サイクル合体機関及び合体方法。
【請求項３０４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして温室供給する各種エネルギ保存サイクル合体機関及び合体方法。
【請求項３０５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして給湯設備供給する各種エネルギ保存サイクル合体機関及び合体方法。
【請求項３０６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射発電する各種エネルギ保存サイクル合体機関及び合体方法。
【請求項３０７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射エアコン駆動する各種エネルギ保存サイクル合体機関及び合体方法。
【請求項３０８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射冷蔵庫駆動する各種エネルギ保存サイクル合体機関及び合体方法。
【請求項３０９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射風呂水供給する各種エネルギ保存サイクル合体機関及び合体方法。
【請求項３１０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼して温水プール供給する各種エネルギ保存サイクル合体機関及び合体方法。
【請求項３１１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼して温室供給する各種エネルギ保存サイクル合体機関及び合体方法。
【請求項３１２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼して給湯設備供給する各種エネルギ保存サイクル合体機関及び合体方法。
【請求項３１３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼して発電する各種エネルギ保存サイクル合体機関及び合体方法。
【請求項３１４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼過熱蒸気（５０）にしてエアコン駆動する各種エネルギ保存サイクル合体機関及び合体方法。
【請求項３１５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼過熱蒸気（５０）にして冷蔵庫駆動する各種エネルギ保存サイクル合体機関及び合体方法。
【請求項３１６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼過熱蒸気（５０）にして風呂水供給する各種エネルギ保存サイクル合体機関及び合体方法。
【請求項３１７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼過熱蒸気（５０）にして温水プール供給する各種エネルギ保存サイクル合体機関及び合体方法。
【請求項３１８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして温室供給する各種エネルギ保存サイクル合体機関及び合体方法。
【請求項３１９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして給湯設備供給する各種エネルギ保存サイクル合体機関及び合体方法。
【請求項３２０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして発電する各種エネルギ保存サイクル合体機関及び合体方法。
【請求項３２１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にしてエアコン駆動する各種エネルギ保存サイクル合体機関及び合体方法。
【請求項３２２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして冷蔵庫駆動する各種エネルギ保存サイクル合体機関及び合体方法。
【請求項３２３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして風呂水供給する各種エネルギ保存サイクル合体機関及び合体方法。
【請求項３２４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして温水プール供給する各種エネルギ保存サイクル合体機関及び合体方法。
【請求項３２５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして温室供給する各種エネルギ保存サイクル合体機関及び合体方法。
【請求項３２６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして給湯設備供給する各種エネルギ保存サイクル合体機関及び合体方法。
【請求項３２７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして発電する各種エネルギ保存サイクル合体機関及び合体方法。
【請求項３２８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にしてエアコン駆動する各種エネルギ保存サイクル合体機関及び合体方法。
【請求項３２９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして冷蔵庫駆動する各種エネルギ保存サイクル合体機関及び合体方法。
【請求項３３０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして風呂水供給する各種エネルギ保存サイクル合体機関及び合体方法。
【請求項３３１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして温水プール供給する各種エネルギ保存サイクル合体機関及び合体方法。
【請求項３３２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして温室供給する各種エネルギ保存サイクル合体機関及び合体方法。
【請求項３３３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして給湯設備供給する各種エネルギ保存サイクル合体機関及び合体方法。
【請求項３３４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして発電する各種エネルギ保存サイクル合体機関及び合体方法。
【請求項３３５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にしてエアコン駆動する各種エネルギ保存サイクル合体機関及び合体方法。
【請求項３３６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして冷蔵庫駆動する各種エネルギ保存サイクル合体機関及び合体方法。
【請求項３３７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして風呂水供給する各種エネルギ保存サイクル合体機関及び合体方法。
【請求項３３８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射温水プール供給する各種エネルギ保存サイクル合体機関及び合体方法。
【請求項３３９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射温室供給する各種エネルギ保存サイクル合体機関及び合体方法。
【請求項３４０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射給湯設備供給する各種エネルギ保存サイクル合体機関及び合体方法。
【請求項３４１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射発電する各種エネルギ保存サイクル合体機関及び合体方法。
【請求項３４２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射エアコン駆動する各種エネルギ保存サイクル合体機関及び合体方法。
【請求項３４３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射冷蔵庫駆動する各種エネルギ保存サイクル合体機関及び合体方法。
【請求項３４４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射風呂水供給する各種エネルギ保存サイクル合体機関及び合体方法。
【請求項３４５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射温水プール供給する各種エネルギ保存サイクル合体機関及び合体方法。
【請求項３４６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射温室供給する各種エネルギ保存サイクル合体機関及び合体方法。
【請求項３４７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射給湯設備供給する各種エネルギ保存サイクル合体機関及び合体方法。
【請求項３４８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射発電する各種エネルギ保存サイクル合体機関及び合体方法。
【請求項３４９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射エアコン駆動する各種エネルギ保存サイクル合体機関及び合体方法。
【請求項３５０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射冷蔵庫駆動する各種エネルギ保存サイクル合体機関及び合体方法。
【請求項３５１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射風呂水供給する各種エネルギ保存サイクル合体機関及び合体方法。
【請求項３５２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射温水プール供給する各種エネルギ保存サイクル合体機関及び合体方法。
【請求項３５３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射温室供給する各種エネルギ保存サイクル合体機関及び合体方法。
【請求項３５４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射給湯設備供給する各種エネルギ保存サイクル合体機関及び合体方法。
【請求項３５５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射発電する各種エネルギ保存サイクル合体機関及び合体方法。
【請求項３５６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射エアコン駆動する各種エネルギ保存サイクル合体機関及び合体方法。
【請求項３５７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射冷蔵庫駆動する各種エネルギ保存サイクル合体機関及び合体方法。
【請求項３５８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射二重反転機関（２Ｂ）で風呂水供給する各種エネルギ保存サイクル合体機関及び合体方法。
【請求項３５９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射二重反転機関（２Ｂ）で温水プール供給する各種エネルギ保存サイクル合体機関及び合体方法。
【請求項３６０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射二重反転機関（２Ｂ）で温室供給する各種エネルギ保存サイクル合体機関及び合体方法。
【請求項３６１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射二重反転機関（２Ｂ）で給湯設備供給する各種エネルギ保存サイクル合体機関及び合体方法。
【請求項３６２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射二重反転機関（２Ｂ）で発電する各種エネルギ保存サイクル合体機関及び合体方法。
【請求項３６３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射二重反転機関（２Ｂ）でエアコン駆動する各種エネルギ保存サイクル合体機関及び合体方法。
【請求項３６４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射二重反転機関（２Ｂ）で冷蔵庫駆動する各種エネルギ保存サイクル合体機関及び合体方法。
【請求項３６５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射二重反転機関（２Ｂ）で風呂水供給する各種エネルギ保存サイクル合体機関及び合体方法。
【請求項３６６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射二重反転機関（２Ｂ）で温水プール供給する各種エネルギ保存サイクル合体機関及び合体方法。
【請求項３６７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射二重反転機関（２Ｂ）で温室供給する各種エネルギ保存サイクル合体機関及び合体方法。
【請求項３６８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射二重反転機関（２Ｂ）で給湯設備供給する各種エネルギ保存サイクル合体機関及び合体方法。
【請求項３６９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射二重反転機関（２Ｂ）で発電する各種エネルギ保存サイクル合体機関及び合体方法。
【請求項３７０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射二重反転機関（２Ｂ）でエアコン駆動する各種エネルギ保存サイクル合体機関及び合体方法。
【請求項３７１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射二重反転機関（２Ｂ）で冷蔵庫駆動する各種エネルギ保存サイクル合体機関及び合体方法。
【請求項３７２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射二重反転機関（２Ｂ）で風呂水供給する各種エネルギ保存サイクル合体機関及び合体方法。
【請求項３７３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射二重反転機関（２Ｂ）で温水プール供給する各種エネルギ保存サイクル合体機関及び合体方法。
【請求項３７４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射二重反転機関（２Ｂ）で温室供給する各種エネルギ保存サイクル合体機関及び合体方法。
【請求項３７５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射二重反転機関（２Ｂ）で給湯設備供給する各種エネルギ保存サイクル合体機関及び合体方法。
【請求項３７６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射二重反転機関（２Ｂ）で発電する各種エネルギ保存サイクル合体機関及び合体方法。
【請求項３７７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射二重反転機関（２Ｂ）でエアコン駆動する各種エネルギ保存サイクル合体機関及び合体方法。
【請求項３７８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で冷蔵庫駆動する各種エネルギ保存サイクル合体機関及び合体方法。
【請求項３７９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で風呂水供給する各種エネルギ保存サイクル合体機関及び合体方法。
【請求項３８０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で温水プール供給する各種エネルギ保存サイクル合体機関及び合体方法。
【請求項３８１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で温室供給する各種エネルギ保存サイクル合体機関及び合体方法。
【請求項３８２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）で給湯設備供給する各種エネルギ保存サイクル合体機関及び合体方法。
【請求項３８３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）で発電する各種エネルギ保存サイクル合体機関及び合体方法。
【請求項３８４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）でエアコン駆動する各種エネルギ保存サイクル合体機関及び合体方法。
【請求項３８５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）で冷蔵庫駆動する各種エネルギ保存サイクル合体機関及び合体方法。
【請求項３８６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で風呂水供給する各種エネルギ保存サイクル合体機関及び合体方法。
【請求項３８７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で温水プール供給する各種エネルギ保存サイクル合体機関及び合体方法。
【請求項３８８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で温室供給する各種エネルギ保存サイクル合体機関及び合体方法。
【請求項３８９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で給湯設備供給する各種エネルギ保存サイクル合体機関及び合体方法。
【請求項３９０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）で発電する各種エネルギ保存サイクル合体機関及び合体方法。
【請求項３９１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）でエアコン駆動する各種エネルギ保存サイクル合体機関及び合体方法。
【請求項３９２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）で冷蔵庫駆動する各種エネルギ保存サイクル合体機関及び合体方法。
【請求項３９３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）で風呂水供給する各種エネルギ保存サイクル合体機関及び合体方法。
【請求項３９４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で温水プール供給する各種エネルギ保存サイクル合体機関及び合体方法。
【請求項３９５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で温室供給発電する各種エネルギ保存サイクル合体機関及び合体方法。
【請求項３９６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で給湯設備供給する各種エネルギ保存サイクル合体機関及び合体方法。
【請求項３９７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で発電する各種エネルギ保存サイクル合体機関及び合体方法。
【請求項３９８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換空気（２８ａ）熱製造温熱利用全盛冷熱利用全盛エアコン駆動にする各種エネルギ保存サイクル合体機関及び合体方法。
【請求項３９９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換空気（２８ａ）熱製造温熱利用全盛冷熱利用全盛冷蔵庫駆動にする各種エネルギ保存サイクル合体機関及び合体方法。
【請求項４００】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換の内側圧縮翼（８ｑ）外側圧縮翼（８ｒ）圧縮の空気（２８ａ）熱製造温熱利用全盛冷熱利用全盛風呂水供給にする各種エネルギ保存サイクル合体機関及び合体方法。
【請求項４０１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換の内側圧縮翼（８ｑ）外側圧縮翼（８ｒ）圧縮水噴射冷却の空気（２８ａ）熱製造温熱利用全盛冷熱利用全盛温水プール供給にする各種エネルギ保存サイクル合体機関及び合体方法。
【請求項４０２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛温室供給にする各種エネルギ保存サイクル合体機関及び合体方法。
【請求項４０３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛給湯設備供給にする各種エネルギ保存サイクル合体機関及び合体方法。
【請求項４０４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛の発電にする各種エネルギ保存サイクル合体機関及び合体方法。
【請求項４０５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛エアコン駆動にする各種エネルギ保存サイクル合体機関及び合体方法。
【請求項４０６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛冷蔵庫駆動にする各種エネルギ保存サイクル合体機関及び合体方法。
【請求項４０７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして風呂水供給する各種エネルギ保存サイクル合体機関及び合体方法。
【請求項４０８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして温水プール供給する各種エネルギ保存サイクル合体機関及び合体方法。
【請求項４０９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして温室供給する各種エネルギ保存サイクル合体機関及び合体方法。
【請求項４１０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして給湯設備供給する各種エネルギ保存サイクル合体機関及び合体方法。
【請求項４１１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射発電する各種エネルギ保存サイクル合体機関及び合体方法。
【請求項４１２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射エアコン駆動する各種エネルギ保存サイクル合体機関及び合体方法。
【請求項４１３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射冷蔵庫駆動する各種エネルギ保存サイクル合体機関及び合体方法。
【請求項４１４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射風呂水供給する各種エネルギ保存サイクル合体機関及び合体方法。
【請求項４１５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼して温水プール供給する各種エネルギ保存サイクル合体機関及び合体方法。
【請求項４１６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼して温室供給する各種エネルギ保存サイクル合体機関及び合体方法。
【請求項４１７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼して給湯設備供給する各種エネルギ保存サイクル合体機関及び合体方法。
【請求項４１８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼して発電する各種エネルギ保存サイクル合体機関及び合体方法。
【請求項４１９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼過熱蒸気（５０）にしてエアコン駆動する各種エネルギ保存サイクル合体機関及び合体方法。
【請求項４２０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼過熱蒸気（５０）にして冷蔵庫駆動する各種エネルギ保存サイクル合体機関及び合体方法。
【請求項４２１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼過熱蒸気（５０）にして風呂水供給する各種エネルギ保存サイクル合体機関及び合体方法。
【請求項４２２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼過熱蒸気（５０）にして温水プール供給する各種エネルギ保存サイクル合体機関及び合体方法。
【請求項４２３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして温室供給する各種エネルギ保存サイクル合体機関及び合体方法。
【請求項４２４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして給湯設備供給する各種エネルギ保存サイクル合体機関及び合体方法。
【請求項４２５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして発電する各種エネルギ保存サイクル合体機関及び合体方法。
【請求項４２６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にしてエアコン駆動する各種エネルギ保存サイクル合体機関及び合体方法。
【請求項４２７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして冷蔵庫駆動する各種エネルギ保存サイクル合体機関及び合体方法。
【請求項４２８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして風呂水供給する各種エネルギ保存サイクル合体機関及び合体方法。
【請求項４２９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして温水プール供給する各種エネルギ保存サイクル合体機関及び合体方法。
【請求項４３０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして温室供給する各種エネルギ保存サイクル合体機関及び合体方法。
【請求項４３１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして給湯設備供給する各種エネルギ保存サイクル合体機関及び合体方法。
【請求項４３２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして発電する各種エネルギ保存サイクル合体機関及び合体方法。
【請求項４３３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にしてエアコン駆動する各種エネルギ保存サイクル合体機関及び合体方法。
【請求項４３４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして冷蔵庫駆動する各種エネルギ保存サイクル合体機関及び合体方法。
【請求項４３５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして風呂水供給する各種エネルギ保存サイクル合体機関及び合体方法。
【請求項４３６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして温水プール供給する各種エネルギ保存サイクル合体機関及び合体方法。
【請求項４３７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして温室供給する各種エネルギ保存サイクル合体機関及び合体方法。
【請求項４３８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして給湯設備供給する各種エネルギ保存サイクル合体機関及び合体方法。
【請求項４３９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして発電する各種エネルギ保存サイクル合体機関及び合体方法。
【請求項４４０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にしてエアコン駆動する各種エネルギ保存サイクル合体機関及び合体方法。
【請求項４４１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして冷蔵庫駆動する各種エネルギ保存サイクル合体機関及び合体方法。
【請求項４４２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして風呂水供給する各種エネルギ保存サイクル合体機関及び合体方法。
【請求項４４３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射温水プール供給する各種エネルギ保存サイクル合体機関及び合体方法。
【請求項４４４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射温室供給する各種エネルギ保存サイクル合体機関及び合体方法。
【請求項４４５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射給湯設備供給する各種エネルギ保存サイクル合体機関及び合体方法。
【請求項４４６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射発電する各種エネルギ保存サイクル合体機関及び合体方法。
【請求項４４７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射エアコン駆動する各種エネルギ保存サイクル合体機関及び合体方法。
【請求項４４８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射冷蔵庫駆動する各種エネルギ保存サイクル合体機関及び合体方法。
【請求項４４９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射風呂水供給する各種エネルギ保存サイクル合体機関及び合体方法。
【請求項４５０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射温水プール供給する各種エネルギ保存サイクル合体機関及び合体方法。
【請求項４５１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射温室供給する各種エネルギ保存サイクル合体機関及び合体方法。
【請求項４５２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射給湯設備供給する各種エネルギ保存サイクル合体機関及び合体方法。
【請求項４５３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射発電する各種エネルギ保存サイクル合体機関及び合体方法。
【請求項４５４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射エアコン駆動する各種エネルギ保存サイクル合体機関及び合体方法。
【請求項４５５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射冷蔵庫駆動する各種エネルギ保存サイクル合体機関及び合体方法。
【請求項４５６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射風呂水供給する各種エネルギ保存サイクル合体機関及び合体方法。
【請求項４５７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射温水プール供給する各種エネルギ保存サイクル合体機関及び合体方法。
【請求項４５８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射温室供給する各種エネルギ保存サイクル合体機関及び合体方法。
【請求項４５９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射給湯設備供給する各種エネルギ保存サイクル合体機関及び合体方法。
【請求項４６０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射発電する各種エネルギ保存サイクル合体機関及び合体方法。
【請求項４６１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射エアコン駆動する各種エネルギ保存サイクル合体機関及び合体方法。
【請求項４６２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射冷蔵庫駆動する各種エネルギ保存サイクル合体機関及び合体方法。
【請求項４６３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射二重反転機関（２Ｂ）で風呂水供給する各種エネルギ保存サイクル合体機関及び合体方法。
【請求項４６４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射二重反転機関（２Ｂ）で温水プール供給する各種エネルギ保存サイクル合体機関及び合体方法。
【請求項４６５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射二重反転機関（２Ｂ）で温室供給する各種エネルギ保存サイクル合体機関及び合体方法。
【請求項４６６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射二重反転機関（２Ｂ）で給湯設備供給する各種エネルギ保存サイクル合体機関及び合体方法。
【請求項４６７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射二重反転機関（２Ｂ）で発電する各種エネルギ保存サイクル合体機関及び合体方法。
【請求項４６８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射二重反転機関（２Ｂ）でエアコン駆動する各種エネルギ保存サイクル合体機関及び合体方法。
【請求項４６９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射二重反転機関（２Ｂ）で冷蔵庫駆動する各種エネルギ保存サイクル合体機関及び合体方法。
【請求項４７０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射二重反転機関（２Ｂ）で風呂水供給する各種エネルギ保存サイクル合体機関及び合体方法。
【請求項４７１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射二重反転機関（２Ｂ）で温水プール供給する各種エネルギ保存サイクル合体機関及び合体方法。
【請求項４７２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射二重反転機関（２Ｂ）で温室供給する各種エネルギ保存サイクル合体機関及び合体方法。
【請求項４７３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射二重反転機関（２Ｂ）で給湯設備供給する各種エネルギ保存サイクル合体機関及び合体方法。
【請求項４７４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射二重反転機関（２Ｂ）で発電する各種エネルギ保存サイクル合体機関及び合体方法。
【請求項４７５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射二重反転機関（２Ｂ）でエアコン駆動する各種エネルギ保存サイクル合体機関及び合体方法。
【請求項４７６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射二重反転機関（２Ｂ）で冷蔵庫駆動する各種エネルギ保存サイクル合体機関及び合体方法。
【請求項４７７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射二重反転機関（２Ｂ）で風呂水供給する各種エネルギ保存サイクル合体機関及び合体方法。
【請求項４７８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射二重反転機関（２Ｂ）で温水プール供給する各種エネルギ保存サイクル合体機関及び合体方法。
【請求項４７９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射二重反転機関（２Ｂ）で温室供給する各種エネルギ保存サイクル合体機関及び合体方法。
【請求項４８０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射二重反転機関（２Ｂ）で給湯設備供給する各種エネルギ保存サイクル合体機関及び合体方法。
【請求項４８１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射二重反転機関（２Ｂ）で発電する各種エネルギ保存サイクル合体機関及び合体方法。
【請求項４８２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射二重反転機関（２Ｂ）でエアコン駆動する各種エネルギ保存サイクル合体機関及び合体方法。
【請求項４８３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で冷蔵庫駆動する各種エネルギ保存サイクル合体機関及び合体方法。
【請求項４８４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で風呂水供給する各種エネルギ保存サイクル合体機関及び合体方法。
【請求項４８５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で温水プール供給する各種エネルギ保存サイクル合体機関及び合体方法。
【請求項４８６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で温室供給する各種エネルギ保存サイクル合体機関及び合体方法。
【請求項４８７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）で給湯設備供給する各種エネルギ保存サイクル合体機関及び合体方法。
【請求項４８８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）で発電する各種エネルギ保存サイクル合体機関及び合体方法。
【請求項４８９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）でエアコン駆動する各種エネルギ保存サイクル合体機関及び合体方法。
【請求項４９０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）で冷蔵庫駆動する各種エネルギ保存サイクル合体機関及び合体方法。
【請求項４９１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で風呂水供給する各種エネルギ保存サイクル合体機関及び合体方法。
【請求項４９２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で温水プール供給する各種エネルギ保存サイクル合体機関及び合体方法。
【請求項４９３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で温室供給する各種エネルギ保存サイクル合体機関及び合体方法。
【請求項４９４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で給湯設備供給する各種エネルギ保存サイクル合体機関及び合体方法。
【請求項４９５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）で発電する各種エネルギ保存サイクル合体機関及び合体方法。
【請求項４９６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）でエアコン駆動する各種エネルギ保存サイクル合体機関及び合体方法。
【請求項４９７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）で冷蔵庫駆動する各種エネルギ保存サイクル合体機関及び合体方法。
【請求項４９８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）で風呂水供給する各種エネルギ保存サイクル合体機関及び合体方法。
【請求項４９９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で温水プール供給する各種エネルギ保存サイクル合体機関及び合体方法。
【請求項５００】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で温室供給する各種エネルギ保存サイクル合体機関及び合体方法。
【請求項５０１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で給湯設備供給する各種エネルギ保存サイクル合体機関及び合体方法。
【請求項５０２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で発電する各種エネルギ保存サイクル合体機関及び合体方法。
【請求項５０３】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とした二重反転噴射機関（２Ｅ）車両類駆動とした各種エネルギ保存サイクル合体機関及び合体方法。
【請求項５０４】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの１、５倍とした二重反転噴射機関（２Ｅ）駆動とした各種エネルギ保存サイクル合体機関及び合体方法。
【請求項５０５】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの２倍とした二重反転噴射機関（２Ｅ）駆動とした各種エネルギ保存サイクル合体機関及び合体方法。
【請求項５０６】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし圧縮圧力を既存ガスタービンの２、５倍とした二重反転噴射機関（２Ｅ）駆動とした各種エネルギ保存サイクル合体機関及び合体方法。
【請求項５０７】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より噴射する二重反転噴射機関（２Ｅ）駆動とした各種エネルギ保存サイクル合体機関及び合体方法。
【請求項５０８】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を噴射する二重反転噴射機関（２Ｅ）車両類駆動とした各種エネルギ保存サイクル合体機関及び合体方法。
【請求項５０９】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射する二重反転噴射機関（２Ｅ）駆動とした各種エネルギ保存サイクル合体機関及び合体方法。
【請求項５１０】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する二重反転噴射機関（２Ｅ）駆動とした各種エネルギ保存サイクル合体機関及び合体方法。
【請求項５１１】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する二重反転噴射機関（２Ｅ）駆動とした各種エネルギ保存サイクル合体機関及び合体方法。
【請求項５１２】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する二重反転噴射機関（２Ｅ）駆動とした各種エネルギ保存サイクル合体機関及び合体方法。
【請求項５１３】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する二重反転噴射機関（２Ｅ）車両類駆動とした各種エネルギ保存サイクル合体機関及び合体方法。
【請求項５１４】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項５１５】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項５１６】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項５１７】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項５１８】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する軸受荷重合体で０接近＋横軸軸受０接近（１ｆ）で二重反転の二重反転噴射機関（２Ｅ）車両類駆動とした各種エネルギ保存サイクル合体機関及び合体方法。
【請求項５１９】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項５２０】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項５２１】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋過熱蒸気噴射用の静翼（６Ｇ）より噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項５２２】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項５２３】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射する軸受荷重合体で０接近＋横軸軸受０接近（１ｆ）で二重反転の二重反転噴射機関（２Ｅ）車両類駆動とした各種エネルギ保存サイクル合体機関及び合体方法。
【請求項５２４】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動する二重反転噴射機関（２Ｅ）駆動とした各種エネルギ保存サイクル合体機関及び合体方法。
【請求項５２５】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動発電機（１）で発電する各種エネルギ保存サイクル合体機関及び合体方法。
【請求項５２６】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動発電機（１）で発電蓄電池（１Ａ）に蓄電する各種エネルギ保存サイクル合体機関及び合体方法。
【請求項５２７】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動発電機（１）で発電蓄電池（１Ａ）に蓄電蓄電池駆動車輪（４Ｊ）を駆動する各種エネルギ保存サイクル合体機関及び合体方法。
【請求項５２８】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動発電機（１）で発電蓄電池（１Ａ）に蓄電蓄電池駆動車輪（４Ｊ）を駆動する車両類とした各種エネルギ保存サイクル合体機関及び合体方法。
【請求項５２９】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動スクリュウ（７Ｃ）駆動する各種エネルギ保存サイクル合体機関及び合体方法。
【請求項５３０】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動スクリュウ（７Ｃ）駆動二重反転船舶（１Ｃ）駆動する各種エネルギ保存サイクル合体機関及び合体方法。
【請求項５３１】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動スクリュウ（７Ｃ）駆動二重反転噴射機関（２Ｅ）排気で噴射推進二重反転船舶（１Ｃ）駆動する各種エネルギ保存サイクル合体機関及び合体方法。
【請求項５３２】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動スクリュウ（７Ｃ）駆動二重反転噴射機関（２Ｅ）排気を先頭船底に噴射して噴射推進二重反転船舶（１Ｃ）駆動する各種エネルギ保存サイクル合体機関及び合体方法。
【請求項５３３】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動車両類駆動する各種エネルギ保存サイクル合体機関及び合体方法。
【請求項５３４】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動プロペラ（７Ａ）駆動二重反転飛行機（１Ｅ）駆動する各種エネルギ保存サイクル合体機関及び合体方法。
【請求項５３５】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を軸受荷重合体で０接近＋横軸軸受０接近（１ｆ）で二重反転駆動プロペラ（７Ａ）駆動二重反転噴射機関（２Ｅ）排気を噴射して二重反転飛行機（１Ｅ）駆動する各種エネルギ保存サイクル合体機関及び合体方法。
【請求項５３６】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備した二重反転噴射機関（２Ｅ）駆動とした各種エネルギ保存サイクル合体機関及び合体方法。
【請求項５３７】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの１、５倍とした二重反転噴射機関（２Ｅ）駆動とした各種エネルギ保存サイクル合体機関及び合体方法。
【請求項５３８】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２倍とした二重反転噴射機関（２Ｅ）車両類駆動とした各種エネルギ保存サイクル合体機関及び合体方法。
【請求項５３９】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２、５倍とした二重反転噴射機関（２Ｅ）駆動とした各種エネルギ保存サイクル合体機関及び合体方法。
【請求項５４０】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より噴射する二重反転噴射機関（２Ｅ）駆動とした各種エネルギ保存サイクル合体機関及び合体方法。
【請求項５４１】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を噴射する二重反転噴射機関（２Ｅ）駆動とした各種エネルギ保存サイクル合体機関及び合体方法。
【請求項５４２】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射する二重反転噴射機関（２Ｅ）駆動とした各種エネルギ保存サイクル合体機関及び合体方法。
【請求項５４３】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する二重反転噴射機関（２Ｅ）車両類駆動とした各種エネルギ保存サイクル合体機関及び合体方法。
【請求項５４４】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する二重反転噴射機関（２Ｅ）駆動とした各種エネルギ保存サイクル合体機関及び合体方法。
【請求項５４５】
圧縮機外箱（７７ｂ）入口に静翼（６Ｇ）と水噴射冷却を具備して他は全部動翼の両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する二重反転噴射機関（２Ｅ）駆動とした各種エネルギ保存サイクル合体機関及び合体方法。
【請求項５４６】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項５４７】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項５４８】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する軸受荷重合体で０接近＋横軸軸受０接近（１ｆ）で二重反転の二重反転噴射機関（２Ｅ）車両類駆動とした各種エネルギ保存サイクル合体機関及び合体方法。
【請求項５４９】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項５５０】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項５５１】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項５５２】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する軸受荷重合体で０接近＋横軸軸受０接近（１ｆ）で二重反転の二重反転噴射機関（２Ｅ）駆動とした各種エネルギ保存サイクル合体機関及び合体方法。
【請求項５５３】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する軸受荷重合体で０接近＋横軸軸受０接近（１ｆ）で二重反転の二重反転噴射機関（２Ｅ）車両類駆動とした各種エネルギ保存サイクル合体機関及び合体方法。
【請求項５５４】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項５５５】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項５５６】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射する軸受荷重合体で０接近＋横軸軸受０接近（１ｆ）で二重反転の二重反転噴射機関（２Ｅ）駆動とした各種エネルギ保存サイクル合体機関及び合体方法。
【請求項５５７】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動する二重反転噴射機関（２Ｅ）駆動とした各種エネルギ保存サイクル合体機関及び合体方法。
【請求項５５８】
圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射回転力増大して車両類駆動する各種エネルギ保存サイクル合体機関及び合体方法。
【請求項５５９】
ロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項５６０】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項５６１】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項５６２】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射する各種エネルギ保存サイクル合体機関及び合体方法。
【請求項５６３】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射してオスプレイ大型（１Ｎ）駆動する各種エネルギ保存サイクル合体機関及び合体方法。
【請求項５６４】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射で噴射推進オスプレイ大型（１Ｎ）駆動する各種エネルギ保存サイクル合体機関及び合体方法。
【請求項５６５】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して噴射推進オスプレイ大型（１Ｎ）駆動する各種エネルギ保存サイクル合体機関及び合体方法。
【請求項５６６】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射特大オスプレイ（１ｚ）駆動する各種エネルギ保存サイクル合体機関及び合体方法。
【請求項５６７】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射してオスプレイ大型（１Ｎ）駆動する各種エネルギ保存サイクル合体機関及び合体方法。
【請求項５６８】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射両側中心支持軸受荷重合体０接近＋横軸軸受０接近（１ｆ）の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して特大オスプレイ（１ｚ）駆動する各種エネルギ保存サイクル合体機関及び合体方法。
【請求項５６９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）特大オスプレイ（１ｚ）駆動にする各種エネルギ保存サイクル合体機関及び合体方法。
【請求項５７０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動特大オスプレイ（１ｚ）にする各種エネルギ保存サイクル合体機関及び合体方法。
【請求項５７１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動大型オスプレイ（１ｙ）にする各種エネルギ保存サイクル合体機関及び合体方法。
【請求項５７２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動車両類にする各種エネルギ保存サイクル合体機関及び合体方法。
【請求項５７３】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動船舶類にする各種エネルギ保存サイクル合体機関及び合体方法。
【請求項５７４】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動飛行機類にする各種エネルギ保存サイクル合体機関及び合体方法。
【請求項５７５】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動回転翼機にする各種エネルギ保存サイクル合体機関及び合体方法。
【請求項５７６】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動オスプレイ類にする各種エネルギ保存サイクル合体機関及び合体方法。
【請求項５７７】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動回転翼機類にする各種エネルギ保存サイクル合体機関及び合体方法。
【請求項５７８】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし二重反転噴射機関（２Ｅ）駆動オスプレイ大型（１Ｎ）にする各種エネルギ保存サイクル合体機関及び合体方法。
【請求項５７９】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし筒具備空気吸引加速する二重反転空気噴射機関（２Ｆ）駆動船舶にする各種エネルギ保存サイクル合体機関及び合体方法。
【請求項５８０】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし半筒具備空気吸引加速する二重反転空気噴射機関（２Ｆ）駆動船舶にする各種エネルギ保存サイクル合体機関及び合体方法。
【請求項５８１】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし筒具備空気吸引加速する二重反転空気噴射機関（２Ｆ）駆動船舶にする各種エネルギ保存サイクル合体機関及び合体方法。
【請求項５８２】
両側中心支持軸受荷重合体０接近＋横軸軸受０接近（１ｆ）の内側軸装置（６０Ａ）外側軸装置（６０Ｂ）の内側圧縮翼（８ｑ）外側圧縮翼（８ｒ）とし筒具備空気吸引加速する二重反転空気噴射機関（２Ｆ）駆動二重反転噴射船舶（１Ｆ）にする各種エネルギ保存サイクル合体機関及び合体方法。
【請求項５８３】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動船舶にする各種エネルギ保存サイクル合体機関及び合体方法。
【請求項５８４】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動飛行機にする各種エネルギ保存サイクル合体機関及び合体方法。
【請求項５８５】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動回転翼機にする各種エネルギ保存サイクル合体機関及び合体方法。
【請求項５８６】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動二重反転飛行機（１Ｅ）にする各種エネルギ保存サイクル合体機関及び合体方法。
【請求項５８７】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動オスフレイ類にする各種エネルギ保存サイクル合体機関及び合体方法。
【請求項５８８】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動車両類にする各種エネルギ保存サイクル合体機関及び合体方法。
【請求項５８９】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動オスプレイ大型（１Ｎ）にする各種エネルギ保存サイクル合体機関及び合体方法。
【請求項５９０】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動船舶にする各種エネルギ保存サイクル合体機関及び合体方法。
【請求項５９１】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動飛行機にする各種エネルギ保存サイクル合体機関及び合体方法。
【請求項５９２】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし二重反転噴射機関（２Ｅ）駆動オスプレイ大型（１Ｎ）にする各種エネルギ保存サイクル合体機関及び合体方法。
【請求項５９３】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし回転翼兼プロペラ（７Ａ）具備二重反転噴射機関（２Ｅ）駆動オスプレイ大型（１Ｎ）にする各種エネルギ保存サイクル合体機関及び合体方法。
【請求項５９４】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし回転翼兼プロペラ（７Ａ）複数具備二重反転噴射機関（２Ｅ）駆動オスプレイ大型（１Ｎ）にする各種エネルギ保存サイクル合体機関及び合体方法。
【請求項５９５】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし回転翼兼プロペラ（７Ａ）４組具備二重反転噴射機関（２Ｅ）駆動オスプレイ大型（１Ｎ）にする各種エネルギ保存サイクル合体機関及び合体方法。
【請求項５９６】
両側中心支持軸受荷重合体０接近＋横軸軸受０接近（１ｆ）の内側軸装置（６０Ａ）外側軸装置（６０Ｂ）の内側出力翼（８ｓ）外側出力翼（８ｔ）とし回転翼兼プロペラ（７Ａ）円筒回転部（７７Ｇ）具備二重反転噴射機関（２Ｅ）駆動オスプレイ大型（１Ｎ）にする各種エネルギ保存サイクル合体機関及び合体方法。
【請求項５９７】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とした各種エネルギ保存サイクル合体機関及び合体方法。
【請求項５９８】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの１、５倍とした各種エネルギ保存サイクル合体機関及び合体方法。
【請求項５９９】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの２倍とした各種エネルギ保存サイクル合体機関及び合体方法。
【請求項６００】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの２、５倍とした各種エネルギ保存サイクル合体機関及び合体方法。
【請求項６０１】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より噴射する各種エネルギ保存サイクル合体機関及び合体方法。
【請求項６０２】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を噴射する各種エネルギ保存サイクル合体機関及び合体方法。
【請求項６０３】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射する各種エネルギ保存サイクル合体機関及び合体方法。
【請求項６０４】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する各種エネルギ保存サイクル合体機関及び合体方法。
【請求項６０５】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する各種エネルギ保存サイクル合体機関及び合体方法。
【請求項６０６】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する各種エネルギ保存サイクル合体機関及び合体方法。
【請求項６０７】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する各種エネルギ保存サイクル合体機関及び合体方法。
【請求項６０８】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する各種エネルギ保存サイクル合体機関及び合体方法。
【請求項６０９】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する各種エネルギ保存サイクル合体機関及び合体方法。
【請求項６１０】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する各種エネルギ保存サイクル合体機関及び合体方法。
【請求項６１１】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する各種エネルギ保存サイクル合体機関及び合体方法。
【請求項６１２】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する各種エネルギ保存サイクル合体機関及び合体方法。
【請求項６１３】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する各種エネルギ保存サイクル合体機関及び合体方法。
【請求項６１４】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する各種エネルギ保存サイクル合体機関及び合体方法。
【請求項６１５】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋過熱蒸気噴射用の静翼（６Ｇ）より噴射する各種エネルギ保存サイクル合体機関及び合体方法。
【請求項６１６】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より噴射する各種エネルギ保存サイクル合体機関及び合体方法。
【請求項６１７】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射する各種エネルギ保存サイクル合体機関及び合体方法。
【請求項６１８】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動する各種エネルギ保存サイクル合体機関及び合体方法。
【請求項６１９】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電する各種エネルギ保存サイクル合体機関及び合体方法。
【請求項６２０】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電する各種エネルギ保存サイクル合体機関及び合体方法。
【請求項６２１】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電蓄電池駆動車輪（４Ｊ）を駆動する各種エネルギ保存サイクル合体機関及び合体方法。
【請求項６２２】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電蓄電池駆動車輪（４Ｊ）を駆動する二重反転自動車（１Ｂ）とした各種エネルギ保存サイクル合体機関及び合体方法。
【請求項６２３】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動する各種エネルギ保存サイクル合体機関及び合体方法。
【請求項６２４】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動二重反転船舶（１Ｃ）駆動する各種エネルギ保存サイクル合体機関及び合体方法。
【請求項６２５】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動二重反転機関（２Ｂ）排気で噴射推進二重反転船舶（１Ｃ）駆動する各種エネルギ保存サイクル合体機関及び合体方法。
【請求項６２６】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動二重反転機関（２Ｂ）排気を先頭船底に噴射して噴射推進二重反転船舶（１Ｃ）駆動する各種エネルギ保存サイクル合体機関及び合体方法。
【請求項６２７】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動プロペラ（７Ａ）駆動する各種エネルギ保存サイクル合体機関及び合体方法。
【請求項６２８】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動プロペラ（７Ａ）駆動二重反転飛行機（１Ｅ）駆動する各種エネルギ保存サイクル合体機関及び合体方法。
【請求項６２９】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動プロペラ（７Ａ）駆動二重反転機関（２Ｂ）排気を噴射して二重反転飛行機（１Ｅ）駆動する各種エネルギ保存サイクル合体機関及び合体方法。
【請求項６３０】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備した各種エネルギ保存サイクル合体機関及び合体方法。
【請求項６３１】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの１、５倍とした各種エネルギ保存サイクル合体機関及び合体方法。
【請求項６３２】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２倍とした各種エネルギ保存サイクル合体機関及び合体方法。
【請求項６３３】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２、５倍とした各種エネルギ保存サイクル合体機関及び合体方法。
【請求項６３４】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より噴射する各種エネルギ保存サイクル合体機関及び合体方法。
【請求項６３５】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を噴射する各種エネルギ保存サイクル合体機関及び合体方法。
【請求項６３６】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射する各種エネルギ保存サイクル合体機関及び合体方法。
【請求項６３７】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する各種エネルギ保存サイクル合体機関及び合体方法。
【請求項６３８】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する各種エネルギ保存サイクル合体機関及び合体方法。
【請求項６３９】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する各種エネルギ保存サイクル合体機関及び合体方法。
【請求項６４０】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する各種エネルギ保存サイクル合体機関及び合体方法。
【請求項６４１】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する各種エネルギ保存サイクル合体機関及び合体方法。
【請求項６４２】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する各種エネルギ保存サイクル合体機関及び合体方法。
【請求項６４３】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する各種エネルギ保存サイクル合体機関及び合体方法。
【請求項６４４】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する各種エネルギ保存サイクル合体機関及び合体方法。
【請求項６４５】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する各種エネルギ保存サイクル合体機関及び合体方法。
【請求項６４６】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する各種エネルギ保存サイクル合体機関及び合体方法。
【請求項６４７】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する各種エネルギ保存サイクル合体機関及び合体方法。
【請求項６４８】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射する各種エネルギ保存サイクル合体機関及び合体方法。
【請求項６４９】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より噴射する各種エネルギ保存サイクル合体機関及び合体方法。
【請求項６５０】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射する各種エネルギ保存サイクル合体機関及び合体方法。
【請求項６５１】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動する各種エネルギ保存サイクル合体機関及び合体方法。
【請求項６５２】
ロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動回転翼噴射飛行機（１Ｊ）駆動する各種エネルギ保存サイクル合体機関及び合体方法。
【請求項６５３】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動回転翼噴射飛行機（１Ｊ）駆動する各種エネルギ保存サイクル合体機関及び合体方法。
【請求項６５４】
全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動回転翼噴射飛行機（１Ｊ）を駆動する各種エネルギ保存サイクル合体機関及び合体方法。
【請求項６５５】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動回転翼噴射飛行機（１Ｊ）を駆動する各種エネルギ保存サイクル合体機関及び合体方法。
【請求項６５６】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動する各種エネルギ保存サイクル合体機関及び合体方法。
【請求項６５７】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射船舶（１Ｆ）駆動する各種エネルギ保存サイクル合体機関及び合体方法。
【請求項６５８】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部噴射で噴射推進二重反転噴射船舶（１Ｆ）駆動する各種エネルギ保存サイクル合体機関及び合体方法。
【請求項６５９】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して噴射推進二重反転噴射船舶（１Ｆ）駆動する各種エネルギ保存サイクル合体機関及び合体方法。
【請求項６６０】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動する各種エネルギ保存サイクル合体機関及び合体方法。
【請求項６６１】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射飛行機（１Ｇ）駆動する各種エネルギ保存サイクル合体機関及び合体方法。
【請求項６６２】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射飛行機（１Ｇ）駆動する各種エネルギ保存サイクル合体機関及び合体方法。
【請求項６６３】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とした二重反転機関（２Ｂ）二重反転蒸気タービン（１ｐ）駆動とした各種エネルギ保存サイクル合体機関及び合体方法。
【請求項６６４】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの１、５倍とした二重反転機関（２Ｂ）二重反転蒸気タービン（１ｐ）駆動とした各種エネルギ保存サイクル合体機関及び合体方法。
【請求項６６５】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの２倍とした二重反転機関（２Ｂ）二重反転蒸気タービン（１ｐ）駆動とした各種エネルギ保存サイクル合体機関及び合体方法。
【請求項６６６】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの２、５倍とした二重反転機関（２Ｂ）二重反転蒸気タービン（１ｐ）駆動とした各種エネルギ保存サイクル合体機関及び合体方法。
【請求項６６７】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より噴射する二重反転機関（２Ｂ）二重反転蒸気タービン（１ｐ）駆動とした各種エネルギ保存サイクル合体機関及び合体方法。
【請求項６６８】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を噴射する二重反転機関（２Ｂ）二重反転蒸気タービン（１ｐ）駆動とした各種エネルギ保存サイクル合体機関及び合体方法。
【請求項６６９】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射する二重反転機関（２Ｂ）二重反転蒸気タービン（１ｐ）駆動とした各種エネルギ保存サイクル合体機関及び合体方法。
【請求項６７０】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する二重反転機関（２Ｂ）二重反転蒸気タービン（１ｐ）駆動とした各種エネルギ保存サイクル合体機関及び合体方法。
【請求項６７１】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する二重反転機関（２Ｂ）二重反転蒸気タービン（１ｐ）駆動とした各種エネルギ保存サイクル合体機関及び合体方法。
【請求項６７２】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する二重反転機関（２Ｂ）二重反転蒸気タービン（１ｐ）駆動とした各種エネルギ保存サイクル合体機関及び合体方法。
【請求項６７３】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する二重反転機関（２Ｂ）二重反転蒸気タービン（１ｐ）駆動とした各種エネルギ保存サイクル合体機関及び合体方法。
【請求項６７４】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する回転速度や周速度に合せた角度や曲線や回転半径二重反転とした圧縮翼や出力翼の二重反転機関（２Ｂ）二重反転蒸気タービン（１ｐ）駆動とした各種エネルギ保存サイクル合体機関及び合体方法。
【請求項６７５】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する回転速度や周速度に合せた角度や曲線や回転半径二重反転とした圧縮翼や出力翼の二重反転機関（２Ｂ）二重反転蒸気タービン（１ｐ）駆動とした各種エネルギ保存サイクル合体機関及び合体方法。
【請求項６７６】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する回転速度や周速度に合せた角度や曲線や回転半径二重反転とした圧縮翼や出力翼の二重反転機関（２Ｂ）二重反転蒸気タービン（１ｐ）駆動とした各種エネルギ保存サイクル合体機関及び合体方法。
【請求項６７７】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する回転速度や周速度に合せた角度や曲線や回転半径二重反転とした圧縮翼や出力翼の二重反転機関（２Ｂ）二重反転蒸気タービン（１ｐ）駆動とした各種エネルギ保存サイクル合体機関及び合体方法。
【請求項６７８】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する回転速度や周速度に合せた角度や曲線や回転半径二重反転とした圧縮翼や出力翼の二重反転機関（２Ｂ）二重反転蒸気タービン（１ｐ）駆動とした各種エネルギ保存サイクル合体機関及び合体方法。
【請求項６７９】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する回転速度や周速度に合せた角度や曲線や回転半径二重反転とした圧縮翼や出力翼の二重反転機関（２Ｂ）二重反転蒸気タービン（１ｐ）駆動とした各種エネルギ保存サイクル合体機関及び合体方法。
【請求項６８０】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造二重反転蒸気タービン（１ｐ）に噴射する回転速度や周速度に合せた角度や曲線や回転半径二重反転とした圧縮翼や出力翼の二重反転機関（２Ｂ）駆動とした各種エネルギ保存サイクル合体機関及び合体方法。
【請求項６８１】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造二重反転蒸気タービン（１ｐ）過熱蒸気噴射用の静翼（６Ｇ）より噴射する回転速度や周速度に合せた角度や曲線や回転半径二重反転とした圧縮翼や出力翼の二重反転機関（２Ｂ）駆動とした各種エネルギ保存サイクル合体機関及び合体方法。
【請求項６８２】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造二重反転蒸気タービン（１ｐ）二重反転機外箱（７７Ｃ）過熱蒸気噴射用の静翼（６Ｇ）より噴射する回転速度や周速度に合せた角度や曲線や回転半径二重反転とした圧縮翼や出力翼の二重反転機関（２Ｂ）駆動とした各種エネルギ保存サイクル合体機関及び合体方法。
【請求項６８３】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造二重反転蒸気タービン（１ｐ）二重反転機外箱（７７Ｃ）過熱蒸気噴射用の静翼（６Ｇ）より噴射合体タービン（３ｄ）同様に駆動する回転速度や周速度に合せた角度や曲線や回転半径二重反転とした圧縮翼や出力翼の二重反転機関（２Ｂ）駆動とした各種エネルギ保存サイクル合体機関及び合体方法。
【請求項６８４】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動する回転速度や周速度に合せた角度や曲線や回転半径二重反転とした圧縮翼や出力翼の二重反転機関（２Ｂ）駆動とした各種エネルギ保存サイクル合体機関及び合体方法。
【請求項６８５】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動発電機（１）で発電する各種エネルギ保存サイクル合体機関及び合体方法。
【請求項６８６】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動発電機（１）で発電蓄電池（１Ａ）に蓄電する各種エネルギ保存サイクル合体機関及び合体方法。
【請求項６８７】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動発電機（１）で発電蓄電池（１Ａ）に蓄電蓄電池駆動車輪（４Ｊ）を駆動する各種エネルギ保存サイクル合体機関及び合体方法。
【請求項６８８】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電蓄電池駆動車輪（４Ｊ）を駆動する回転速度や周速度に合せた角度や曲線や回転半径二重反転とした圧縮翼や出力翼の二重反転の二重反転自動車（１Ｂ）とした各種エネルギ保存サイクル合体機関及び合体方法。
【請求項６８９】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動スクリュウ（７Ｃ）駆動する各種エネルギ保存サイクル合体機関及び合体方法。
【請求項６９０】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動スクリュウ（７Ｃ）駆動二重反転船舶（１Ｃ）駆動する各種エネルギ保存サイクル合体機関及び合体方法。
【請求項６９１】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動スクリュウ（７Ｃ）駆動二重反転機関（２Ｂ）排気で噴射推進二重反転船舶（１Ｃ）駆動する各種エネルギ保存サイクル合体機関及び合体方法。
【請求項６９２】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動スクリュウ（７Ｃ）駆動二重反転機関（２Ｂ）排気を先頭船底に噴射して噴射推進二重反転船舶（１Ｃ）駆動する各種エネルギ保存サイクル合体機関及び合体方法。
【請求項６９３】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動プロペラ（７Ａ）駆動する各種エネルギ保存サイクル合体機関及び合体方法。
【請求項６９４】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動プロペラ（７Ａ）駆動二重反転飛行機（１Ｅ）駆動する各種エネルギ保存サイクル合体機関及び合体方法。
【請求項６９５】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動プロペラ（７Ａ）駆動二重反転機関（２Ｂ）排気を噴射して二重反転飛行機（１Ｅ）駆動する各種エネルギ保存サイクル合体機関及び合体方法。
【請求項６９６】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備した二重反転噴射機関（２Ｅ）駆動とした各種エネルギ保存サイクル合体機関及び合体方法。
【請求項６９７】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの１、５倍とした二重反転噴射機関（２Ｅ）駆動とした各種エネルギ保存サイクル合体機関及び合体方法。
【請求項６９８】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２倍とした二重反転噴射機関（２Ｅ）駆動とした各種エネルギ保存サイクル合体機関及び合体方法。
【請求項６９９】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２、５倍とした二重反転噴射機関（２Ｅ）駆動とした各種エネルギ保存サイクル合体機関及び合体方法。
【請求項７００】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より噴射する二重反転噴射機関（２Ｅ）駆動とした各種エネルギ保存サイクル合体機関及び合体方法。
【請求項７０１】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を噴射する二重反転噴射機関（２Ｅ）駆動とした各種エネルギ保存サイクル合体機関及び合体方法。
【請求項７０２】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射する二重反転噴射機関（２Ｅ）駆動とした各種エネルギ保存サイクル合体機関及び合体方法。
【請求項７０３】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する二重反転噴射機関（２Ｅ）駆動とした各種エネルギ保存サイクル合体機関及び合体方法。
【請求項７０４】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する二重反転噴射機関（２Ｅ）駆動とした各種エネルギ保存サイクル合体機関及び合体方法。
【請求項７０５】
圧縮機外箱（７７ｂ）入口に静翼（６Ｇ）を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する二重反転噴射機関（２Ｅ）駆動とした各種エネルギ保存サイクル合体機関及び合体方法。
【請求項７０６】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項７０７】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項７０８】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項７０９】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項７１０】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項７１１】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項７１２】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項７１３】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項７１４】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項７１５】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項７１６】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項７１７】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を回転速度や周速度に合せた角度や曲線や回転半径二重反転とした圧縮翼や出力翼の二重反転駆動する二重反転噴射機関（２Ｅ）駆動とした各種エネルギ保存サイクル合体機関及び合体方法。
【請求項７１８】
圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を回転速度や周速度に合せた角度や曲線や回転半径二重反転とした圧縮翼や出力翼の二重反転の二重反転噴射機関（２Ｅ）排気をロケット噴射部合流噴射して回転翼噴射飛行機（１Ｊ）駆動する各種エネルギ保存サイクル合体機関及び合体方法。
【請求項７１９】
ロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項７２０】
二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項７２１】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項７２２】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射する各種エネルギ保存サイクル合体機関及び合体方法。
【請求項７２３】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射船舶（１Ｆ）駆動する各種エネルギ保存サイクル合体機関及び合体方法。
【請求項７２４】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射で噴射推進二重反転噴射船舶（１Ｆ）駆動する各種エネルギ保存サイクル合体機関及び合体方法。
【請求項７２５】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して噴射推進二重反転噴射船舶（１Ｆ）駆動する各種エネルギ保存サイクル合体機関及び合体方法。
【請求項７２６】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射する各種エネルギ保存サイクル合体機関及び合体方法。
【請求項７２７】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射船舶（１Ｆ）駆動する各種エネルギ保存サイクル合体機関及び合体方法。
【請求項７２８】
外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射飛行機（１Ｇ）駆動する各種エネルギ保存サイクル合体機関及び合体方法。
【請求項７２９】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とした各種エネルギ保存サイクル合体機関及び合体方法。
【請求項７３０】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの１、５倍とした各種エネルギ保存サイクル合体機関及び合体方法。
【請求項７３１】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの２倍とした各種エネルギ保存サイクル合体機関及び合体方法。
【請求項７３２】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの２、５倍とした各種エネルギ保存サイクル合体機関及び合体方法。
【請求項７３３】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より噴射する各種エネルギ保存サイクル合体機関及び合体方法。
【請求項７３４】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を噴射する各種エネルギ保存サイクル合体機関及び合体方法。
【請求項７３５】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射する各種エネルギ保存サイクル合体機関及び合体方法。
【請求項７３６】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する各種エネルギ保存サイクル合体機関及び合体方法。
【請求項７３７】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する各種エネルギ保存サイクル合体機関及び合体方法。
【請求項７３８】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する各種エネルギ保存サイクル合体機関及び合体方法。
【請求項７３９】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する各種エネルギ保存サイクル合体機関及び合体方法。
【請求項７４０】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する各種エネルギ保存サイクル合体機関及び合体方法。
【請求項７４１】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する各種エネルギ保存サイクル合体機関及び合体方法。
【請求項７４２】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する各種エネルギ保存サイクル合体機関及び合体方法。
【請求項７４３】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する各種エネルギ保存サイクル合体機関及び合体方法。
【請求項７４４】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する各種エネルギ保存サイクル合体機関及び合体方法。
【請求項７４５】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する各種エネルギ保存サイクル合体機関及び合体方法。
【請求項７４６】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する各種エネルギ保存サイクル合体機関及び合体方法。
【請求項７４７】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋過熱蒸気噴射用の静翼（６Ｇ）より噴射する各種エネルギ保存サイクル合体機関及び合体方法。
【請求項７４８】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より噴射する各種エネルギ保存サイクル合体機関及び合体方法。
【請求項７４９】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射する各種エネルギ保存サイクル合体機関及び合体方法。
【請求項７５０】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動する各種エネルギ保存サイクル合体機関及び合体方法。
【請求項７５１】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電する各種エネルギ保存サイクル合体機関及び合体方法。
【請求項７５２】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電する各種エネルギ保存サイクル合体機関及び合体方法。
【請求項７５３】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電蓄電池駆動車輪（４Ｊ）を駆動する各種エネルギ保存サイクル合体機関及び合体方法。
【請求項７５４】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動発電機（１）で発電蓄電池（１Ａ）に蓄電蓄電池駆動車輪（４Ｊ）を駆動する二重反転自動車（１Ｂ）とした各種エネルギ保存サイクル合体機関及び合体方法。
【請求項７５５】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動する各種エネルギ保存サイクル合体機関及び合体方法。
【請求項７５６】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動二重反転船舶（１Ｃ）駆動する各種エネルギ保存サイクル合体機関及び合体方法。
【請求項７５７】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動二重反転機関（２Ｂ）排気で噴射推進二重反転船舶（１Ｃ）駆動する各種エネルギ保存サイクル合体機関及び合体方法。
【請求項７５８】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動スクリュウ（７Ｃ）駆動二重反転機関（２Ｂ）排気を先頭船底に噴射して噴射推進二重反転船舶（１Ｃ）駆動する各種エネルギ保存サイクル合体機関及び合体方法。
【請求項７５９】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動プロペラ（７Ａ）駆動する各種エネルギ保存サイクル合体機関及び合体方法。
【請求項７６０】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動プロペラ（７Ａ）駆動二重反転飛行機（１Ｅ）駆動する各種エネルギ保存サイクル合体機関及び合体方法。
【請求項７６１】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を二重反転駆動プロペラ（７Ａ）駆動二重反転機関（２Ｂ）排気を噴射して二重反転飛行機（１Ｅ）駆動する各種エネルギ保存サイクル合体機関及び合体方法。
【請求項７６２】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備した各種エネルギ保存サイクル合体機関及び合体方法。
【請求項７６３】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの１、５倍とした各種エネルギ保存サイクル合体機関及び合体方法。
【請求項７６４】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２倍とした各種エネルギ保存サイクル合体機関及び合体方法。
【請求項７６５】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２、５倍とした各種エネルギ保存サイクル合体機関及び合体方法。
【請求項７６６】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より噴射する各種エネルギ保存サイクル合体機関及び合体方法。
【請求項７６７】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を噴射する各種エネルギ保存サイクル合体機関及び合体方法。
【請求項７６８】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射する各種エネルギ保存サイクル合体機関及び合体方法。
【請求項７６９】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する各種エネルギ保存サイクル合体機関及び合体方法。
【請求項７７０】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する各種エネルギ保存サイクル合体機関及び合体方法。
【請求項７７１】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する各種エネルギ保存サイクル合体機関及び合体方法。
【請求項７７２】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する各種エネルギ保存サイクル合体機関及び合体方法。
【請求項７７３】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する各種エネルギ保存サイクル合体機関及び合体方法。
【請求項７７４】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する各種エネルギ保存サイクル合体機関及び合体方法。
【請求項７７５】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する各種エネルギ保存サイクル合体機関及び合体方法。
【請求項７７６】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する各種エネルギ保存サイクル合体機関及び合体方法。
【請求項７７７】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する各種エネルギ保存サイクル合体機関及び合体方法。
【請求項７７８】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する各種エネルギ保存サイクル合体機関及び合体方法。
【請求項７７９】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する各種エネルギ保存サイクル合体機関及び合体方法。
【請求項７８０】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射する各種エネルギ保存サイクル合体機関及び合体方法。
【請求項７８１】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より噴射する各種エネルギ保存サイクル合体機関及び合体方法。
【請求項７８２】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射する各種エネルギ保存サイクル合体機関及び合体方法。
【請求項７８３】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動する各種エネルギ保存サイクル合体機関及び合体方法。
【請求項７８４】
ロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動回転翼噴射飛行機（１Ｊ）駆動する各種エネルギ保存サイクル合体機関及び合体方法。
【請求項７８５】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動回転翼噴射飛行機（１Ｊ）駆動する各種エネルギ保存サイクル合体機関及び合体方法。
【請求項７８６】
全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動回転翼噴射飛行機（１Ｊ）を駆動する各種エネルギ保存サイクル合体機関及び合体方法。
【請求項７８７】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）よりロケット噴射部に合流噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動回転翼噴射飛行機（１Ｊ）を駆動する各種エネルギ保存サイクル合体機関及び合体方法。
【請求項７８８】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動する各種エネルギ保存サイクル合体機関及び合体方法。
【請求項７８９】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射船舶（１Ｆ）駆動する各種エネルギ保存サイクル合体機関及び合体方法。
【請求項７９０】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部噴射で噴射推進二重反転噴射船舶（１Ｆ）駆動する各種エネルギ保存サイクル合体機関及び合体方法。
【請求項７９１】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して噴射推進二重反転噴射船舶（１Ｆ）駆動する各種エネルギ保存サイクル合体機関及び合体方法。
【請求項７９２】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動する各種エネルギ保存サイクル合体機関及び合体方法。
【請求項７９３】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射飛行機（１Ｇ）駆動する各種エネルギ保存サイクル合体機関及び合体方法。
【請求項７９４】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射飛行機（１Ｇ）駆動する各種エネルギ保存サイクル合体機関及び合体方法。
【請求項７９５】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とした二重反転機関（２Ｂ）駆動車両類とした各種エネルギ保存サイクル合体機関及び合体方法。
【請求項７９６】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの１、５倍とした二重反転機関（２Ｂ）駆動船舶とした各種エネルギ保存サイクル合体機関及び合体方法。
【請求項７９７】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの２倍とした二重反転機関（２Ｂ）駆動飛行機とした各種エネルギ保存サイクル合体機関及び合体方法。
【請求項７９８】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの２、５倍とした二重反転機関（２Ｂ）駆動回転翼機とした各種エネルギ保存サイクル合体機関及び合体方法。
【請求項７９９】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より噴射する二重反転機関（２Ｂ）駆動オスプレイ類とした各種エネルギ保存サイクル合体機関及び合体方法。
【請求項８００】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を噴射する二重反転機関（２Ｂ）駆動車両類とした各種エネルギ保存サイクル合体機関及び合体方法。
【請求項８０１】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射する二重反転機関（２Ｂ）駆動船舶とした各種エネルギ保存サイクル合体機関及び合体方法。
【請求項８０２】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する二重反転機関（２Ｂ）駆動飛行機とした各種エネルギ保存サイクル合体機関及び合体方法。
【請求項８０３】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する二重反転機関（２Ｂ）駆動回転翼機とした各種エネルギ保存サイクル合体機関及び合体方法。
【請求項８０４】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する二重反転機関（２Ｂ）駆動オスプレイ類とした各種エネルギ保存サイクル合体機関及び合体方法。
【請求項８０５】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する二重反転機関（２Ｂ）駆動車両類とした各種エネルギ保存サイクル合体機関及び合体方法。
【請求項８０６】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する回転速度や周速度に合せた角度や曲線や回転半径二重反転とした圧縮翼や出力翼の二重反転の二重反転機関（２Ｂ）駆動船舶とした各種エネルギ保存サイクル合体機関及び合体方法。
【請求項８０７】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する回転速度や周速度に合せた角度や曲線や回転半径二重反転とした圧縮翼や出力翼の二重反転の二重反転機関（２Ｂ）駆動飛行機とした各種エネルギ保存サイクル合体機関及び合体方法。
【請求項８０８】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する回転速度や周速度に合せた角度や曲線や回転半径二重反転とした圧縮翼や出力翼の二重反転の二重反転機関（２Ｂ）駆動回転翼機とした各種エネルギ保存サイクル合体機関及び合体方法。
【請求項８０９】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する回転速度や周速度に合せた角度や曲線や回転半径二重反転とした圧縮翼や出力翼の二重反転の二重反転機関（２Ｂ）駆動オスプレイ類とした各種エネルギ保存サイクル合体機関及び合体方法。
【請求項８１０】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する回転速度や周速度に合せた角度や曲線や回転半径二重反転とした圧縮翼や出力翼の二重反転の二重反転機関（２Ｂ）駆動車両類とした各種エネルギ保存サイクル合体機関及び合体方法。
【請求項８１１】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する回転速度や周速度に合せた角度や曲線や回転半径二重反転とした圧縮翼や出力翼の二重反転の二重反転機関（２Ｂ）駆動船舶とした各種エネルギ保存サイクル合体機関及び合体方法。
【請求項８１２】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する回転速度や周速度に合せた角度や曲線や回転半径二重反転とした圧縮翼や出力翼の二重反転の二重反転機関（２Ｂ）駆動飛行機とした各種エネルギ保存サイクル合体機関及び合体方法。
【請求項８１３】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋過熱蒸気噴射用の静翼（６Ｇ）より噴射する回転速度や周速度に合せた角度や曲線や回転半径二重反転とした圧縮翼や出力翼の二重反転の二重反転機関（２Ｂ）駆動回転翼機とした各種エネルギ保存サイクル合体機関及び合体方法。
【請求項８１４】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より噴射する回転速度や周速度に合せた角度や曲線や回転半径二重反転とした圧縮翼や出力翼の二重反転の二重反転機関（２Ｂ）駆動オスプレイ類とした各種エネルギ保存サイクル合体機関及び合体方法。
【請求項８１５】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射する回転速度や周速度に合せた角度や曲線や回転半径二重反転とした圧縮翼や出力翼の二重反転の二重反転機関（２Ｂ）駆動車両類とした各種エネルギ保存サイクル合体機関及び合体方法。
【請求項８１６】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動する二重反転機関（２Ｂ）駆動船舶とした各種エネルギ保存サイクル合体機関及び合体方法。
【請求項８１７】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動発電機（１）で発電する飛行機とした各種エネルギ保存サイクル合体機関及び合体方法。
【請求項８１８】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動発電機（１）で発電蓄電池（１Ａ）に蓄電する回転翼機とした各種エネルギ保存サイクル合体機関及び合体方法。
【請求項８１９】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動発電機（１）で発電蓄電池（１Ａ）に蓄電するオスプレイ類とした各種エネルギ保存サイクル合体機関及び合体方法。
【請求項８２０】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動発電機（１）で発電蓄電池（１Ａ）に蓄電蓄電池駆動車輪（４Ｊ）を駆動する車両類とした各種エネルギ保存サイクル合体機関及び合体方法。
【請求項８２１】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動する船舶とした各種エネルギ保存サイクル合体機関及び合体方法。
【請求項８２２】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動スクリュウ（７Ｃ）駆動二重反転船舶（１Ｃ）駆動する各種エネルギ保存サイクル合体機関及び合体方法。
【請求項８２３】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動スクリュウ（７Ｃ）駆動二重反転機関（２Ｂ）排気で噴射推進二重反転船舶（１Ｃ）駆動する各種エネルギ保存サイクル合体機関及び合体方法。
【請求項８２４】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動スクリュウ（７Ｃ）駆動二重反転機関（２Ｂ）排気を先頭船底に噴射して噴射推進二重反転船舶（１Ｃ）駆動する各種エネルギ保存サイクル合体機関及び合体方法。
【請求項８２５】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動プロペラ（７Ａ）駆動する各種エネルギ保存サイクル合体機関及び合体方法。
【請求項８２６】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動プロペラ（７Ａ）駆動二重反転飛行機（１Ｅ）駆動する各種エネルギ保存サイクル合体機関及び合体方法。
【請求項８２７】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動プロペラ（７Ａ）駆動二重反転機関（２Ｂ）排気を噴射して二重反転飛行機（１Ｅ）駆動する各種エネルギ保存サイクル合体機関及び合体方法。
【請求項８２８】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備した二重反転噴射機関（２Ｅ）駆動とした各種エネルギ保存サイクル合体機関及び合体方法。
【請求項８２９】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの１、５倍とした二重反転噴射機関（２Ｅ）駆動とした各種エネルギ保存サイクル合体機関及び合体方法。
【請求項８３０】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２倍とした二重反転噴射機関（２Ｅ）駆動とした各種エネルギ保存サイクル合体機関及び合体方法。
【請求項８３１】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２、５倍とした二重反転噴射機関（２Ｅ）駆動とした各種エネルギ保存サイクル合体機関及び合体方法。
【請求項８３２】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より噴射する二重反転噴射機関（２Ｅ）駆動とした各種エネルギ保存サイクル合体機関及び合体方法。
【請求項８３３】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を噴射する二重反転噴射機関（２Ｅ）駆動とした各種エネルギ保存サイクル合体機関及び合体方法。
【請求項８３４】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射する二重反転噴射機関（２Ｅ）駆動とした各種エネルギ保存サイクル合体機関及び合体方法。
【請求項８３５】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する二重反転噴射機関（２Ｅ）駆動とした各種エネルギ保存サイクル合体機関及び合体方法。
【請求項８３６】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する二重反転噴射機関（２Ｅ）駆動とした各種エネルギ保存サイクル合体機関及び合体方法。
【請求項８３７】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する二重反転噴射機関（２Ｅ）駆動とした各種エネルギ保存サイクル合体機関及び合体方法。
【請求項８３８】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する回転速度や周速度に合せた角度や曲線や回転半径二重反転とした圧縮翼や出力翼の二重反転の二重反転機関（２Ｂ）駆動製氷設備とした各種エネルギ保存サイクル合体機関及び合体方法。
【請求項８３９】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する回転速度や周速度に合せた角度や曲線や回転半径二重反転とした圧縮翼や出力翼の二重反転の二重反転機関（２Ｂ）駆動製氷設備とした各種エネルギ保存サイクル合体機関及び合体方法。
【請求項８４０】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する回転速度や周速度に合せた角度や曲線や回転半径二重反転とした圧縮翼や出力翼の二重反転の二重反転機関（２Ｂ）駆動製氷設備とした各種エネルギ保存サイクル合体機関及び合体方法。
【請求項８４１】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する回転速度や周速度に合せた角度や曲線や回転半径二重反転とした圧縮翼や出力翼の二重反転の二重反転機関（２Ｂ）駆動製氷設備とした各種エネルギ保存サイクル合体機関及び合体方法。
【請求項８４２】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する回転速度や周速度に合せた角度や曲線や回転半径二重反転とした圧縮翼や出力翼の二重反転の二重反転機関（２Ｂ）駆動製氷設備とした各種エネルギ保存サイクル合体機関及び合体方法。
【請求項８４３】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する回転速度や周速度に合せた角度や曲線や回転半径二重反転とした圧縮翼や出力翼の二重反転の二重反転機関（２Ｂ）駆動製氷設備とした各種エネルギ保存サイクル合体機関及び合体方法。
【請求項８４４】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する回転速度や周速度に合せた角度や曲線や回転半径二重反転とした圧縮翼や出力翼の二重反転の二重反転機関（２Ｂ）駆動製氷設備とした各種エネルギ保存サイクル合体機関及び合体方法。
【請求項８４５】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項８４６】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項８４７】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項８４８】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項８４９】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動する二重反転噴射機関（２Ｅ）駆動とした各種エネルギ保存サイクル合体機関及び合体方法。
【請求項８５０】
圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項８５１】
ロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項８５２】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項８５３】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項８５４】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射する各種エネルギ保存サイクル合体機関及び合体方法。
【請求項８５５】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射船舶（１Ｆ）駆動する各種エネルギ保存サイクル合体機関及び合体方法。
【請求項８５６】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射で噴射推進二重反転噴射船舶（１Ｆ）駆動する各種エネルギ保存サイクル合体機関及び合体方法。
【請求項８５７】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して噴射推進二重反転噴射船舶（１Ｆ）駆動する各種エネルギ保存サイクル合体機関及び合体方法。
【請求項８５８】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射する各種エネルギ保存サイクル合体機関及び合体方法。
【請求項８５９】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射船舶（１Ｆ）駆動する各種エネルギ保存サイクル合体機関及び合体方法。
【請求項８６０】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して二重反転噴射飛行機（１Ｇ）駆動する各種エネルギ保存サイクル合体機関及び合体方法。
【請求項８６１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）駆動回転翼飛行機（１Ｉ）にする各種エネルギ保存サイクル合体機関及び合体方法。
【請求項８６２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）駆動二重反転自動車（１Ｂ）にする各種エネルギ保存サイクル合体機関及び合体方法。
【請求項８６３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）駆動二重反転船舶（１Ｃ）にする各種エネルギ保存サイクル合体機関及び合体方法。
【請求項８６４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）駆動二重反転飛行機（１Ｅ）にする各種エネルギ保存サイクル合体機関及び合体方法。
【請求項８６５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）駆動回転翼飛行機（１Ｉ）にする各種エネルギ保存サイクル合体機関及び合体方法。
【請求項８６６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動にする各種エネルギ保存サイクル合体機関及び合体方法。
【請求項８６７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動二重反転噴射船舶（１Ｆ）にする各種エネルギ保存サイクル合体機関及び合体方法。
【請求項８６８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動二重反転噴射飛行機（１Ｇ）にする各種エネルギ保存サイクル合体機関及び合体方法。
【請求項８６９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動回転翼噴射飛行機（１Ｊ）にする各種エネルギ保存サイクル合体機関及び合体方法。
【請求項８７０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転空気噴射機関（２Ｆ）駆動二重反転噴射船舶（１Ｆ）にする各種エネルギ保存サイクル合体機関及び合体方法。
【請求項８７１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし筒具備空気吸引加速する二重反転空気噴射機関（２Ｆ）駆動二重反転噴射船舶（１Ｆ）にする各種エネルギ保存サイクル合体機関及び合体方法。
【請求項８７２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし半筒具備空気吸引加速する二重反転空気噴射機関（２Ｆ）駆動二重反転噴射船舶（１Ｆ）にする各種エネルギ保存サイクル合体機関及び合体方法。
【請求項８７３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし筒具備空気吸引加速する二重反転空気噴射機関（２Ｆ）駆動二重反転噴射船舶（１Ｆ）にする各種エネルギ保存サイクル合体機関及び合体方法。
【請求項８７４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし筒具備空気吸引加速する二重反転空気噴射機関（２Ｆ）駆動二重反転船舶（１Ｃ）にする各種エネルギ保存サイクル合体機関及び合体方法。
【請求項８７５】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転機関（２Ｂ）駆動にする各種エネルギ保存サイクル合体機関及び合体方法。
【請求項８７６】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転機関（２Ｂ）駆動二重反転自動車（１Ｂ）にする各種エネルギ保存サイクル合体機関及び合体方法。
【請求項８７７】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転機関（２Ｂ）駆動二重反転船舶（１Ｃ）にする各種エネルギ保存サイクル合体機関及び合体方法。
【請求項８７８】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転機関（２Ｂ）駆動二重反転飛行機（１Ｅ）にする各種エネルギ保存サイクル合体機関及び合体方法。
【請求項８７９】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転機関（２Ｂ）駆動回転翼飛行機（１Ｉ）にする各種エネルギ保存サイクル合体機関及び合体方法。
【請求項８８０】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動にする各種エネルギ保存サイクル合体機関及び合体方法。
【請求項８８１】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動二重反転噴射船舶（１Ｆ）にする各種エネルギ保存サイクル合体機関及び合体方法。
【請求項８８２】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動二重反転噴射飛行機（１Ｇ）にする各種エネルギ保存サイクル合体機関及び合体方法。
【請求項８８３】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動回転翼噴射飛行機（１Ｊ）にする各種エネルギ保存サイクル合体機関及び合体方法。
【請求項８８４】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転空気噴射機関（２Ｆ）駆動二重反転噴射船舶（１Ｆ）にする各種エネルギ保存サイクル合体機関及び合体方法。
【請求項８８５】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし筒具備水速度加速する二重反転空気噴射機関（２Ｆ）駆動二重反転噴射船舶（１Ｆ）にする各種エネルギ保存サイクル合体機関及び合体方法。
【請求項８８６】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし半筒具備水速度加速する二重反転空気噴射機関（２Ｆ）駆動二重反転噴射船舶（１Ｆ）にする各種エネルギ保存サイクル合体機関及び合体方法。
【請求項８８７】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし筒具備空気吸引噴射量増大する二重反転空気噴射機関（２Ｆ）駆動二重反転噴射船舶（１Ｆ）にする各種エネルギ保存サイクル合体機関及び合体方法。
【請求項８８８】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし筒具備空気吸引噴射量増大水速度一部加速する二重反転空気噴射機関（２Ｆ）駆動二重反転噴射船舶（１Ｆ）にする各種エネルギ保存サイクル合体機関及び合体方法。
【請求項８８９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気と熱交換空気（２８ａ）熱製造エアコン駆動する各種エネルギ保存サイクル合体機関及び合体方法。
【請求項８９０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換空気（２８ａ）熱製造冷蔵庫駆動する各種エネルギ保存サイクル合体機関及び合体方法。
【請求項８９１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換の内側圧縮翼（８ｑ）外側圧縮翼（８ｒ）圧縮の空気（２８ａ）熱製造風呂水供給にする各種エネルギ保存サイクル合体機関及び合体方法。
【請求項８９２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換の内側圧縮翼（８ｑ）外側圧縮翼（８ｒ）圧縮水噴射冷却の空気（２８ａ）熱製造温水プール供給にする各種エネルギ保存サイクル合体機関及び合体方法。
【請求項８９３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換の内側圧縮翼（８ｑ）外側圧縮翼（８ｒ）圧縮水噴射冷却の高温水（５２ｂ）熱製造＋空気（２８ａ）熱製造温室供給にする各種エネルギ保存サイクル合体機関及び合体方法。
【請求項８９４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造給湯設備供給にする各種エネルギ保存サイクル合体機関及び合体方法。
【請求項８９５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にする各種エネルギ保存サイクル合体機関及び合体方法。
【請求項８９６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造エアコン駆動にする各種エネルギ保存サイクル合体機関及び合体方法。
【請求項８９７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造冷蔵庫駆動にする各種エネルギ保存サイクル合体機関及び合体方法。
【請求項８９８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして風呂水供給する各種エネルギ保存サイクル合体機関及び合体方法。
【請求項８９９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして温水プール供給する各種エネルギ保存サイクル合体機関及び合体方法。
【請求項９００】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして温室供給する各種エネルギ保存サイクル合体機関及び合体方法。
【請求項９０１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして給湯設備供給する各種エネルギ保存サイクル合体機関及び合体方法。
【請求項９０２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射発電する各種エネルギ保存サイクル合体機関及び合体方法。
【請求項９０３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射エアコン駆動する各種エネルギ保存サイクル合体機関及び合体方法。
【請求項９０４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射冷蔵庫駆動する各種エネルギ保存サイクル合体機関及び合体方法。
【請求項９０５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射風呂水供給する各種エネルギ保存サイクル合体機関及び合体方法。
【請求項９０６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼して温水プール供給する各種エネルギ保存サイクル合体機関及び合体方法。
【請求項９０７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼して温室供給する各種エネルギ保存サイクル合体機関及び合体方法。
【請求項９０８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼して給湯設備供給する各種エネルギ保存サイクル合体機関及び合体方法。
【請求項９０９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼して発電する各種エネルギ保存サイクル合体機関及び合体方法。
【請求項９１０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼過熱蒸気（５０）にしてエアコン駆動する各種エネルギ保存サイクル合体機関及び合体方法。
【請求項９１１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼過熱蒸気（５０）にして冷蔵庫駆動する各種エネルギ保存サイクル合体機関及び合体方法。
【請求項９１２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼過熱蒸気（５０）にして風呂水供給する各種エネルギ保存サイクル合体機関及び合体方法。
【請求項９１３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼過熱蒸気（５０）にして温水プール供給する各種エネルギ保存サイクル合体機関及び合体方法。
【請求項９１４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして温室供給する各種エネルギ保存サイクル合体機関及び合体方法。
【請求項９１５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして給湯設備供給する各種エネルギ保存サイクル合体機関及び合体方法。
【請求項９１６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして発電する各種エネルギ保存サイクル合体機関及び合体方法。
【請求項９１７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にしてエアコン駆動する各種エネルギ保存サイクル合体機関及び合体方法。
【請求項９１８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして冷蔵庫駆動する各種エネルギ保存サイクル合体機関及び合体方法。
【請求項９１９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして風呂水供給する各種エネルギ保存サイクル合体機関及び合体方法。
【請求項９２０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして温水プール供給する各種エネルギ保存サイクル合体機関及び合体方法。
【請求項９２１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして温室供給する各種エネルギ保存サイクル合体機関及び合体方法。
【請求項９２２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして給湯設備供給する各種エネルギ保存サイクル合体機関及び合体方法。
【請求項９２３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして発電する各種エネルギ保存サイクル合体機関及び合体方法。
【請求項９２４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にしてエアコン駆動する各種エネルギ保存サイクル合体機関及び合体方法。
【請求項９２５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして冷蔵庫駆動する各種エネルギ保存サイクル合体機関及び合体方法。
【請求項９２６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして風呂水供給する各種エネルギ保存サイクル合体機関及び合体方法。
【請求項９２７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして温水プール供給する各種エネルギ保存サイクル合体機関及び合体方法。
【請求項９２８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして温室供給する各種エネルギ保存サイクル合体機関及び合体方法。
【請求項９２９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして給湯設備供給する各種エネルギ保存サイクル合体機関及び合体方法。
【請求項９３０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして発電する各種エネルギ保存サイクル合体機関及び合体方法。
【請求項９３１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にしてエアコン駆動する各種エネルギ保存サイクル合体機関及び合体方法。
【請求項９３２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして冷蔵庫駆動する各種エネルギ保存サイクル合体機関及び合体方法。
【請求項９３３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして風呂水供給する各種エネルギ保存サイクル合体機関及び合体方法。
【請求項９３４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射温水プール供給する各種エネルギ保存サイクル合体機関及び合体方法。
【請求項９３５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射温室供給する各種エネルギ保存サイクル合体機関及び合体方法。
【請求項９３６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射給湯設備供給する各種エネルギ保存サイクル合体機関及び合体方法。
【請求項９３７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射発電する各種エネルギ保存サイクル合体機関及び合体方法。
【請求項９３８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射エアコン駆動する各種エネルギ保存サイクル合体機関及び合体方法。
【請求項９３９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射冷蔵庫駆動する各種エネルギ保存サイクル合体機関及び合体方法。
【請求項９４０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射風呂水供給する各種エネルギ保存サイクル合体機関及び合体方法。
【請求項９４１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射温水プール供給する各種エネルギ保存サイクル合体機関及び合体方法。
【請求項９４２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射温室供給する各種エネルギ保存サイクル合体機関及び合体方法。
【請求項９４３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射給湯設備供給する各種エネルギ保存サイクル合体機関及び合体方法。
【請求項９４４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射発電する各種エネルギ保存サイクル合体機関及び合体方法。
【請求項９４５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射エアコン駆動する各種エネルギ保存サイクル合体機関及び合体方法。
【請求項９４６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射冷蔵庫駆動する各種エネルギ保存サイクル合体機関及び合体方法。
【請求項９４７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射風呂水供給する各種エネルギ保存サイクル合体機関及び合体方法。
【請求項９４８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射温水プール供給する各種エネルギ保存サイクル合体機関及び合体方法。
【請求項９４９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射温室供給する各種エネルギ保存サイクル合体機関及び合体方法。
【請求項９５０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射給湯設備供給する各種エネルギ保存サイクル合体機関及び合体方法。
【請求項９５１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射発電する各種エネルギ保存サイクル合体機関及び合体方法。
【請求項９５２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射エアコン駆動する各種エネルギ保存サイクル合体機関及び合体方法。
【請求項９５３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射冷蔵庫駆動する各種エネルギ保存サイクル合体機関及び合体方法。
【請求項９５４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射二重反転機関（２Ｂ）で風呂水供給する各種エネルギ保存サイクル合体機関及び合体方法。
【請求項９５５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射二重反転機関（２Ｂ）で温水プール供給する各種エネルギ保存サイクル合体機関及び合体方法。
【請求項９５６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射二重反転機関（２Ｂ）で温室供給する各種エネルギ保存サイクル合体機関及び合体方法。
【請求項９５７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして燃焼ガス（４９）吸引噴射二重反転機関（２Ｂ）で給湯設備供給する各種エネルギ保存サイクル合体機関及び合体方法。
【請求項９５８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射二重反転機関（２Ｂ）で発電する各種エネルギ保存サイクル合体機関及び合体方法。
【請求項９５９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射二重反転機関（２Ｂ）でエアコン駆動する各種エネルギ保存サイクル合体機関及び合体方法。
【請求項９６０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射二重反転機関（２Ｂ）で冷蔵庫駆動する各種エネルギ保存サイクル合体機関及び合体方法。
【請求項９６１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして燃焼ガス（４９）吸引噴射二重反転機関（２Ｂ）で風呂水供給する各種エネルギ保存サイクル合体機関及び合体方法。
【請求項９６２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射二重反転機関（２Ｂ）で温水プール供給する各種エネルギ保存サイクル合体機関及び合体方法。
【請求項９６３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射二重反転機関（２Ｂ）で温室供給する各種エネルギ保存サイクル合体機関及び合体方法。
【請求項９６４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射二重反転機関（２Ｂ）で給湯設備供給する各種エネルギ保存サイクル合体機関及び合体方法。
【請求項９６５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして燃焼ガス（４９）吸引噴射二重反転機関（２Ｂ）で発電する各種エネルギ保存サイクル合体機関及び合体方法。
【請求項９６６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射二重反転機関（２Ｂ）でエアコン駆動する各種エネルギ保存サイクル合体機関及び合体方法。
【請求項９６７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射二重反転機関（２Ｂ）で冷蔵庫駆動する各種エネルギ保存サイクル合体機関及び合体方法。
【請求項９６８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射二重反転機関（２Ｂ）で風呂水供給する各種エネルギ保存サイクル合体機関及び合体方法。
【請求項９６９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして燃焼ガス（４９）吸引噴射二重反転機関（２Ｂ）で温水プール供給する各種エネルギ保存サイクル合体機関及び合体方法。
【請求項９７０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射二重反転機関（２Ｂ）で温室供給する各種エネルギ保存サイクル合体機関及び合体方法。
【請求項９７１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射二重反転機関（２Ｂ）で給湯設備供給する各種エネルギ保存サイクル合体機関及び合体方法。
【請求項９７２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射二重反転機関（２Ｂ）で発電する各種エネルギ保存サイクル合体機関及び合体方法。
【請求項９７３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして燃焼ガス（４９）吸引噴射二重反転機関（２Ｂ）でエアコン駆動する各種エネルギ保存サイクル合体機関及び合体方法。
【請求項９７４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で冷蔵庫駆動する各種エネルギ保存サイクル合体機関及び合体方法。
【請求項９７５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で風呂水供給する各種エネルギ保存サイクル合体機関及び合体方法。
【請求項９７６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で温水プール供給する各種エネルギ保存サイクル合体機関及び合体方法。
【請求項９７７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で温室供給する各種エネルギ保存サイクル合体機関及び合体方法。
【請求項９７８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）で給湯設備供給する各種エネルギ保存サイクル合体機関及び合体方法。
【請求項９７９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）で発電する各種エネルギ保存サイクル合体機関及び合体方法。
【請求項９８０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）でエアコン駆動する各種エネルギ保存サイクル合体機関及び合体方法。
【請求項９８１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）で冷蔵庫駆動する各種エネルギ保存サイクル合体機関及び合体方法。
【請求項９８２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で風呂水供給する各種エネルギ保存サイクル合体機関及び合体方法。
【請求項９８３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で温水プール供給する各種エネルギ保存サイクル合体機関及び合体方法。
【請求項９８４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で温室供給する各種エネルギ保存サイクル合体機関及び合体方法。
【請求項９８５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で給湯設備供給する各種エネルギ保存サイクル合体機関及び合体方法。
【請求項９８６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）で発電する各種エネルギ保存サイクル合体機関及び合体方法。
【請求項９８７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）でエアコン駆動する各種エネルギ保存サイクル合体機関及び合体方法。
【請求項９８８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）で冷蔵庫駆動する各種エネルギ保存サイクル合体機関及び合体方法。
【請求項９８９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）で風呂水供給する各種エネルギ保存サイクル合体機関及び合体方法。
【請求項９９０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で温水プール供給する各種エネルギ保存サイクル合体機関及び合体方法。
【請求項９９１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋太陽光加熱器（２１）熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で温室供給発電する各種エネルギ保存サイクル合体機関及び合体方法。
【請求項９９２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋排熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で給湯設備供給する各種エネルギ保存サイクル合体機関及び合体方法。
【請求項９９３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）排気全部と熱交換加熱空気（２８ａ）＋地熱と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で発電する各種エネルギ保存サイクル合体機関及び合体方法。
【請求項９９４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換空気（２８ａ）熱製造温熱利用全盛冷熱利用全盛エアコン駆動にする各種エネルギ保存サイクル合体機関及び合体方法。
【請求項９９５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換空気（２８ａ）熱製造温熱利用全盛冷熱利用全盛冷蔵庫駆動にする各種エネルギ保存サイクル合体機関及び合体方法。
【請求項９９６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換の内側圧縮翼（８ｑ）外側圧縮翼（８ｒ）圧縮の空気（２８ａ）熱製造温熱利用全盛冷熱利用全盛風呂水供給にする各種エネルギ保存サイクル合体機関及び合体方法。
【請求項９９７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換の内側圧縮翼（８ｑ）外側圧縮翼（８ｒ）圧縮水噴射冷却の空気（２８ａ）熱製造温熱利用全盛冷熱利用全盛温水プール供給にする各種エネルギ保存サイクル合体機関及び合体方法。
【請求項９９８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛温室供給にする各種エネルギ保存サイクル合体機関及び合体方法。
【請求項９９９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛給湯設備供給にする各種エネルギ保存サイクル合体機関及び合体方法。
【請求項１０００】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛の発電にする各種エネルギ保存サイクル合体機関及び合体方法。
【請求項１００１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛エアコン駆動にする各種エネルギ保存サイクル合体機関及び合体方法。
【請求項１００２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛冷蔵庫駆動にする各種エネルギ保存サイクル合体機関及び合体方法。
【請求項１００３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして風呂水供給する各種エネルギ保存サイクル合体機関及び合体方法。
【請求項１００４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして温水プール供給する各種エネルギ保存サイクル合体機関及び合体方法。
【請求項１００５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして温室供給する各種エネルギ保存サイクル合体機関及び合体方法。
【請求項１００６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして給湯設備供給する各種エネルギ保存サイクル合体機関及び合体方法。
【請求項１００７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射発電する各種エネルギ保存サイクル合体機関及び合体方法。
【請求項１００８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射エアコン駆動する各種エネルギ保存サイクル合体機関及び合体方法。
【請求項１００９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射冷蔵庫駆動する各種エネルギ保存サイクル合体機関及び合体方法。
【請求項１０１０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射風呂水供給する各種エネルギ保存サイクル合体機関及び合体方法。
【請求項１０１１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼して温水プール供給する各種エネルギ保存サイクル合体機関及び合体方法。
【請求項１０１２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼して温室供給する各種エネルギ保存サイクル合体機関及び合体方法。
【請求項１０１３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼して給湯設備供給する各種エネルギ保存サイクル合体機関及び合体方法。
【請求項１０１４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼して発電する各種エネルギ保存サイクル合体機関及び合体方法。
【請求項１０１５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼過熱蒸気（５０）にしてエアコン駆動する各種エネルギ保存サイクル合体機関及び合体方法。
【請求項１０１６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼過熱蒸気（５０）にして冷蔵庫駆動する各種エネルギ保存サイクル合体機関及び合体方法。
【請求項１０１７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼過熱蒸気（５０）にして風呂水供給する各種エネルギ保存サイクル合体機関及び合体方法。
【請求項１０１８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼過熱蒸気（５０）にして温水プール供給する各種エネルギ保存サイクル合体機関及び合体方法。
【請求項１０１９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして温室供給する各種エネルギ保存サイクル合体機関及び合体方法。
【請求項１０２０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして給湯設備供給する各種エネルギ保存サイクル合体機関及び合体方法。
【請求項１０２１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして発電する各種エネルギ保存サイクル合体機関及び合体方法。
【請求項１０２２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にしてエアコン駆動する各種エネルギ保存サイクル合体機関及び合体方法。
【請求項１０２３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして冷蔵庫駆動する各種エネルギ保存サイクル合体機関及び合体方法。
【請求項１０２４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして風呂水供給する各種エネルギ保存サイクル合体機関及び合体方法。
【請求項１０２５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして温水プール供給する各種エネルギ保存サイクル合体機関及び合体方法。
【請求項１０２６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして温室供給する各種エネルギ保存サイクル合体機関及び合体方法。
【請求項１０２７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして給湯設備供給する各種エネルギ保存サイクル合体機関及び合体方法。
【請求項１０２８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして発電する各種エネルギ保存サイクル合体機関及び合体方法。
【請求項１０２９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にしてエアコン駆動する各種エネルギ保存サイクル合体機関及び合体方法。
【請求項１０３０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして冷蔵庫駆動する各種エネルギ保存サイクル合体機関及び合体方法。
【請求項１０３１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして風呂水供給する各種エネルギ保存サイクル合体機関及び合体方法。
【請求項１０３２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして温水プール供給する各種エネルギ保存サイクル合体機関及び合体方法。
【請求項１０３３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして温室供給する各種エネルギ保存サイクル合体機関及び合体方法。
【請求項１０３４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして給湯設備供給する各種エネルギ保存サイクル合体機関及び合体方法。
【請求項１０３５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして発電する各種エネルギ保存サイクル合体機関及び合体方法。
【請求項１０３６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にしてエアコン駆動する各種エネルギ保存サイクル合体機関及び合体方法。
【請求項１０３７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして冷蔵庫駆動する各種エネルギ保存サイクル合体機関及び合体方法。
【請求項１０３８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして風呂水供給する各種エネルギ保存サイクル合体機関及び合体方法。
【請求項１０３９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射温水プール供給する各種エネルギ保存サイクル合体機関及び合体方法。
【請求項１０４０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射温室供給する各種エネルギ保存サイクル合体機関及び合体方法。
【請求項１０４１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射給湯設備供給する各種エネルギ保存サイクル合体機関及び合体方法。
【請求項１０４２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射発電する各種エネルギ保存サイクル合体機関及び合体方法。
【請求項１０４３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射エアコン駆動する各種エネルギ保存サイクル合体機関及び合体方法。
【請求項１０４４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射冷蔵庫駆動する各種エネルギ保存サイクル合体機関及び合体方法。
【請求項１０４５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射風呂水供給する各種エネルギ保存サイクル合体機関及び合体方法。
【請求項１０４６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射温水プール供給する各種エネルギ保存サイクル合体機関及び合体方法。
【請求項１０４７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射温室供給する各種エネルギ保存サイクル合体機関及び合体方法。
【請求項１０４８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射給湯設備供給する各種エネルギ保存サイクル合体機関及び合体方法。
【請求項１０４９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射発電する各種エネルギ保存サイクル合体機関及び合体方法。
【請求項１０５０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射エアコン駆動する各種エネルギ保存サイクル合体機関及び合体方法。
【請求項１０５１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射冷蔵庫駆動する各種エネルギ保存サイクル合体機関及び合体方法。
【請求項１０５２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射風呂水供給する各種エネルギ保存サイクル合体機関及び合体方法。
【請求項１０５３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射温水プール供給する各種エネルギ保存サイクル合体機関及び合体方法。
【請求項１０５４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射温室供給する各種エネルギ保存サイクル合体機関及び合体方法。
【請求項１０５５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射給湯設備供給する各種エネルギ保存サイクル合体機関及び合体方法。
【請求項１０５６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射発電する各種エネルギ保存サイクル合体機関及び合体方法。
【請求項１０５７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射エアコン駆動する各種エネルギ保存サイクル合体機関及び合体方法。
【請求項１０５８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射冷蔵庫駆動する各種エネルギ保存サイクル合体機関及び合体方法。
【請求項１０５９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射二重反転機関（２Ｂ）で風呂水供給する各種エネルギ保存サイクル合体機関及び合体方法。
【請求項１０６０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射二重反転機関（２Ｂ）で温水プール供給する各種エネルギ保存サイクル合体機関及び合体方法。
【請求項１０６１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射二重反転機関（２Ｂ）で温室供給する各種エネルギ保存サイクル合体機関及び合体方法。
【請求項１０６２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして燃焼ガス（４９）吸引噴射二重反転機関（２Ｂ）で給湯設備供給する各種エネルギ保存サイクル合体機関及び合体方法。
【請求項１０６３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射二重反転機関（２Ｂ）で発電する各種エネルギ保存サイクル合体機関及び合体方法。
【請求項１０６４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射二重反転機関（２Ｂ）でエアコン駆動する各種エネルギ保存サイクル合体機関及び合体方法。
【請求項１０６５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射二重反転機関（２Ｂ）で冷蔵庫駆動する各種エネルギ保存サイクル合体機関及び合体方法。
【請求項１０６６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして燃焼ガス（４９）吸引噴射二重反転機関（２Ｂ）で風呂水供給する各種エネルギ保存サイクル合体機関及び合体方法。
【請求項１０６７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射二重反転機関（２Ｂ）で温水プール供給する各種エネルギ保存サイクル合体機関及び合体方法。
【請求項１０６８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射二重反転機関（２Ｂ）で温室供給する各種エネルギ保存サイクル合体機関及び合体方法。
【請求項１０６９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射二重反転機関（２Ｂ）で給湯設備供給する各種エネルギ保存サイクル合体機関及び合体方法。
【請求項１０７０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして燃焼ガス（４９）吸引噴射二重反転機関（２Ｂ）で発電する各種エネルギ保存サイクル合体機関及び合体方法。
【請求項１０７１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射二重反転機関（２Ｂ）でエアコン駆動する各種エネルギ保存サイクル合体機関及び合体方法。
【請求項１０７２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射二重反転機関（２Ｂ）で冷蔵庫駆動する各種エネルギ保存サイクル合体機関及び合体方法。
【請求項１０７３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射二重反転機関（２Ｂ）で風呂水供給する各種エネルギ保存サイクル合体機関及び合体方法。
【請求項１０７４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして燃焼ガス（４９）吸引噴射二重反転機関（２Ｂ）で温水プール供給する各種エネルギ保存サイクル合体機関及び合体方法。
【請求項１０７５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射二重反転機関（２Ｂ）で温室供給する各種エネルギ保存サイクル合体機関及び合体方法。
【請求項１０７６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射二重反転機関（２Ｂ）で給湯設備供給する各種エネルギ保存サイクル合体機関及び合体方法。
【請求項１０７７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射二重反転機関（２Ｂ）で発電する各種エネルギ保存サイクル合体機関及び合体方法。
【請求項１０７８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして燃焼ガス（４９）吸引噴射二重反転機関（２Ｂ）でエアコン駆動する各種エネルギ保存サイクル合体機関及び合体方法。
【請求項１０７９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で冷蔵庫駆動する各種エネルギ保存サイクル合体機関及び合体方法。
【請求項１０８０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で風呂水供給する各種エネルギ保存サイクル合体機関及び合体方法。
【請求項１０８１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で温水プール供給する各種エネルギ保存サイクル合体機関及び合体方法。
【請求項１０８２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２００ＭＰａ過熱蒸気（５０）にして理論空燃比燃焼ガス（４９）吸引噴射二重反転機関（２Ｂ）で温室供給する各種エネルギ保存サイクル合体機関及び合体方法。
【請求項１０８３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）で給湯設備供給する各種エネルギ保存サイクル合体機関及び合体方法。
【請求項１０８４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）で発電する各種エネルギ保存サイクル合体機関及び合体方法。
【請求項１０８５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）でエアコン駆動する各種エネルギ保存サイクル合体機関及び合体方法。
【請求項１０８６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１５０ＭＰａ過熱蒸気（５０）にして理論空燃比燃焼ガス（４９）吸引噴射二重反転機関（２Ｂ）で冷蔵庫駆動する各種エネルギ保存サイクル合体機関及び合体方法。
【請求項１０８７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で風呂水供給する各種エネルギ保存サイクル合体機関及び合体方法。
【請求項１０８８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で温水プール供給する各種エネルギ保存サイクル合体機関及び合体方法。
【請求項１０８９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で温室供給する各種エネルギ保存サイクル合体機関及び合体方法。
【請求項１０９０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼１００ＭＰａ過熱蒸気（５０）にして理論空燃比燃焼ガス（４９）吸引噴射二重反転機関（２Ｂ）で給湯設備供給する各種エネルギ保存サイクル合体機関及び合体方法。
【請求項１０９１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）で発電する各種エネルギ保存サイクル合体機関及び合体方法。
【請求項１０９２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）でエアコン駆動する各種エネルギ保存サイクル合体機関及び合体方法。
【請求項１０９３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）で冷蔵庫駆動する各種エネルギ保存サイクル合体機関及び合体方法。
【請求項１０９４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼５０ＭＰａ過熱蒸気（５０）にして理論空燃比燃焼ガス（４９）吸引噴射二重反転機関（２Ｂ）で風呂水供給する各種エネルギ保存サイクル合体機関及び合体方法。
【請求項１０９５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）二重反転自動車（１Ｂ）発電排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で温水プール供給する各種エネルギ保存サイクル合体機関及び合体方法。
【請求項１０９６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）自家発電（１Ｈ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で温室供給する各種エネルギ保存サイクル合体機関及び合体方法。
【請求項１０９７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転蒸気タービン（１ｐ）＋二重反転機関（２Ｂ）大型工場発電（１ｅ）排気と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で給湯設備供給する各種エネルギ保存サイクル合体機関及び合体方法。
【請求項１０９８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機関（２Ｂ）小型工場発電（１ｅ）排気全部と熱交換加熱空気（２８ａ）の内側圧縮翼（８ｑ）外側圧縮翼（８ｒ）圧縮水噴射冷却の高温水（５２ｂ）熱製造＋空気（２８ａ）熱製造温熱利用全盛冷熱利用全盛にして理論燃焼室（４Ｑ）に噴射燃料噴射燃焼２４ＭＰａ過熱蒸気（５０）にして理論空燃比燃焼ガス（４９）吸引噴射二重反転機関（２Ｂ）で発電する各種エネルギ保存サイクル合体機関及び合体方法。
【請求項１０９９】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とした二重反転噴射機関（２Ｅ）車両類駆動とした各種エネルギ保存サイクル合体機関及び合体方法。
【請求項１１００】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの１、５倍とした二重反転噴射機関（２Ｅ）駆動とした各種エネルギ保存サイクル合体機関及び合体方法。
【請求項１１０１】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの２倍とした二重反転噴射機関（２Ｅ）駆動とした各種エネルギ保存サイクル合体機関及び合体方法。
【請求項１１０２】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし圧縮圧力を既存ガスタービンの２、５倍とした二重反転噴射機関（２Ｅ）駆動とした各種エネルギ保存サイクル合体機関及び合体方法。
【請求項１１０３】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より噴射する二重反転噴射機関（２Ｅ）駆動とした各種エネルギ保存サイクル合体機関及び合体方法。
【請求項１１０４】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を噴射する二重反転噴射機関（２Ｅ）車両類駆動とした各種エネルギ保存サイクル合体機関及び合体方法。
【請求項１１０５】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射する二重反転噴射機関（２Ｅ）駆動とした各種エネルギ保存サイクル合体機関及び合体方法。
【請求項１１０６】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する二重反転噴射機関（２Ｅ）駆動とした各種エネルギ保存サイクル合体機関及び合体方法。
【請求項１１０７】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する二重反転噴射機関（２Ｅ）駆動とした各種エネルギ保存サイクル合体機関及び合体方法。
【請求項１１０８】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する二重反転噴射機関（２Ｅ）駆動とした各種エネルギ保存サイクル合体機関及び合体方法。
【請求項１１０９】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する二重反転噴射機関（２Ｅ）車両類駆動とした各種エネルギ保存サイクル合体機関及び合体方法。
【請求項１１１０】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１１１】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１１２】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１１３】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１１４】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する回転速度や周速度に合せた角度や曲線や回転半径二重反転とした圧縮翼や出力翼の二重反転の二重反転噴射機関（２Ｅ）車両類駆動とした各種エネルギ保存サイクル合体機関及び合体方法。
【請求項１１１５】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１１６】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１１７】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋過熱蒸気噴射用の静翼（６Ｇ）より噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１１８】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１１９】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射する回転速度や周速度に合せた角度や曲線や回転半径二重反転とした圧縮翼や出力翼の二重反転の二重反転噴射機関（２Ｅ）車両類駆動とした各種エネルギ保存サイクル合体機関及び合体方法。
【請求項１１２０】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動する二重反転噴射機関（２Ｅ）駆動とした各種エネルギ保存サイクル合体機関及び合体方法。
【請求項１１２１】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動発電機（１）で発電する各種エネルギ保存サイクル合体機関及び合体方法。
【請求項１１２２】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動発電機（１）で発電蓄電池（１Ａ）に蓄電する各種エネルギ保存サイクル合体機関及び合体方法。
【請求項１１２３】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動発電機（１）で発電蓄電池（１Ａ）に蓄電蓄電池駆動車輪（４Ｊ）を駆動する各種エネルギ保存サイクル合体機関及び合体方法。
【請求項１１２４】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動発電機（１）で発電蓄電池（１Ａ）に蓄電蓄電池駆動車輪（４Ｊ）を駆動する車両類とした各種エネルギ保存サイクル合体機関及び合体方法。
【請求項１１２５】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動スクリュウ（７Ｃ）駆動する各種エネルギ保存サイクル合体機関及び合体方法。
【請求項１１２６】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動スクリュウ（７Ｃ）駆動二重反転船舶（１Ｃ）駆動する各種エネルギ保存サイクル合体機関及び合体方法。
【請求項１１２７】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動スクリュウ（７Ｃ）駆動二重反転噴射機関（２Ｅ）排気で噴射推進二重反転船舶（１Ｃ）駆動する各種エネルギ保存サイクル合体機関及び合体方法。
【請求項１１２８】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動スクリュウ（７Ｃ）駆動二重反転噴射機関（２Ｅ）排気を先頭船底に噴射して噴射推進二重反転船舶（１Ｃ）駆動する各種エネルギ保存サイクル合体機関及び合体方法。
【請求項１１２９】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動車両類駆動する各種エネルギ保存サイクル合体機関及び合体方法。
【請求項１１３０】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動プロペラ（７Ａ）駆動二重反転飛行機（１Ｅ）駆動する各種エネルギ保存サイクル合体機関及び合体方法。
【請求項１１３１】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）＋二重反転機外箱（７７Ｃ）過熱蒸気噴射用の静翼（６Ｇ）より燃焼ガス（４９）を吸引噴射外側出力翼（８ｔ）内側出力翼（８ｓ）を回転速度や周速度に合せた角度や曲線や回転半径二重反転とした圧縮翼や出力翼の二重反転駆動プロペラ（７Ａ）駆動二重反転噴射機関（２Ｅ）排気を噴射して二重反転飛行機（１Ｅ）駆動する各種エネルギ保存サイクル合体機関及び合体方法。
【請求項１１３２】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備した二重反転噴射機関（２Ｅ）駆動とした各種エネルギ保存サイクル合体機関及び合体方法。
【請求項１１３３】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの１、５倍とした二重反転噴射機関（２Ｅ）駆動とした各種エネルギ保存サイクル合体機関及び合体方法。
【請求項１１３４】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２倍とした二重反転噴射機関（２Ｅ）車両類駆動とした各種エネルギ保存サイクル合体機関及び合体方法。
【請求項１１３５】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備圧縮圧力を既存ガスタービンの２、５倍とした二重反転噴射機関（２Ｅ）駆動とした各種エネルギ保存サイクル合体機関及び合体方法。
【請求項１１３６】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より噴射する二重反転噴射機関（２Ｅ）駆動とした各種エネルギ保存サイクル合体機関及び合体方法。
【請求項１１３７】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を噴射する二重反転噴射機関（２Ｅ）駆動とした各種エネルギ保存サイクル合体機関及び合体方法。
【請求項１１３８】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射する二重反転噴射機関（２Ｅ）駆動とした各種エネルギ保存サイクル合体機関及び合体方法。
【請求項１１３９】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼する二重反転噴射機関（２Ｅ）車両類駆動とした各種エネルギ保存サイクル合体機関及び合体方法。
【請求項１１４０】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱する二重反転噴射機関（２Ｅ）駆動とした各種エネルギ保存サイクル合体機関及び合体方法。
【請求項１１４１】
圧縮機外箱（７７ｂ）入口に静翼（６Ｇ）と水噴射冷却を具備して他は全部動翼の回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし外周をロケット噴射部としてロケット外箱（７７Ｂ）具備二重反転機外箱（７７Ｃ）の圧縮空気噴射用の静翼（６Ｇ）より圧縮空気（２８ａ）を高圧高温燃焼室（５Ｍ）に噴射燃料噴射ノズル（６Ｘ）より燃料噴射燃焼高圧高温水加熱管（５Ｈ）を加熱して過熱蒸気（５０）を製造する二重反転噴射機関（２Ｅ）駆動とした各種エネルギ保存サイクル合体機関及び合体方法。
【請求項１１４２】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して１０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１４３】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して２０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１４４】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して４０ＭＰａ過熱蒸気（５０）を製造する回転速度や周速度に合せた角度や曲線や回転半径二重反転とした圧縮翼や出力翼の二重反転の二重反転噴射機関（２Ｅ）車両類駆動とした各種エネルギ保存サイクル合体機関及び合体方法。
【請求項１１４５】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して８０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１４６】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して１６０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１４７】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して３２０ＭＰａ過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１４８】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１４９】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造過熱蒸気ロケット噴口（６Ａ）より噴射する回転速度や周速度に合せた角度や曲線や回転半径二重反転とした圧縮翼や出力翼の二重反転の二重反転噴射機関（２Ｅ）車両類駆動とした各種エネルギ保存サイクル合体機関及び合体方法。
【請求項１１５０】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１５１】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１５２】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射する回転速度や周速度に合せた角度や曲線や回転半径二重反転とした圧縮翼や出力翼の二重反転の二重反転噴射機関（２Ｅ）駆動とした各種エネルギ保存サイクル合体機関及び合体方法。
【請求項１１５３】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動する二重反転噴射機関（２Ｅ）駆動とした各種エネルギ保存サイクル合体機関及び合体方法。
【請求項１１５４】
圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射回転力増大して車両類駆動する各種エネルギ保存サイクル合体機関及び合体方法。
【請求項１１５５】
ロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項１１５６】
二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項１１５７】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して回転翼噴射飛行機（１Ｊ）駆動する各種エネルギ保存サイクル合体機関及び合体方法。
【請求項１１５８】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射する各種エネルギ保存サイクル合体機関及び合体方法。
【請求項１１５９】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射してオスプレイ大型（１Ｎ）駆動する各種エネルギ保存サイクル合体機関及び合体方法。
【請求項１１６０】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射で噴射推進オスプレイ大型（１Ｎ）駆動する各種エネルギ保存サイクル合体機関及び合体方法。
【請求項１１６１】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して噴射推進オスプレイ大型（１Ｎ）駆動する各種エネルギ保存サイクル合体機関及び合体方法。
【請求項１１６２】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射特大オスプレイ（１ｚ）駆動する各種エネルギ保存サイクル合体機関及び合体方法。
【請求項１１６３】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射してオスプレイ大型（１Ｎ）駆動する各種エネルギ保存サイクル合体機関及び合体方法。
【請求項１１６４】
外周をロケット噴射部としてロケット外箱（７７Ｂ）具備二重反転機外箱（７７Ｃ）の圧縮空気噴射用の静翼（６Ｇ）より水噴射冷却した圧縮空気（２８ａ）を高圧高温燃焼室（５Ｍ）に噴射燃料噴射ノズル（６Ｘ）より燃料噴射燃焼高圧高温水加熱管（５Ｈ）を加熱して超高圧過熱蒸気（５０）を製造ロケット噴射部の逆噴射可能な過熱蒸気ロケット噴口（６Ａ）より噴射燃焼ガス噴射用の静翼（６Ｇ）より燃焼ガス（４９）を噴射の回転速度や周速度に合せた角度や曲線や回転半径二重反転とした圧縮翼や出力翼の内側軸装置（６０Ａ）外側軸装置（６０Ｂ）の外側出力翼（８ｔ）内側出力翼（８ｓ）を二重反転駆動二重反転噴射機関（２Ｅ）排気をロケット噴射部合流噴射して特大オスプレイ（１ｚ）駆動する各種エネルギ保存サイクル合体機関及び合体方法。
【請求項１１６５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）特大オスプレイ（１ｚ）駆動にする各種エネルギ保存サイクル合体機関及び合体方法。
【請求項１１６６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動特大オスプレイ（１ｚ）にする各種エネルギ保存サイクル合体機関及び合体方法。
【請求項１１６７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動大型オスプレイ（１ｙ）にする各種エネルギ保存サイクル合体機関及び合体方法。
【請求項１１６８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動車両類にする各種エネルギ保存サイクル合体機関及び合体方法。
【請求項１１６９】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動船舶類にする各種エネルギ保存サイクル合体機関及び合体方法。
【請求項１１７０】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動飛行機類にする各種エネルギ保存サイクル合体機関及び合体方法。
【請求項１１７１】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動回転翼機にする各種エネルギ保存サイクル合体機関及び合体方法。
【請求項１１７２】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動オスプレイ類にする各種エネルギ保存サイクル合体機関及び合体方法。
【請求項１１７３】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動回転翼機類にする各種エネルギ保存サイクル合体機関及び合体方法。
【請求項１１７４】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし二重反転噴射機関（２Ｅ）駆動オスプレイ大型（１Ｎ）にする各種エネルギ保存サイクル合体機関及び合体方法。
【請求項１１７５】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし筒具備空気吸引加速する二重反転空気噴射機関（２Ｆ）駆動船舶にする各種エネルギ保存サイクル合体機関及び合体方法。
【請求項１１７６】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし半筒具備空気吸引加速する二重反転空気噴射機関（２Ｆ）駆動船舶にする各種エネルギ保存サイクル合体機関及び合体方法。
【請求項１１７７】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし筒具備空気吸引加速する二重反転空気噴射機関（２Ｆ）駆動船舶にする各種エネルギ保存サイクル合体機関及び合体方法。
【請求項１１７８】
回転速度や周速度に合せた角度や曲線や回転半径二重反転とした圧縮翼や出力翼の内側軸装置（６０Ａ）外側軸装置（６０Ｂ）の内側圧縮翼（８ｑ）外側圧縮翼（８ｒ）とし筒具備空気吸引加速する二重反転空気噴射機関（２Ｆ）駆動二重反転噴射船舶（１Ｆ）にする各種エネルギ保存サイクル合体機関及び合体方法。
【請求項１１７９】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動船舶にする各種エネルギ保存サイクル合体機関及び合体方法。
【請求項１１８０】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動飛行機にする各種エネルギ保存サイクル合体機関及び合体方法。
【請求項１１８１】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動回転翼機にする各種エネルギ保存サイクル合体機関及び合体方法。
【請求項１１８２】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動二重反転飛行機（１Ｅ）にする各種エネルギ保存サイクル合体機関及び合体方法。
【請求項１１８３】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動オスフレイ類にする各種エネルギ保存サイクル合体機関及び合体方法。
【請求項１１８４】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動車両類にする各種エネルギ保存サイクル合体機関及び合体方法。
【請求項１１８５】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動オスプレイ大型（１Ｎ）にする各種エネルギ保存サイクル合体機関及び合体方法。
【請求項１１８６】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動船舶にする各種エネルギ保存サイクル合体機関及び合体方法。
【請求項１１８７】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動飛行機にする各種エネルギ保存サイクル合体機関及び合体方法。
【請求項１１８８】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし二重反転噴射機関（２Ｅ）駆動オスプレイ大型（１Ｎ）にする各種エネルギ保存サイクル合体機関及び合体方法。
【請求項１１８９】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし回転翼兼プロペラ（７Ａ）具備二重反転噴射機関（２Ｅ）駆動オスプレイ大型（１Ｎ）にする各種エネルギ保存サイクル合体機関及び合体方法。
【請求項１１９０】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし回転翼兼プロペラ（７Ａ）複数具備二重反転噴射機関（２Ｅ）駆動オスプレイ大型（１Ｎ）にする各種エネルギ保存サイクル合体機関及び合体方法。
【請求項１１９１】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし回転翼兼プロペラ（７Ａ）４組具備二重反転噴射機関（２Ｅ）駆動オスプレイ大型（１Ｎ）にする各種エネルギ保存サイクル合体機関及び合体方法。
【請求項１１９２】
回転速度や周速度に合せた角度や曲線や回転半径二重反転とした圧縮翼や出力翼の内側軸装置（６０Ａ）外側軸装置（６０Ｂ）の内側出力翼（８ｓ）外側出力翼（８ｔ）とし回転翼兼プロペラ（７Ａ）円筒回転部（７７Ｇ）具備二重反転噴射機関（２Ｅ）駆動オスプレイ大型（１Ｎ）にする各種エネルギ保存サイクル合体機関及び合体方法。
【発明の詳細な説明】
【技術分野】
【０００１】
本発明の二重反転機関の圧縮翼や出力翼を、回転速度や周速度に合せた角度や曲線や回転半径二重反転の、内側圧縮翼８ｑ外側圧縮翼８ｒや内側出力翼８ｓ外側出力翼８ｔとして、超高速対応の二重反転機関２Ｂや二重反転噴射機関２Ｅや二重反転空気噴射機関２Ｆとし、静翼６Ｇを入口と出口に限定することで、二重反転直線２倍圧力以上圧縮容易や水噴射気化冷却圧縮や直線加速超高速膨張として、高圧高温燃焼室５Ｍに高圧高温水加熱管５Ｈ具備熱交換し、過熱蒸気５０を製造ロケット噴射宇宙飛行可能にして、同一圧縮空気量既存ジェットエンジンの４倍燃料燃焼量の理論空燃比燃焼を可能とし、水圧縮の過熱蒸気噴射により既存ジェットエンジンの２０倍圧力貯蔵噴射狙いとして、ロケット噴射追加＋上吸引下反発磁石９ｂや反発磁石等で、両側中心支持軸受荷重合体で０接近＋横軸軸受０接近（１ｆ）で超超高速回転狙いにし、既存の１０倍回転出力や１０倍噴射出力狙いの、二重反転機関２Ｂや二重反転噴射機関２Ｅや二重反転空気噴射機関２Ｆとして、回転速度や周速度に合せた角度や曲線や回転半径二重反転とした圧縮翼や出力翼にし、内側圧縮翼８ｑ外側圧縮翼８ｒ内側出力翼８ｓ外側出力翼８ｔにして、二重反転自動車１Ｂや二重反転船舶１Ｃや二重反転飛行機１Ｅや回転翼飛行機１Ｉ等を回転力駆動し、二重反転噴射船舶１Ｆや二重反転噴射飛行機１Ｇ等を噴射推進駆動して、空気２８ａ圧縮の過程で水噴射霧吹き水冷却や２段圧縮機２Ｎ連結を選択可能とし、二重反転圧縮＋二重反転膨張により同一燃料量既存技術の２倍出力以上狙いにして、高圧高温燃焼室５Ｍの高圧高温水加熱管５Ｈで熱回収し、理論空燃比燃焼可能で燃料燃焼量を既存ガスタービンの４倍等に増大して、過熱蒸気５０を噴射することで圧縮仕事率の最少やロケット噴射圧力の最大を可能にし、過熱蒸気５０ロケット噴射オスプレイ類により宇宙利用全盛１０倍回転出力噴射出力狙いや、既存ガスタービンの１０倍発電量や１０倍回転出力や自家発電狙いや、エオコン＋冷蔵庫＋風呂水＋温水プール＋温室＋製氷＋給湯設備駆動する、各種エネルギ保存サイクル合体機関や各種エネルギ保存合体方法の技術に関する。
【背景技術】
【０００２】
洗脳皆無の小学校理科で考えると、既存ジェットエンジンやガスタービンや蒸気タービン発電等には、致命的な欠点や改良点が多く改良容易なため、静翼を全廃に近付けた二重反転噴射機関２Ｅや二重反転機関２Ｂや二重反転空気噴射機関２Ｆとして、同一圧縮空気量既存ジェットエンジンやガスタービンや蒸気タービン発電の、１０倍噴射推進出力や１０倍回転出力や１０倍発電量を狙う、車両類や船舶類や飛行機類や発電技術等を必要とする背景があり、既存製氷や冷蔵庫やエアコンや暖房や加熱等電気利用が非常に多く、電気利用に変えて発電前過程の温熱利用全盛や冷熱利用全盛にすると、非常に高性能な製氷や冷蔵庫やエアコンや暖房や加熱等になる背景があります。
【先行技術文献】
【特許文献】
【０００３】
【特許文献１】日本国特許１６０７１５１号、特許１６０９６１７号、特許１６４５３５０号、特許１９２４８８９号、特許１９１２５２２号、特許１９５９３０５号、特許１９８６１１９号、特許２６０４６３６号、１９９２年米国特許５１３３３０５号、１９９３年米国特許５２３０３０７号、１９９５年米国特許５４２９０７８号、１９９７年米国特許５７０１８６４号、ＰＣＴ国際出願番号ＰＣＴ／ＪＰ９７／０１８１４号・米国特許第６１１９６５０号、中国特許第８８１８号、ＥＵ英国特許９０２１７５号、ＰＣＴ国際出願番号ＰＣＴ／ＪＰ９７／０２２５０号・米国特許第６２６３６６４号がある。
【０００４】
【特許文献２】ＰＣＴ国際出願公開ＮＯ．ＷＯ  ２０１０／１０１０１７  ＰＣＴ／ＪＰ２０１０／０５２１７１の出願があり、特願２００７−１７９２０４提出日：平成１９年７月９日より特願２００７−２６５１１５提出日：平成１９年１０月１１日まで５個の出願があり、特願２００８−００６６１２提出日：平成２０年１月１６日より特願２００８−３２７０４５提出日：平成２０年１２月２４日まで４５個の出願があり、特願２００９−０１１６５６提出日：平成２１年１月２２日より特願２００９−２９８００４提出日：平成２１年１２月２８日まで３２２個の出願があり、特願２０１０−０００８４１提出日：平成２２年１月６日より特願２０１０−０３３２２４提出日：平成２２年２月１８日まで３２個の出願があり、特願２０１１−０５５０７８提出日：平成２３年３月１４日より特願２０１１−２６７５０８提出日平成２３年１２月７日まで２２個の出願があり、特願２０１２−０３２２４５提出日：平成２４年２月１７日より特願２０１２−２５５８０７提出日：平成２４年１１月２２日まで２８個の出願があります。
【発明の概要】
【発明が解決しようとする課題】
【０００５】
既存世界のジェットエンジンやガスタービンや蒸気タービン発電は、静翼を動翼と交互に設けて空気速度を堰き止め圧縮で損失圧縮を繰り返して、空気圧縮に膨大な燃料消費しているため、二重反転静翼皆無圧縮の直線圧縮燃料費１／２以下超高圧圧縮狙いにし、静翼を動翼と交互に具備して燃料噴射燃焼燃焼ガス速度を静翼で堰き止め反転して、動翼に噴射を繰り返す出力０接近を繰り返し、圧縮空気速度や燃焼ガス速度を急減速して、圧縮空気圧力僅少や回転出力を０側に接近さしているため、静翼数を最少に超高速回転超高速噴射速度にする課題があり、又ジェットエンジンやガスタービンは圧縮空気の大部分を未利用で、回転出力や噴射推進出力を発生しているため、圧縮空気酸素全部を燃焼に利用して燃焼量を４倍にすると共に、燃焼量の３／４以上を過熱蒸気５０として、噴射燃焼ガスの２０倍圧力等で噴射して、同一圧縮空気量ジェットエンジンやガスタービンや蒸気タービン発電量の、１０倍噴射推進出力や１０倍回転出力や１０倍発電量や温熱利用全盛や冷熱利用全盛にする課題があり、物真似改良が可能な発明実施は時代遅れと認識し、世界規模１００％独占を永遠に続ける発明品全部の極秘製造極秘運用として、運用利益率抜群の世界一永遠にする課題がある。
【課題を解決するための手段】
【０００６】
二重反転噴射機関２Ｅや二重反転機関２Ｂや二重反転空気噴射機関２Ｆとして、入口と出口の静翼６Ｇ夫々１列の最少とし、他は全部環状多数動翼の回転速度や周速度に合せた角度や曲線や回転半径の二重反転として、内側圧縮翼８ｑ＋外側圧縮翼８ｒ＋内側出力翼８ｓ＋外側出力翼８ｔ夫々二重反転回転とし、両側中心支持軸受荷重合体で０接近＋横軸軸受荷重０接近１ｆとして、空気を超高速二重反転直線圧縮することで５〜１０倍狙い超高圧を容易にし、水噴射空気冷却や２段圧縮機２Ｎ等連結で同一入力圧縮比の大幅増大として、二重反転機外箱７７Ｃ圧縮空気噴射用の静翼６Ｇより高圧高温燃焼室５Ｍに噴射し、燃料噴射ノズル６Ｘより燃料噴射燃焼の過程で高圧高温水加熱管５Ｈを加熱して、理論空燃比まで同一圧縮空気量既存ガスタービン等の４倍燃料量燃焼にし、燃焼ガス４９の２０倍圧力噴射が可能な過熱蒸気５０を噴射して、噴射推進出力や回転出力を発生することで、同一圧縮空気量既存ジェットエンジンやガスタービンや蒸気タービン発電の、１０倍噴射推進出力や１０倍回転出力や１０倍発電量狙い温熱利用全盛や冷熱利用全盛にし、既存ジェット機最高高度付近より貯蔵した過熱蒸気５０をロケット噴射して、飛行速度をマッハ２３等とした宇宙利用全盛狙いとし、帰還時には逆向噴射等でマッハ３前後として耐熱タイル等不要にする、世界規模１００％独占を永遠に続ける発明品全部の極秘製造極秘運用として、運用利益率抜群の世界一永遠にする。
【発明の効果】
【０００７】
既存ジェットエンジンやガスタービンや蒸気タービン発電の静翼を略全廃し、圧縮翼や出力翼を回転速度や周速度に合せた角度や曲線や回転半径の二重反転として、両側中心支持軸受荷重合体０接近＋横軸軸受荷重０接近１ｆにしたため、軸受が必要部分全部を軸受荷重０接近マイクロタービン含めて超高速回転速度記録更新とし、更に二重反転効果で噴射推進出力や回転出力を１０倍狙い等にする効果があり、高圧高温燃焼室５Ｍに高圧高温水加熱管５Ｈを具備して過熱蒸気５０を製造噴射するため、同一圧縮空気量４倍燃料理論空燃比燃焼量として、３／４熱量を２０倍圧力等の過熱蒸気５０で噴射し、同一圧縮空気量１０倍噴射推進出力や１０倍回転出力や１０倍発電量等の、車両類や船舶類や飛行機類や各種発電方法を狙う効果があり、過熱蒸気５０の噴射はロケット噴射のため、宇宙利用全盛が狙える効果が大きく、用途により温熱利用全盛や冷熱利用全盛にすると、非常に高性能な製氷や冷蔵庫やエアコンや暖房や加熱等になる効果も大きく、運用利益率抜群の世界一や雇用無限増大にする効果がある。
【図面の簡単な説明】
【０００８】
【図１】二重反転機関２Ｂの説明図（実施例１）
【図２】２段圧縮機２Ｎの説明図（実施例２）
【図３】二重反転噴射機関２Ｅの説明図（実施例３）
【図４】二重反転空気噴射機関２Ｆの説明図（実施例４）
【図５】二重反転自動車１Ｂの説明図（実施例５）
【図６】二重反転船舶１Ｃの説明図（実施例６）
【図７】二重反転噴射船舶１Ｆの説明図（実施例７）
【図８】二重反転飛行機１Ｅの説明図（実施例８）
【図９】二重反転噴射飛行機１Ｇの説明図（実施例９）
【図１０】回転翼飛行機１Ｉの説明図（実施例１０）
【図１１】回転翼噴射飛行機１Ｊの説明図（実施例１１）
【図１２】オスプレイ特大１Ｍの説明図（実施例１２）
【図１３】オスプレイ大型１Ｎの説明図（実施例１３）
【図１４】太陽光加熱器２１の発電用空気２８ａ熱製造の説明図（実施例１４）
【発明を実施するための形態】
【０００９】
常識を省略した発明の説明とし、二重反転機関２Ｂ駆動や二重反転噴射機関２Ｅや二重反転空気噴射機関２Ｆ駆動の自動車や船舶や飛行機等として、同一圧縮空気量既存ジェットエンジンやガスタービンの１０倍噴射推進出力や１０倍回転出力狙う、自動車類や船舶類や飛行機類や各種発電類とし、発電前過程では製氷やエアコンや冷蔵庫や風呂水や温水プールや温室や給湯設備等として、全自動大量生産を追加や１日に地球を１６周等する宇宙利用全盛として、地球上何処でも日帰り旅行狙いとし、製造物全部を極秘製造極秘運用として、運用利益率抜群の世界一や雇用無限増大を狙う。
【実施例１】
【００１０】
図１の二重反転機関２Ｂは、回転速度や周速度に合せた角度や曲線や回転半径や超高速二重反転の、内側圧縮翼８ｑ外側圧縮翼８ｒや内側出力翼８ｓ外側出力翼８ｔとして、横軸軸受荷重０接近１ｆとした二重反転磁気装置８５〜二重反転歯車装置８５Ｙにより、両側中心支持＋上吸引下反発磁石９ｂで上下方向軸受荷重既存軸受と合体で０接近に、吸引磁石９ｃで軸方向軸受荷重合体で０接近＋横軸軸受荷重０接近１ｆとした、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、超高速二重反転直線圧縮８００〜１２００℃上昇過程で、２段圧縮機２Ｎ連結や内側軸装置６０Ａ外側軸装置６０Ｂ水噴射冷却熱製造を選択可能とし、高温水５２ｂ熱製造高圧高温水加熱管５Ｈに２００ＭＰａ等で圧入して、相対回転速度既存ガスタービンの２〜５倍で５〜１０倍狙い超高圧圧縮とし、二重反転機外箱７７Ｃの圧縮空気噴射用静翼６Ｇより高圧高温燃焼室５Ｍに圧縮空気噴射して、最適複数個所に具備した燃料噴射ノズル６Ｘより燃料噴射燃焼し、高圧高温水加熱管５Ｈで熱回収２００ＭＰａ等の過熱蒸気５０を製造理論空燃比燃焼にすることで、同一圧縮空気量既存ガスタービンの４倍燃料燃焼量として、燃焼ガス４９の３／４熱量以上や２０倍圧力等の過熱蒸気５０をロケット噴射し、燃焼ガス４９と共同で内側出力翼８ｓ＋外側出力翼８ｔを二重反転駆動して、同一圧縮空気量既存ジェットエンジンやガスタービンの１０倍噴射推進出力や１０倍回転出力狙いとし、横軸１ｈや内側軸装置６０Ａ等を延長して、２段圧縮機２Ｎ連結や発電機や自動車類や船舶類や飛行機類を回転駆動し、飛行機類や船舶類は噴射推進追加駆動する二重反転機関２Ｂにする。
【００１１】
自家発電１Ｈ等の場合は二重反転機関２Ｂ排気全部を熱交換冷却し、空気２８ａ＋水５２ａで熱回収して、内側圧縮翼８ｑ＋外側圧縮翼８ｒで圧縮水噴射熱回収の水は高圧高温水加熱管５Ｈに供給し、空気２８ａは高圧高温燃焼室５Ｍに夫々供給を繰り返す発電にして、工場用自家発電等では図１４太陽光加熱器２１加熱の高温空気２８ａ圧縮の発電にし、同一圧縮空気量既存ガスタービンの４倍燃焼量理論空燃比燃焼の発電量増大にして、増大燃焼分で２００ＭＰａ噴射狙い過熱蒸気５０を製造噴射し、大型工場発電１ｅでは図１合体タービン３ｄを燃焼ガス４９単独駆動として、過熱蒸気５０駆動を図に無い合体タービン３ｄと略同様な、二重反転蒸気タービン１ｐを真空迄既存技術合体駆動発電とし、二重反転蒸気タービン１ｐ＋燃焼ガス４９駆動二重反転機関２Ｂにして、小型工場発電１ｅでは図１過熱蒸気＋燃焼ガス駆動二重反転機関２Ｂとして、過熱蒸気５０を真空まで使用する二重反転蒸気タービン１ｐにし、同一燃料量既存蒸気タービン発電の２〜５倍発電量狙いにして、排熱や地熱も同様に空気２８ａの温度に変換して吸入圧縮水噴射圧縮し、発電量増大する二重反転機関２Ｂ工場発電１ｅにして、家庭用自家発電１Ｈを含めて燃焼前の超高圧低温空気２８ａて製氷機やエアコンや冷蔵庫を冷却駆動し、高圧高温水加熱管５Ｈ高温水で、エアコンや風呂水や温水プールや温室や給湯設備等を最適加熱して、温熱利用全盛冷熱利用全盛で既存のエアコンや冷蔵庫等完全駆逐狙う、二重反転機関２Ｂや二重反転蒸気タービン１ｐ発電機過熱蒸気５０駆動にする。
【実施例２】
【００１２】
図２の２段圧縮機２Ｎは、回転速度や周速度に合せた角度や曲線や回転半径や超高速二重反転の内側圧縮翼８ｑ外側圧縮翼８ｒとして、横軸軸受荷重０接近１ｆとした二重反転磁気装置８５〜二重反転歯車装置８５Ｙにより、両側中心支持＋上吸引下反発磁石９ｂ＋吸引磁石９ｃ＋横軸軸受荷重０接近１ｆで、軸方向＋上下方向軸受荷重合体で０接近＋横軸軸受荷重０接近１ｆの、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、超高速二重反転直線圧縮８００〜１２００℃上昇過程で、内側軸装置６０Ａ外側軸装置６０Ｂ水噴射冷却を選択可能とし、高温水５２ｂ熱製造高圧高温水加熱管５Ｈに２００ＭＰａ等で圧入して、相対回転速度既存ガスタービンの２〜５倍で５〜１０倍狙い超高圧圧縮とし、二重反転機外箱７７Ｃの圧縮空気噴射用静翼６Ｇより高圧高温水加熱管５Ｈ室に圧縮空気噴射して、高圧高温水加熱管５Ｈで熱回収冷却し、二重反転機外箱７７Ｃの静翼６Ｇより噴射して、圧縮空気２８ａ容積に合せて構成した次の２段空気圧縮機で同様に圧縮熱回収冷却し、二重反転機関２Ｂや二重反転噴射機関２Ｅや二重反転空気噴射機関２Ｆと連結駆動等として、複数段空気圧縮機として各種用途に使用する、２段圧縮機２Ｎにする。
【実施例３】
【００１３】
図３の二重反転噴射機関２Ｅは、回転速度や周速度に合せた角度や曲線や回転半径や超高速二重反転の、内側圧縮翼８ｑ外側圧縮翼８ｒや内側出力翼８ｓ外側出力翼８ｔとして、横軸軸受荷重０接近１ｆとした二重反転磁気装置８５〜二重反転歯車装置８５Ｙにより、両側中心支持＋上吸引下反発磁石９ｂ＋吸引磁石９ｃで、上下方向＋軸方向軸受荷重合体で０接近＋横軸軸受荷重０接近１ｆとした、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、二重反転直線圧縮８００〜１２００℃上昇過程で、２段圧縮機２Ｎ連結や内側軸装置６０Ａ外側軸装置６０Ｂ水噴射冷却熱製造を選択可能とし、高温水５２ｂ熱製造高圧高温水加熱管５Ｈに２００ＭＰａ等で圧入して、相対回転速度既存ガスタービンの２〜５倍で５〜１０倍狙い超高圧圧縮とし、二重反転機外箱７７Ｃの圧縮空気噴射用静翼６Ｇより高圧高温燃焼室５Ｍに圧縮空気噴射して、最適複数個所に具備した燃料噴射ノズル６Ｘより燃料噴射燃焼し、高圧高温水加熱管５Ｈで熱回収２００ＭＰａ等の過熱蒸気５０を製造理論空燃比燃焼にすることで、同一圧縮空気量既存ガスタービン等の４倍燃料燃焼量として、燃焼ガス４９の３／４熱量以上や２０倍圧力等の過熱蒸気５０をロケット外箱７７Ｂ内噴射し、燃焼ガス４９で内側出力翼８ｓ＋外側出力翼８ｔを二重反転駆動して、同一圧縮空気量既存ジェットエンジンやガスタービンの１５倍噴射推進出力＋５倍回転出力狙いとし、水中噴射する船舶類やロケット噴射で宇宙利用全盛狙う飛行機類を噴射推進駆動する、二重反転噴射機関２Ｅにする。
【実施例４】
【００１４】
図４の二重反転空気噴射機関２Ｆは、回転速度や周速度に合せた角度や曲線や回転半径や超高速二重反転の、内側圧縮翼８ｑ外側圧縮翼８ｒや内側出力翼８ｓ外側出力翼８ｔとして、横軸軸受荷重０接近１ｆとした二重反転磁気装置８５〜二重反転歯車装置８５Ｙにより、両側中心支持＋上吸引下反発磁石９ｂ＋吸引磁石９ｃで、上下方向＋軸方向軸受荷重合体で０接近＋横軸軸受荷重０接近１ｆとした、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、二重反転直線圧縮８００〜１２００℃上昇過程で、２段圧縮機２Ｎ連結や内側軸装置６０Ａ外側軸装置６０Ｂ水噴射冷却熱製造を選択可能とし、高温水５２ｂ熱製造高圧高温水加熱管５Ｈに２００ＭＰａ等で圧入して、相対回転速度既存ガスタービンの２〜５倍で５〜１０倍狙い超高圧圧縮とし、二重反転機外箱７７Ｃの圧縮空気噴射用静翼６Ｇより高圧高温燃焼室５Ｍに圧縮空気噴射して、最適複数個所に具備した燃料噴射ノズル６Ｘより燃料噴射燃焼し、高圧高温水加熱管５Ｈで熱回収２００ＭＰａ等の過熱蒸気５０を製造理論空燃比燃焼にすることで、同一圧縮空気量既存ガスタービン等の４倍燃料燃焼量として、燃焼ガス４９の３／４熱量以上や２０倍圧力等の過熱蒸気５０をロケット外箱７７Ｂ内噴射し、燃焼ガス４９で内側出力翼８ｓ＋外側出力翼８ｔを二重反転駆動して、同一圧縮空気量既存ジェットエンジンやガスタービンの１５倍噴射推進出力＋５倍回転出力狙いとし、空気吸引噴射部を水抵抗増大０で空気吸引噴射量増大する吸引部噴口部各種形状にして、船底前部水中噴射する等船舶類飛行の超音速噴射推進駆動狙う、二重反転空気噴射機関２Ｆにする。
【実施例５】
【００１５】
図５の二重反転自動車１Ｂの二重反転機関２Ｂ駆動は、既存ジェットエンジンやガスタービンの静翼を略全廃して、横軸軸受荷重０接近１ｆとした二重反転磁気装置８５〜二重反転歯車装置８５Ｙにより、両側中心支持軸受荷重合体で０接近＋横軸軸受０接近１ｆとした、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、二重反転直線圧縮水噴射冷却や磁気利用軸受荷重合体で０接近＋横軸軸受０接近１ｆ等で、相対回転速度既存ガスタービンの２〜５倍で５〜１０倍狙い超高圧圧縮とし、二重反転機外箱７７Ｃの圧縮空気噴射用静翼６Ｇより高圧高温燃焼室５Ｍに圧縮空気２８ａを噴射して、最適複数個所に具備した燃料噴射ノズル６Ｘより燃料噴射燃焼し、高圧高温水加熱管５Ｈで熱回収過熱蒸気５０を製造理論空燃比燃焼にすることで、同一圧縮空気量既存ガスタービン等の４倍燃料燃焼量として、燃焼ガス４９の３／４熱量以上や２０倍圧力等の過熱蒸気５０をロケット噴射し、燃焼ガス４９と共同で多数の内側出力翼８ｓ＋外側出力翼８ｔを二重反転駆動して、同一圧縮空気量既存ガスタービンの１０倍回転出力狙いとし、横軸１ｈ叉は内側軸装置６０Ａを延長して、発電機１を駆動蓄電池１Ａに蓄電し、蓄電池１Ａにより蓄電池駆動車輪４Ｊを回転駆動して、二重反転自動車１Ｂを既存技術と合体駆動や、停止時には安価な電気を発電する小型発電所としても使用する。
【実施例６】
【００１６】
図６の二重反転船舶１Ｃの二重反転機関２Ｂ駆動は、既存ジェットエンジンやガスタービンの静翼を略全廃して、横軸軸受荷重０接近１ｆとした二重反転磁気装置８５〜二重反転歯車装置８５Ｙにより、両側中心支持軸受荷重合体で０接近＋横軸軸受０接近１ｆとした、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、二重反転直線圧縮水噴射冷却や磁気利用軸受荷重合体で０接近＋横軸軸受０接近１ｆ具備等で、相対回転速度既存ガスタービンの２〜５倍で５〜１０倍狙い超高圧圧縮とし、二重反転機外箱７７Ｃの圧縮空気噴射用静翼６Ｇより高圧高温燃焼室５Ｍに圧縮空気２８ａを噴射して、最適複数個所に具備した燃料噴射ノズル６Ｘより燃料噴射燃焼し、高圧高温水加熱管５Ｈで熱回収過熱蒸気５０を製造理論空燃比燃焼にすることで、同一圧縮空気量既存ガスタービン等の４倍燃料燃焼量として、燃焼ガス４９の３／４熱量以上や２０倍圧力等の過熱蒸気５０をロケット噴射し、燃焼ガス４９と共同で多数の内側出力翼８ｓ＋外側出力翼８ｔを二重反転駆動して、同一圧縮空気量既存ガスタービンの１０倍回転出力１０倍噴射出力狙いとし、横軸１ｈ叉は内側軸装置６０Ａを延長して、スクリュー７Ｃを回転駆動し、二重反転機関２Ｂ排気を二重反転船舶１Ｃの図７船外先頭部叉は船内先頭部具備船底に噴射して、摩擦損失低減噴射浮上噴射１〜複数具備噴射等にし、二重反転船舶１Ｃを時速５００ｋｍ／ｈ狙いで駆動する。
【実施例７】
【００１７】
図７の二重反転噴射船舶１Ｆの二重反転空気噴射機関２Ｆ駆動は、既存ジェットエンジンやガスタービンの静翼を略全廃して、横軸軸受荷重０接近１ｆとした二重反転磁気装置８５〜二重反転歯車装置８５Ｙにより、両側中心支持軸受荷重合体で０接近＋横軸軸受０接近１ｆとした、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、二重反転直線圧縮水噴射冷却や磁気利用軸受荷重合体で０接近＋横軸軸受０接近１ｆ等で、相対回転速度既存ガスタービンの２〜５倍で５〜１０倍狙い超高圧圧縮とし、二重反転機外箱７７Ｃの圧縮空気噴射用静翼６Ｇより高圧高温燃焼室５Ｍに圧縮空気２８ａを噴射して、最適複数個所に具備した燃料噴射ノズル６Ｘより燃料噴射燃焼し、高圧高温水加熱管５Ｈで熱回収過熱蒸気５０を製造理論空燃比燃焼にすることで、同一圧縮空気量既存ガスタービン等の４倍燃料燃焼量として、燃焼ガス４９の３／４熱量以上や２０倍圧力等の過熱蒸気５０を、ロケット外箱７７Ｂ内の過熱蒸気ロケット噴口６Ａより噴射し、燃焼ガス４９で内側出力翼８ｓ＋外側出力翼８ｔ多数を二重反転駆動して、同一圧縮空気量既存ジェットエンジンの、１５倍噴射推進出力＋５倍回転出力狙い二重反転空気噴射機関２Ｆとし、音速水上飛行等容易な噴口部形状や吸引空気噴射部形状や船外先頭部具備や船内先頭部具備等、用途に合せて選択した噴射部を二重反転噴射船舶１Ｆの先頭部に１〜複数具備して、先頭部船底の垂直平行板９Ｑ内に噴射する摩擦損失低減噴射浮上噴射にし、船舶速度音速（１２２５ｋｍ／ｈ）近傍等各種実験が必要な二重反転噴射船舶１Ｆにする。
【実施例８】
【００１８】
図８の二重反転飛行機１Ｅの二重反転機関２Ｂ駆動は、既存ジェットエンジンやガスタービンの静翼を略全廃して、横軸軸受荷重０接近１ｆとした二重反転磁気装置８５〜二重反転歯車装置８５Ｙにより、両側中心支持軸受荷重合体で０接近＋横軸軸受０接近１ｆとした、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、二重反転直線圧縮水噴射冷却や磁気利用軸受荷重合体で０接近＋横軸軸受０接近１ｆ等、相対回転速度既存ガスタービンの２〜５倍で５〜１０倍狙い超高圧圧縮とし、二重反転機外箱７７Ｃの圧縮空気噴射用静翼６Ｇより高圧高温燃焼室５Ｍに圧縮空気２８ａを噴射して、最適複数個所に具備した燃料噴射ノズル６Ｘより燃料噴射燃焼し、高圧高温水加熱管５Ｈで熱回収過熱蒸気５０を製造理論空燃比燃焼にすることで、同一圧縮空気量既存ガスタービン等の４倍燃料燃焼量として、燃焼ガス４９の３／４熱量以上や２０倍圧力等の過熱蒸気５０をロケット噴射し、燃焼ガス４９と共同で多数の内側出力翼８ｓ＋外側出力翼８ｔを二重反転駆動して、同一圧縮空気量既存ジェットエンジンやガスタービンの、１０倍回転出力１０倍噴射推進出力狙い二重反転機関２Ｂとし、二重反転機関２Ｂを二重反転飛行機１Ｅに１台以上具備して、内側軸装置６０Ａの前部を延長してプロペラ７Ａ具備し、２００ＭＰａ狙い過熱蒸気５０＋燃焼ガス４９でプロペラ７Ａを回転駆動して、二重反転機関２Ｂ排気の過熱蒸気５０＋燃焼ガス４９を後部に高速噴射して、二重反転飛行機１Ｅをプロペラ７Ａ駆動＋噴射推進駆動し、既存最高飛行高度付近からの過熱蒸気５０ロケット噴射で宇宙利用全盛狙いにする。
【実施例９】
【００１９】
図９の二重反転噴射飛行機１Ｇの二重反転噴射機関２Ｅ駆動は、既存ジェットエンジンやガスタービンの静翼を略全廃して、横軸軸受荷重０接近１ｆとした二重反転磁気装置８５〜二重反転歯車装置８５Ｙにより、両側中心支持軸受荷重合体で０接近＋横軸軸受０接近１ｆとした、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、二重反転直線圧縮水噴射冷却や磁気利用軸受荷重合体で０接近＋横軸軸受０接近１ｆの、相対回転速度既存ガスタービンの２〜５倍で５〜１０倍狙い超高圧圧縮とし、二重反転機外箱７７Ｃの圧縮空気噴射用静翼６Ｇより高圧高温燃焼室５Ｍに圧縮空気２８ａを噴射して、最適複数個所に具備した燃料噴射ノズル６Ｘより燃料噴射燃焼し、高圧高温水加熱管５Ｈで熱回収過熱蒸気５０を製造理論空燃比燃焼にすることで、同一圧縮空気量既存ガスタービン等の４倍燃料燃焼量として、燃焼ガス４９の３／４熱量以上や２０倍圧力等の過熱蒸気５０を、ロケット外箱７７Ｂ内の過熱蒸気ロケット噴口６Ａより噴射し、燃焼ガス４９で内側出力翼８ｓ＋外側出力翼８ｔ多数を二重反転駆動して、同一圧縮空気量既存ジェットエンジンの、１５倍噴射推進出力＋５倍回転出力狙い二重反転噴射機関２Ｅとし、二重反転噴射機関２Ｅを二重反転噴射飛行機１Ｇに１台以上具備して、大気中を飛行時には前方の空気を吸引して燃焼ガス４９を後方に高速噴射し、過熱蒸気５０を貯蔵や必要量のロケット外箱７７Ｂロケット噴射として、宇宙上昇飛行時には通常最高飛行高度付近より過熱蒸気５０のロケット噴射量を最大にし、空気抵抗僅少から０に向かって飛行速度をマッハ２３〜４７等として、宇宙到達費用１／５０万狙い地球帰還時には１８０度回転逆向き噴射飛行とし、マッハ３前後に減速１８０度回転して地球上何処でも日帰り旅行の宇宙利用全盛狙う、二重反転噴射飛行機１Ｇにする。
【実施例１０】
【００２０】
図１０の回転翼飛行機１Ｉの二重反転機関２Ｂ駆動は、既存ジェットエンジンやガスタービンの静翼を略全廃して、横軸軸受荷重０接近１ｆとした二重反転磁気装置８５〜二重反転歯車装置８５Ｙにより、両側中心支持軸受荷重合体で０接近＋横軸軸受０接近１ｆとした、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、二重反転直線圧縮水噴射冷却や磁気利用軸受荷重合体で０接近＋横軸軸受０接近１ｆで、相対回転速度既存ガスタービンの２〜５倍で５〜１０倍狙い超高圧圧縮とし、二重反転機外箱７７Ｃの圧縮空気噴射用静翼６Ｇより高圧高温燃焼室５Ｍに圧縮空気２８ａを噴射して、最適複数個所に具備した燃料噴射ノズル６Ｘより燃料噴射燃焼し、高圧高温水加熱管５Ｈで熱回収過熱蒸気５０を製造理論空燃比燃焼にすることで、同一圧縮空気量既存ガスタービン等の４倍燃料燃焼量として、燃焼ガス４９の３／４熱量以上や２０倍圧力等の過熱蒸気５０をロケット噴射し、燃焼ガス４９と共同で多数の内側出力翼８ｓ＋外側出力翼８ｔを二重反転駆動して、同一圧縮空気量既存ジェットエンジンやガスタービンの、１０倍回転出力１０倍噴射推進出力狙い二重反転機関２Ｂとし、二重反転機関２Ｂを回転翼飛行機１Ｉに１台以上具備して、内側軸装置６０Ａの上部を延長して回転翼７Ｂ具備し、回転翼７Ｂを回転駆動して、二重反転機関２Ｂ排気の過熱蒸気５０＋燃焼ガス４９を下方に高速噴射して、２００ＭＰａ狙い過熱蒸気５０ロケット噴射で宇宙利用全盛狙い回転翼飛行機１Ｉにし、宇宙到達費用１／５０万狙いにして、地球帰還時には逆姿勢に反転した回転翼駆動＋ロケット噴射で真空中マッハ３等の減速にし、最適速度で帰還する。
【実施例１１】
【００２１】
図１１の回転翼噴射飛行機１Ｊの二重反転噴射機関２Ｅ駆動は、既存ジェットエンジンやガスタービンの静翼を略全廃して、横軸軸受荷重０接近１ｆとした二重反転磁気装置８５〜二重反転歯車装置８５Ｙにより、両側中心支持軸受荷重合体で０接近＋横軸軸受０接近１ｆとした、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、二重反転直線圧縮水噴射冷却や磁気利用軸受荷重合体で０接近＋横軸軸受０接近１ｆにより、相対回転速度既存ガスタービンの２〜５倍で５〜１０倍狙い超高圧圧縮とし、二重反転機外箱７７Ｃの圧縮空気噴射用静翼６Ｇより高圧高温燃焼室５Ｍに圧縮空気２８ａを噴射して、最適複数個所に具備した燃料噴射ノズル６Ｘより燃料噴射燃焼し、高圧高温水加熱管５Ｈで熱回収過熱蒸気５０を製造理論空燃比燃焼にすることで、同一圧縮空気量既存ガスタービン等の４倍燃料燃焼量として、燃焼ガス４９の３／４熱量以上や２０倍圧力等の過熱蒸気５０を、ロケット外箱７７Ｂ内の過熱蒸気ロケット噴口６Ａより噴射し、燃焼ガス４９で内側出力翼８ｓ＋外側出力翼８ｔ多数を二重反転駆動して、同一圧縮空気量既存ジェットエンジンの、１５倍噴射推進出力＋５倍回転出力狙い二重反転噴射機関２Ｅとし、二重反転噴射機関２Ｅを回転翼噴射飛行機１Ｊに１台以上具備して、内側軸装置６０Ａの上部を延長して回転翼７Ｂ具備回転力駆動し、二重反転噴射機関２Ｅ排気の燃焼ガス４９を下方に高速噴射して、過熱蒸気５０を貯蔵や必要量のロケット外箱７７Ｂロケット噴射とし、宇宙上昇飛行時には通常最高飛行高度付近より過熱蒸気５０のロケット噴射量を最大にして、空気抵抗僅少から０に向かって飛行速度をマッハ２３〜４７等とし、宇宙到達費用１／５０万狙い地球帰還時には逆姿勢に反転ロケット噴射部を逆噴射として、マッハ３以下に減速して地球上何処でも日帰り旅行の宇宙利用全盛狙う、回転翼噴射飛行機１Ｊにする。
【実施例１２】
【００２２】
図１２のオスプレイ特大１Ｍの二重反転機関２Ｂ駆動は、既存ジェットエンジンやガスタービンの静翼を略全廃して、横軸軸受荷重０接近１ｆとした二重反転磁気装置８５〜二重反転歯車装置８５Ｙにより、両側中心支持軸受荷重合体で０接近＋横軸軸受０接近１ｆとした、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、二重反転直線圧縮水噴射冷却や磁気利用軸受荷重合体で０接近＋横軸軸受０接近１ｆで、相対回転速度既存ガスタービンの２〜５倍で５〜１０倍狙い超高圧圧縮とし、二重反転機外箱７７Ｃの圧縮空気噴射用静翼６Ｇより高圧高温燃焼室５Ｍに圧縮空気２８ａを噴射して、最適複数個所に具備した燃料噴射ノズル６Ｘより燃料噴射燃焼し、高圧高温水加熱管５Ｈで熱回収過熱蒸気５０を製造理論空燃比燃焼にすることで、同一圧縮空気量既存ガスタービン等の４倍燃料燃焼量として、燃焼ガス４９の３／４熱量以上や２０倍圧力等の過熱蒸気５０をロケット噴射し、燃焼ガス４９と共同で多数の内側出力翼８ｓ＋外側出力翼８ｔを二重反転駆動して、同一圧縮空気量既存ジェットエンジンやガスタービンの、１０倍回転出力１０倍噴射推進出力狙い二重反転機関２Ｂとし、二重反転機関２Ｂをオスプレイ特大１Ｍに２台以上具備して、内側軸装置６０Ａの上部を延長して回転翼兼プロペラ７Ａ具備し、回転翼兼プロペラ７Ａを回転駆動して、二重反転機関２Ｂ排気の過熱蒸気５０＋燃焼ガス４９を下方〜後方に高速噴射して、２００ＭＰａ狙い過熱蒸気５０ロケット噴射で宇宙利用全盛狙いオスプレイ特大１Ｍにし、宇宙到達費用１／５０万狙いにして、地球帰還時には逆姿勢に反転した回転翼兼プロペラ７Ａ駆動＋ロケット噴射で真空中希薄空気中減速にし、最適速度で帰還する。
【実施例１３】
【００２３】
図１３のオスプレイ大型１Ｎの二重反転噴射機関２Ｅ駆動は、既存ジェットエンジンやガスタービンの静翼を略全廃して、横軸軸受荷重０接近１ｆとした二重反転磁気装置８５〜二重反転歯車装置８５Ｙにより、両側中心支持軸受荷重合体で０接近＋横軸軸受０接近１ｆとした、内側軸装置６０Ａ＋外側軸装置６０Ｂを二重反転駆動し、多数の内側圧縮翼８ｑ＋外側圧縮翼８ｒで入口静翼６Ｇから吸入した空気２８ａを直線圧縮して、二重反転直線圧縮水噴射冷却や磁気利用軸受荷重合体で０接近＋横軸軸受０接近１ｆにより、相対回転速度既存ガスタービンの２〜５倍で５〜１０倍狙い超高圧圧縮とし、二重反転機外箱７７Ｃの圧縮空気噴射用静翼６Ｇより高圧高温燃焼室５Ｍに圧縮空気２８ａを噴射して、最適複数個所に具備した燃料噴射ノズル６Ｘより燃料噴射燃焼し、高圧高温水加熱管５Ｈで熱回収過熱蒸気５０を製造理論空燃比燃焼にすることで、同一圧縮空気量既存ガスタービン等の４倍燃料燃焼量として、燃焼ガス４９の３／４熱量以上や２０倍圧力等の過熱蒸気５０を、ロケット外箱７７Ｂ内の過熱蒸気ロケット噴口６Ａより噴射し、燃焼ガス４９で内側出力翼８ｓ＋外側出力翼８ｔ多数を二重反転駆動して、同一圧縮空気量既存ジェットエンジンの、１５倍噴射推進出力＋５倍回転出力狙い二重反転噴射機関２Ｅとし、二重反転噴射機関２Ｅをオスプレイ大型１Ｎに２台以上具備して、内側軸装置６０Ａの上部を延長して回転翼兼プロペラ７Ａ具備し、二重反転噴射機関２Ｅ排気の燃焼ガス４９を下方に高速噴射して、回転出力で回転翼兼プロペラ７Ａを回転駆動し、過熱蒸気５０を貯蔵や必要量のロケット外箱７７Ｂロケット噴射として、宇宙上昇飛行時には通常最高飛行高度付近より過熱蒸気５０のロケット噴射量を最大にし、空気抵抗僅少から０に向かって飛行速度をマッハ２３〜４７等として、宇宙到達費用１／５０万狙い地球帰還時には逆姿勢に反転ロケット噴射部を逆噴射とし、マッハ３以下に減速して地球上何処でも日帰り旅行の宇宙利用全盛狙い、月旅行や火星旅行も狙うオスプレイ大型１Ｎにする。
【実施例１４】
【００２４】
図１２の太陽光加熱器２１の発電用空気２８ａ熱製造は、太陽光加熱器２１を水面に浮力を設け又は平地に円形鉄道を設けて具備し、太陽光を東から西に直角維持回転制御する水上装置や陸上装置として、太陽光加熱器２１には回転支持部４ｆを設けて歯車装置４ｄやローラー４ｅを具備し、円筒回転部７７Ｇとして太陽光を上下方向直角維持回転制御して、浮力や円形鉄道利用により東西方向直角維持回転制御する装置とし、太陽光を２方向直角維持回転制御して、熱吸収管４Ｈ内空気温度を最高にする装置とし、地球最大熱量の太陽光を矩形長レンズ２ｄにより直線状に集めて、焦点距離付近に熱吸収管４Ｈ具備内部空気路２８Ａ空気２８ａ温度を最高にして、外部空気路２８Ａ空気２８ａ温度も上昇し、既存のレンズ断面を直線状に延長矩形の長レンズ２ｄとして、レンズ材質全部を使用可能とし、発泡プラスチック等の断熱材２ｃを円筒回転部７７Ｇ等で囲って円筒等の長大な筒として、長大な長レンズ２ｄを継手８０Ａ＋締付具８０Ｂで密封上部を熱吸収管４Ｈ外部空気路２８Ａとし、２空気路２８Ａ選択吸入の内側圧縮翼８ｑ＋外側圧縮翼８ｒで吸入圧縮して、８００〜１２００℃等に上昇の過程で水噴射冷却し、高温水５２ｂとして圧縮高圧高温水加熱管５Ｈに圧入２００ＭＰａ等の過熱蒸気５０にして、二重反転機関２Ｂを駆動発電機１で発電する太陽光加熱器２１の発電用熱製造にし、排熱や地熱等熱が存在の場合、空気２８ａ管で熱交換熱回収し空気２８ａ温度に変換して吸入圧縮水噴射圧縮して、同様に回転出力発生する二重反転機関２Ｂ発電用の空気２８ａ熱製造にする。
【産業上の利用可能性】
【００２５】
既存ジェットエンジンやガスタービンの静翼を略全廃して、圧縮翼や出力翼を回転速度や周速度に合せた角度や曲線や回転半径の二重反転とし、軸受荷重合体で０接近＋横軸軸受０接近１ｆに出来るため、空気圧縮圧力や回転速度出力５〜１０倍を狙える可能性に加えて、略全部を二重反転動翼にすると、水噴射圧縮空気冷却＋噴射質量増大回転出力増大が狙えるのに加えて、高圧高温燃焼室５Ｍに高圧高温水加熱管５Ｈを具備したため、同一圧縮空気量４倍燃料燃焼量としてその３／４熱量以上を過熱蒸気５０にして、燃焼ガス圧力の２０倍圧力や２００ＭＰａ狙いの噴射が可能なため、同一圧縮空気量既存ジェットエンジンやガスタービンの１０倍回転出力や１０倍噴射推進出力の自動車や船舶や飛行機になる可能性があり、飛行機は過熱蒸気５０のロケット噴射で宇宙到達費用１／５０万が狙える可能性があり、地球上何処でも日帰り旅行が可能になる可能性があり、宇宙利用全盛にする可能性がある。
【符号の説明】
【００２６】
０：各種エネルギ保存サイクル合体機関（各種熱エネルギは空気温度として熱ポンプで圧縮熱回収して、空気２８ａ冷熱＋過熱蒸気５０温熱に分割保存使用、重力エネルギは上昇保存噴射真空中重力加速度加速して発電電力に変換使用する各種エネルギ合体エンジン合体手段）    １：発電機、  １ｃ：液体燃料、  1ｅ：工場発電、  １ｆ：横軸軸受０接近（横軸軸受＋推力軸受＋電磁石等で軸受荷重０接近）  １ｈ：横軸（外側軸装置と内側軸装置の回転方向交互にする軸）    １ｉ：二重反転自動車、  １ｊ：二重反転船舶、  １ｋ：二重反転飛行機、  １ｌ：回転翼飛行機、  １ｍ：回転翼噴射飛行機、  １ｎ：二重反転噴射飛行機、  １ｏ：二重反転噴射船舶、    １ｐ：二重反転蒸気タービン（既存蒸気タービンを二重反転駆動３〜５倍出力狙う）  １ｑ：二重反転自動車、  １ｒ：二重反転船舶、  １ｓ：二重反転飛行機、  １ｔ：二重反転噴射船舶、  １ｕ：二重反転噴射飛行機、  １ｖ：回転翼飛行機、  １ｗ：回転翼噴射飛行機、  １ｘ：オスプレイ特大、  １ｙ：オスプレイ大型、  １Ａ：蓄電池、  １Ｂ：二重反転自動車、  １Ｃ：二重反転船舶、  １Ｄ：燃料噴射ポンプ、  １Ｅ：二重反転飛行機、  １Ｆ：二重反転噴射船舶、  １Ｇ：二重反転噴射飛行機、  １Ｈ：自家発電、  １Ｉ：回転翼飛行機、  １Ｊ：回転翼噴射飛行機、  １Ｋ：液体燃料制御弁、  １Ｌ：高圧燃料加熱管、  １Ｍ：オスプレイ特大、  １Ｎ：オスプレイ大型、  ２Ａ：耐熱材、  ２Ｂ：二重反転機関、  ２Ｃ：１〜複数段圧縮熱回収器（熱エネルギを空気温度とし熱ポンプで複数回圧縮熱交換器で複数回熱回収して残りを温熱５０＋液体冷熱２８ａに分割保存）    ２Ｄ：二重反転船舶、  ２Ｅ：二重反転噴射機関、  ２Ｆ：二重反転空気噴射機関、  ２Ｇ：二重反転飛行機、  ２Ｈ：回転翼飛行機、  ２Ｉ：二重反転噴射飛行機、  ２Ｊ：二重反転噴射船舶、    ２Ｋ：回転翼噴射飛行機、  ２Ｌ：二重反転噴射機関、  ２Ｍ：二重反転自動車、  ２Ｎ：２段圧縮機、  ２Ｐ：二重反転噴射船舶、  ２Ｑ：二重反転飛行機、  ２Ｒ：二重反転噴射飛行機、  ２Ｓ：回転翼噴射飛行機、  ２Ｔ：二重反転機関２Ｂ：二重反転噴射機関２Ｅ：二重反転空気噴射機関２Ｆ：二重反転自動車、  ２Ｙ：圧縮空気熱交換器（高圧空気２８ａ冷熱＋過熱蒸気５０温熱製造）    ２ｂ：水抵抗僅少（船底に空気や燃焼ガスや過熱蒸気等を高速噴射して水抵抗僅少にする）  ２ｃ：断熱材、  ２ｄ：長レンズ（凸レンズ断面を直線状に延長矩形とし、複数使用で焦点距離最短レンズ幅最大狙う）  ２ｈ：二重反転機関、  ２ｊ：二重反転噴射機関、  ２ｍ：二重反転水噴射機関、  ２ｎ：二重反転自動車、  ２ｏ：二重反転船舶、  ２ｐ：二重反転噴射船舶、  ２ｑ：二重反転飛行機、  ２ｒ：二重反転噴射飛行機、  ２ｓ：回転翼飛行機、  ２ｔ：回転翼噴射飛行機、  ２ｕ：二重反転機関、  ２ｖ：二重反転噴射機関、  ２ｗ：二重反転水噴射機関、  ２ｘ：二重反転機関、  ２ｙ：二重反転噴射機関、  ２ｚ：二重反転空気噴射機関、  ３ｄ：合体タービン、  ３ｅ：２段圧縮機、  ３ｆ：２段圧縮機２Ｎ：２段圧縮機２Ｎ：２段圧縮機、  ３ｓ：簡単圧縮機、  ３ｕ：空気タービン、  ３Ｑ：理論膨張機関（ボイルの法則で最良狙う）  ３Ｒ：理論ガスタービン、  ３Ｓ：理論蒸気タービン、  ３Ｔ��理論気体圧縮機、  ３Ｕ：理論タービン、  ４Ｈ：熱吸収管（長レンズ２ｄで太陽光を熱吸収管に直線状に集めて管内空気温度を最高に加熱して菅外空気温度も上昇する）  ４Ｊ：蓄電池駆動車輪、  ４Ｌ：理論膨張機関自動車、  ４Ｍ：理論タービン自動車、  ４Ｑ：理論燃焼室（過熱蒸気製造で理論空燃比燃焼既存の４倍燃焼量等や２０倍圧力過熱蒸気噴射狙う燃焼室）、  ４Ｔ：軸流二重反転圧縮機、  ４Ｖ：軸流二重反転タービン、  ４ｄ：歯車装置、  ４ｅ：ローラー、  ４ｆ：回転支持部、  ５：空気噴射ノズル、  ５ｂ：圧縮空気路、  ５Ｇ：水蒸気加熱管、  ５Ｇ：高圧高温水加熱管、  ５Ｈ：高圧高温水加熱管（用途により炭素繊維管を酸化不可鍍金や溶射被覆して使用）  ５Ｈ：高圧高温過熱蒸気管、  ５Ｊ：圧縮空気過熱管、  ５Ｍ：高圧高温燃焼室、  ５Ｑ：高圧高温水制御弁、  ５Ｓ：圧縮空気加熱管、  ５Ｖ：圧縮空気制御弁、  ６：最終圧縮翼、  ６Ａ：過熱蒸気ロケット噴口（用途により逆噴射可能にした噴口）  ６Ｂ：圧縮空気噴射ノズル、  ６Ｆ：水噴射ノズル、  ６Ｇ：静翼、  ６Ｈ：排水管、  ６Ｘ：燃料噴射ノズル、  ６Ｙ：燃焼ガス噴射ノズル、  ７Ａ：プロペラ、  ７Ｂ：回転翼、  ７Ｃ：スクリュー、  ８ｄ：上側膨張翼群、  ８ｅ：下側膨張翼群、  ８ｆ：組立タービン翼群、  ８ｇ：上側圧縮翼群、  ８ｈ：下側圧縮翼群、  ８ｊ：組立圧縮翼群、  ８ｋ：内側圧縮翼（両側中心支持内側軸装置具備）  ８ｍ：外側圧縮翼（両側中心支持外側軸装置具備）、  ８ｎ：内側出力翼（両側中心支持内側軸装置具備）、  ８ｐ：外側出力翼（両側中心支持外側軸装置具備）  ８ｑ：内側圧縮翼（回転速度や周速度に合せた角度や曲線や回転半径二重反転とした圧縮翼）  ８ｒ：外側圧縮翼（回転速度や周速度に合せた角度や曲線や回転半径二重反転とした圧縮翼）、  ８ｓ：内側出力翼（回転速度や周速度に合せた角度や曲線や回転半径二重反転とした出力翼）、  ８ｔ：外側出力翼（回転速度や周速度に合せた角度や曲線や回転半径二重反転とした出力翼）  ９Ｂ：電磁石永久磁石、  ９Ｃ：電磁石永久磁石、  ９Ｄ：空気圧部、  ９Ｅ：空気圧部、  ９Ｍ：嵌合組立部、  ９Ｑ：垂直平行板、  ９ｂ：上吸引下反発磁石、  ９ｃ：吸引磁石、  ９ｄ：反発磁石、  ２１：太陽光加熱器（吸入空気路を熱吸収管４Ｈ内にも設けて主使用する）    ２４Ａ：圧縮空気制御弁、  ２５：過熱蒸気制御弁、  ２５ｂ：高圧燃料制御弁、  ２５ｃ：燃料管、  ２８Ａ：吸入空気路、  ２８ａ：空気、  ２８ｂ：吸入空気路、  ２９ａ：超高圧空気、  ３８Ｈ：理論スクリュー船舶、  ３８Ｊ：理論噴射船舶、  ３８Ｔ：理論噴射飛行機、  ３８Ｕ：理論プロペラ飛行機、  ４９：燃焼ガス、  ５０：過熱蒸気、  ５０：過熱蒸気室、  ５０Ａ：高圧高温水、  ５０ａ：過熱蒸気噴射管、  ５２ａ：水、  ５２ｂ：高温水、  ６０Ａ：内側軸装置、  ６０Ｂ：外側軸装置、  ６０Ｇ：外側環状翼、  ６０Ｈ：内側環状翼、  ７７Ａ：ガスタービン外箱、  ７７Ｂ：ロケット外箱、  ７７Ｃ：二重反転機外箱、  ７７Ｇ：円筒回転部、  ７７ａ：タービン外箱、  ７７ｂ：圧縮機外箱、  ８０：軸受（磁力＋空気圧利用で可能な限り軸受荷重を０に近付ける）  ８０Ａ：継手、  ８０Ｂ：締付具、  ８０ａ：推力軸受（磁力＋空気圧利用で可能な限り軸受荷重を０に近付ける）    ８５：二重反転磁気装置（磁石利用歯車高さ僅少から無接触にし横軸１ｈ歯車により相互逆回転にする）  ８５Ｙ：二重反転歯車装置（横軸１ｈ歯車により相互逆回転にする）  ８８Ｂ：蒸気合体空気噴射部、  ８８Ｃ：理論空気噴射部、  ８８Ｌ：蒸気合体水噴射部、  ８８Ｍ：理論水噴射部、  ８８ｇ：液体酸素製造機
【図１】
2014139405.tif 000003
【図２】
2014139405.tif 000004
【図３】
2014139405.tif 000005
【図４】
2014139405.tif 000006
【図５】
2014139405.tif 000007
【図６】
2014139405.tif 000008
【図７】
2014139405.tif 000009
【図８】
2014139405.tif 000010
【図９】
2014139405.tif 000011
【図１０】
2014139405.tif 000012
【図１１】
2014139405.tif 000013
【図１２】
2014139405.tif 000014
【図１３】
2014139405.tif 000015
【図１４】
2014139405.tif 000016